(57)【要約】      （修正有）【課題】ワイヤレス通信における、可変送信時間間隔（ＴＴＩ）のためのダウンリンク（ＤＬ）データ用の柔軟な多重化及びハイブリッド自動再送要求（ＨＡＲＱ）方法を提供する。【解決手段】基地局は、待ち時間及び効率の考慮事項に基づいて、多重化構成を識別する。基地局は、リソース許可と、ＤＬ  ＴＴＩ２１５の長さを示す信号と、後続のアップリンク（ＵＬ）ＴＴＩ２２０の長さを示す信号とを、１つ又は複数のユーザ機器（ＵＥ）に送信する。基地局は、ＵＬ  ＴＴＩの長さをゼロに設定すること又は同じＤＬ  ＴＴＩ内で複数のＵＥのリソースを割り当てることにより、新しい多重化構成を動的に選択する。待ち時間は、ブロックＨＡＲＱフィードバックなどのブロックフィードバックを利用することで低減される。ＵＥは、ＤＬ  ＴＴＩの継続時間に基づきトランスポートブロック（ＴＢ）のセットの各ＴＢに対するＨＡＲＱフィードバックを決定し送信する。【選択図】図２
2020025285.tif 000002
【特許請求の範囲】
【請求項１】
ワイヤレス通信の方法であって、
時分割複信（ＴＤＤ）構成キャリアのダウンリンク送信時間間隔（ＴＴＩ）を識別することと、
前記ダウンリンクＴＴＩの間に前記ダウンリンクＴＴＩの継続時間の指示を受信することと、
前記ダウンリンクＴＴＩに続くアップリンクＴＴＩの継続時間の指示を受信することと、ここにおいて、前記アップリンクＴＴＩの前記継続時間の前記指示が前記ダウンリンクＴＴＩの間に受信される、
前記ダウンリンクＴＴＩの前記継続時間の前記指示及び前記アップリンクＴＴＩの前記継続時間の前記指示に少なくとも部分的に基づいて通信することと
を備える、方法。
【請求項２】
前記ダウンリンクＴＴＩの間にダウンリンク許可を受信すること
を更に備え、前記ダウンリンク許可が前記ダウンリンクＴＴＩの間にリソースの第１のセットを割り当てる、請求項１に記載の方法。
【請求項３】
前記ダウンリンクＴＴＩに続く後続のダウンリンクＴＴＩの継続時間の指示を受信することと、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信することと、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信することと
を更に備える、請求項２に記載の方法。
【請求項４】
前記アップリンクＴＴＩの前記継続時間の前記指示が、前記アップリンクＴＴＩの前記継続時間がゼロであることを示す、請求項１に記載の方法。
【請求項５】
前記ダウンリンクＴＴＩの前記継続時間及び後続のダウンリンクＴＴＩの継続時間が、前記ＴＤＤ構成キャリアのリソース上で時分割多重化されるダウンリンクバーストを形成する、請求項４に記載の方法。
【請求項６】
前記通信することが、
前記ダウンリンクＴＴＩの間にトランスポートブロック（ＴＢ）のセットを受信することと、ここにおいて、前記ダウンリンクＴＴＩが可変ＴＴＩを備える、
ＴＢの前記セットの各ＴＢに対するハイブリッド自動再送要求（ＨＡＲＱ）フィードバックを決定することと、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信することと
を備える、請求項１に記載の方法。
【請求項７】
幾つかのコードブロック（ＣＢ）に対するＨＡＲＱフィードバックを決定することと、ここにおいて、ＴＢの前記セットの各ＴＢが少なくとも１つのＣＢを備える、ここにおいて、各ＴＢ内のＣＢの数が各ＴＢのサイズに少なくとも部分的に基づく、
前記アップリンクＴＴＩの間に前記幾つかのＣＢに対する前記ＨＡＲＱフィードバックを送信することと
を更に備える、請求項６に記載の方法。
【請求項８】
前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入ること
を更に備える、請求項１に記載の方法。
【請求項９】
ワイヤレス通信のための装置であって、
時分割複信（ＴＤＤ）構成キャリアのダウンリンク送信時間間隔（ＴＴＩ）を識別するための手段と、
前記ダウンリンクＴＴＩの間に前記ダウンリンクＴＴＩの継続時間の指示を受信するための手段と、
前記ダウンリンクＴＴＩに続くアップリンクＴＴＩの継続時間の指示を受信するための手段と、ここにおいて、前記アップリンクＴＴＩの前記継続時間の前記指示が前記ダウンリンクＴＴＩの間に受信される、
前記ダウンリンクＴＴＩの前記指示及び前記アップリンクＴＴＩの前記指示に少なくとも部分的に基づいて通信するための手段と
を備える、装置。
【請求項１０】
前記ダウンリンクＴＴＩの間にダウンリンク許可を受信するための手段
を更に備え、前記ダウンリンク許可が前記ダウンリンクＴＴＩの間にリソースの第１のセットを割り当てる、請求項９に記載の装置。
【請求項１１】
前記ダウンリンクＴＴＩに続く後続のダウンリンクＴＴＩの継続時間の指示を受信するための手段と、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信するための手段と、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信するための手段とを更に備える、請求項１０に記載の装置。
【請求項１２】
前記アップリンクＴＴＩの前記継続時間の前記指示が、前記アップリンクＴＴＩの前記継続時間がゼロであることを示す、請求項９に記載の装置。
【請求項１３】
前記ダウンリンクＴＴＩの前記継続時間及び後続のダウンリンクＴＴＩの継続時間が、前記ＴＤＤ構成キャリアのリソース上で時分割多重化されるダウンリンクバーストを形成する、請求項１２に記載の装置。
【請求項１４】
通信するための前記手段が、前記ダウンリンクＴＴＩの間にトランスポートブロック（ＴＢ）のセットを受信するための手段を備え、前記ダウンリンクＴＴＩが可変ＴＴＩを備え、前記装置が、
ＴＢの前記セットの各ＴＢに対するハイブリッド自動再送要求（ＨＡＲＱ）フィードバックを決定するための手段と、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信するための手段と
を更に備える、請求項９に記載の装置。
【請求項１５】
幾つかのコードブロック（ＣＢ）に対するＨＡＲＱフィードバックを決定するための手段と、ここにおいて、ＴＢの前記セットの各ＴＢが少なくとも１つのＣＢを備え、各ＴＢ内のＣＢの数が各ＴＢのサイズに少なくとも部分的に基づく、
前記アップリンクＴＴＩの間に前記幾つかのＣＢに対する前記ＨＡＲＱフィードバックを送信するための手段と
を更に備える、請求項１４に記載の装置。
【請求項１６】
前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入るための手段
を更に備える、請求項９に記載の装置。
【請求項１７】
ワイヤレス通信のための装置であって、
プロセッサと、
前記プロセッサと電子通信するメモリと、
前記メモリに記憶され、前記プロセッサによって実行されると、
時分割複信（ＴＤＤ）構成キャリアのダウンリンク送信時間間隔（ＴＴＩ）を識別することと、
前記ダウンリンクＴＴＩの間に前記ダウンリンクＴＴＩの継続時間の指示を受信することと、
前記ダウンリンクＴＴＩに続くアップリンクＴＴＩの継続時間の指示を受信することと、ここにおいて、前記アップリンクＴＴＩの前記継続時間の前記指示が前記ダウンリンクＴＴＩの間に受信される、
前記ダウンリンクＴＴＩの前記継続時間の前記指示及び前記アップリンクＴＴＩの前記継続時間の前記指示に少なくとも部分的に基づいて通信することと
を前記装置に行わせるように動作可能な命令と
を備える、装置。
【請求項１８】
前記命令が、
前記ダウンリンクＴＴＩの間にダウンリンク許可を受信すること
を前記装置に行わせるように動作可能であり、前記ダウンリンク許可が前記ダウンリンクＴＴＩの間にリソースの第１のセットを割り当てる、請求項１７に記載の装置。
【請求項１９】
前記命令が、
前記ダウンリンクＴＴＩに続く後続のダウンリンクＴＴＩの継続時間の指示を受信することと、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信することと、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信することと
を前記装置に行わせるように動作可能である、請求項１８に記載の装置。
【請求項２０】
前記アップリンクＴＴＩの前記継続時間の前記指示が、前記アップリンクＴＴＩの前記継続時間がゼロであることを示す、請求項１７に記載の装置。
【請求項２１】
前記ダウンリンクＴＴＩの前記継続時間及び後続のダウンリンクＴＴＩの継続時間が、前記ＴＤＤ構成キャリアのリソース上で時分割多重化されるダウンリンクバーストを形成する、請求項２０に記載の装置。
【請求項２２】
前記命令が、
前記ダウンリンクＴＴＩの間にトランスポートブロック（ＴＢ）のセットを受信することと、ここにおいて、前記ダウンリンクＴＴＩが可変ＴＴＩを備える、
ＴＢの前記セットの各ＴＢに対するハイブリッド自動再送要求（ＨＡＲＱ）フィードバックを決定することと、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信することと
を前記装置に行わせるように動作可能である、請求項１７に記載の装置。
【請求項２３】
前記命令が、
幾つかのコードブロック（ＣＢ）に対するＨＡＲＱフィードバックを決定することと、ここにおいて、ＴＢの前記セットの各ＴＢが少なくとも１つのＣＢを備え、各ＴＢ内のＣＢの数が各ＴＢのサイズに少なくとも部分的に基づく、
前記アップリンクＴＴＩの間に前記幾つかのＣＢに対する前記ＨＡＲＱフィードバックを送信することと
を前記装置に行わせるように動作可能である、請求項２２に記載の装置。
【請求項２４】
前記命令が、
前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入ること
を前記装置に行わせるように動作可能である、請求項１７に記載の装置。
【請求項２５】
ワイヤレス通信のためのコードを記憶する非一時的コンピュータ可読媒体であって、前記コードが
時分割複信（ＴＤＤ）構成キャリアのダウンリンク送信時間間隔（ＴＴＩ）を識別することと、
前記ダウンリンクＴＴＩの間に前記ダウンリンクＴＴＩの継続時間の指示を受信することと、
前記ダウンリンクＴＴＩに続くアップリンクＴＴＩの継続時間の指示を受信することと、ここにおいて、前記アップリンクＴＴＩの前記継続時間の前記指示が前記ダウンリンクＴＴＩの間に受信される、
前記ダウンリンクＴＴＩの前記継続時間の前記指示及び前記アップリンクＴＴＩの前記継続時間の前記指示に少なくとも部分的に基づいて通信することと
を行うように実行可能な命令を備える、非一時的コンピュータ可読媒体。
【請求項２６】
前記命令が、
前記ダウンリンクＴＴＩの間にダウンリンク許可を受信すること
を行うように実行可能であり、前記ダウンリンク許可が前記ダウンリンクＴＴＩの間にリソースの第１のセットを割り当てる、請求項２５に記載の非一時的コンピュータ可読媒体。
【請求項２７】
前記命令が、
前記ダウンリンクＴＴＩに続く後続のダウンリンクＴＴＩの継続時間の指示を受信することと、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信することと、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信することと
を行うように実行可能である、請求項２６に記載の非一時的コンピュータ可読媒体。
【請求項２８】
前記アップリンクＴＴＩの前記継続時間の前記指示が、前記アップリンクＴＴＩの前記継続時間がゼロであることを示す、請求項２５に記載の非一時的コンピュータ可読媒体。
【請求項２９】
前記命令が、
前記ダウンリンクＴＴＩの間にトランスポートブロック（ＴＢ）のセットを受信することと、ここにおいて、前記ダウンリンクＴＴＩが可変ＴＴＩを備える、
ＴＢの前記セットの各ＴＢに対するハイブリッド自動再送要求（ＨＡＲＱ）フィードバックを決定することと、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信することと
を行うように実行可能である、請求項２５に記載の非一時的コンピュータ可読媒体。
【請求項３０】
前記命令が、
前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入ること
を行うように実行可能である、請求項２５に記載の非一時的コンピュータ可読媒体。
【発明の詳細な説明】
【技術分野】
【０００１】
相互参照
[0001]本特許出願は、各々が本出願の譲受人に譲渡された、２０１５年９月２９日に出願された「Ｆｌｅｘｉｂｌｅ  Ｍｕｌｔｉｐｌｅｘｉｎｇ  ａｎｄ  Ｆｅｅｄｂａｃｋ  ｆｏｒ  Ｖａｒｉａｂｌｅ  Ｔｒａｎｓｍｉｓｓｉｏｎ  Ｔｉｍｅ  Ｉｎｔｅｒｖａｌｓ」と題する米国特許出願第１４／８６９，１５２号、２０１４年１０月２４日に出願された「Ｆｅｅｄｂａｃｋ  ｆｏｒ  Ｖａｒｉａｂｌｅ  Ｔｒａｎｓｍｉｓｓｉｏｎ  Ｔｉｍｅ  Ｉｎｔｅｒｖａｌｓ」と題する米国仮特許出願第６２／０６８，４１６号及び２０１４年１１月５日に出願された「Ｆｌｅｘｉｂｌｅ  Ｍｕｌｔｉｐｌｅｘｉｎｇ  Ｏｐｅｒａｔｉｏｎ  ｆｏｒ  Ｄｏｗｎｌｉｎｋ  Ｄａｔａ」と題する米国仮特許出願第６２／０７５，６２４号の優先権を主張する。
【０００２】
[0002]以下は、一般に、ワイヤレス通信に関し、より詳細には、高度コンポーネントキャリア（ｅＣＣ）用の可変送信時間間隔（ＴＴＩ）を含む可変ＴＴＩのための、ダウンリンク（ＤＬ）データ用の柔軟な多重化動作及びハイブリッド自動再送要求（ＨＡＲＱ）フィードバックに関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（例えば、時間、周波数及び電力）を共有することにより、複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム及び直交周波数分割多元接続（ＯＦＤＭＡ）システム（例えば、ロングタームエボリューション（ＬＴＥ（登録商標））システム）が含まれる。
【０００４】
[0004]例として、ワイヤレス多元接続通信システムは、場合によってはユーザ機器（ＵＥ）として知られ得る、複数の通信機器用の通信を各々が同時にサポートする、幾つかの基地局を含み得る。基地局は、（例えば、基地局からＵＥへの送信用の）ダウンリンクチャネル上で、及び（例えば、ＵＥから基地局への送信用の）アップリンクチャネル上で、通信機器と通信することができる。
【０００５】
[0005]幾つかのワイヤレスシステムは、ＵＬ送信及びＤＬ送信に同じ周波数リソースが使用される、時分割複信（ＴＤＤ）を利用し得る。そのようなシステムでは、複数のＵＥにサービスするように多重化モードが選択され得る。例えば、基地局は、単一のＵＥにデータを送信した後、複数のＵＥに次々にデータを送信した後、又は様々な周波数範囲を割り振られた複数のＵＥに送信した後、ＵＬに切り替えることを選択し得る。しかしながら、各方法は、待ち時間、リソース効率及びスケジューリングの柔軟性の間で様々なトレードオフをもたらす可能性がある。
【０００６】
[0006]ますます、多くのワイヤレスアプリケーションは、待ち時間が減少した通信から恩恵を受ける。加えて、広帯域幅キャリア及びスペクトル共有（例えば、無認可スペクトルの使用）が、低遅延を維持するために、効率的なフィードバックに関する問題点を含む、効率的なシステム動作のためのより多くの柔軟性とより多数の変数とをもたらした。
【発明の概要】
【０００７】
[0007]ＤＬデータ用の柔軟な多重化動作のための方法、システム及び装置が記載される。ＴＤＤシステム内では、例えば、待ち時間及び効率の考慮事項に基づいて、多重化構成が選択又は識別され得る。基地局は、リソース許可、ダウンリンク（ＤＬ）送信時間間隔（ＴＴＩ）の長さを示す信号及び後続のアップリンク（ＵＬ）ＴＴＩの長さを示す信号の組合せを、１つ又は複数のユーザ機器（ＵＥ）に送信することにより、多重化構成を実装することができる。待ち時間及び効率の考慮事項が変化した場合、基地局は、例えば、ＵＬ  ＴＴＩの長さをゼロに設定すること、又は同じＤＬ  ＴＴＩ内で複数のＵＥのリソースを割り当てることにより、新しい多重化構成を動的に選択することができる。
【０００８】
[0008]加えて、可変ＴＴＩを利用するシステムにフィードバックを提供するための方法、システム及び装置が記載される。ダウンリンクフィードバックに対する待ち時間は、ｅＣＣ用のブロックハイブリッド自動再送要求（ＨＡＲＱ）フィードバックを含むブロックフィードバックを利用することによって低減され得る。例えば、ＵＥは、可変ダウンリンクＴＴＩ内でトランスポートブロック（ＴＢ）のセットを受信することができる。ＵＥは、ＴＢのセットの各ＴＢに対するＨＡＲＱフィードバックを決定することができ、セット内のＴＢの数は、可変ダウンリンクＴＴＩの継続時間に基づき得る。ＵＥは、ダウンリンクＴＴＩに続くアップリンクＴＴＩ内で、各ＴＢに対するＨＡＲＱフィードバックを送信することができる。場合によっては、ＨＡＲＱフィードバックは、例えば、そうでなければアップリンクＴＴＩ用のＨＡＲＱリソースの最大数が超えられるであろう場合、ＴＢのセットの２つ以上のＴＢに対してバンドルされ得る。
【０００９】
[0009]アップリンクフィードバックも待ち時間を改善することができる。例えば、ＵＥは、アップリンクＴＢ向けの、又はアップリンクＴＢの再送信向けの許可を受信することができる。ＵＥは、許可が元の送信ＴＢ向けであるとき、許可が肯定応答（ＡＣＫ）を表すと決定することができるか、又はＵＥは、許可がＴＢの再送信向けであるとき、許可が否定応答（ＮＡＣＫ）を表すと決定することができる。
【００１０】
[0010]追加又は代替として、アップリンク送信は、待ち時間を改善するように多重化され得る。例えば、基地局は、第１のアップリンクＴＴＩの間に第１のＵＥから可変ダウンリンクＴＴＩを使用して送信された、ＴＢの第１のセットの各ＴＢに対するＨＡＲＱフィードバックの第１のセットを受信することができる。基地局は、第１のアップリンクＴＴＩの間に第２のＵＥからＴＢの第２のセットの各ＴＢに対するＨＡＲＱフィードバックの第２のセットを同時に受信することもできる。
【００１１】
[0011]ワイヤレス通信の方法が記載される。方法は、時分割複信（ＴＤＤ）構成キャリアのダウンリンク送信時間間隔（ＴＴＩ）を識別することと、ダウンリンクＴＴＩの間にダウンリンクＴＴＩの継続時間の指示を受信することと、ダウンリンクＴＴＩに続くアップリンクＴＴＩの継続時間の指示を受信することとを含み得る。アップリンクＴＴＩの継続時間の指示は、ダウンリンクＴＴＩの間に受信され得る。方法は、ダウンリンクＴＴＩの指示及びアップリンクＴＴＩの指示に少なくとも部分的に基づいて通信することを含み得る。
【００１２】
[0012]ワイヤレス通信のための装置が記載される。装置は、時分割複信（ＴＤＤ）構成キャリアのダウンリンク送信時間間隔（ＴＴＩ）を識別するための手段と、ダウンリンクＴＴＩの間にダウンリンクＴＴＩの継続時間の指示を受信するための手段と、ダウンリンクＴＴＩに続くアップリンクＴＴＩの継続時間の指示を受信するための手段とを含み得る。アップリンクＴＴＩの継続時間の指示は、ダウンリンクＴＴＩの間に受信され得、通信するための手段は、ダウンリンクＴＴＩの指示及びアップリンクＴＴＩの指示に少なくとも部分的に基づいて動作可能であり得る。
【００１３】
[0013]更なる装置が記載される。装置は、プロセッサと、プロセッサと電子通信しているメモリと、メモリに記憶された命令とを含み得る。命令は、時分割複信（ＴＤＤ）構成キャリアのダウンリンク送信時間間隔（ＴＴＩ）を識別することと、ダウンリンクＴＴＩの間にダウンリンクＴＴＩの継続時間の指示を受信することと、ダウンリンクＴＴＩに続くアップリンクＴＴＩの継続時間の指示を受信することとを装置に行わせるように動作可能であり得る。アップリンクＴＴＩの継続時間の指示は、ダウンリンクＴＴＩの間に受信され得る。命令はまた、ダウンリンクＴＴＩの指示及びアップリンクＴＴＩの指示に少なくとも部分的に基づいて通信することを装置に行わせるように動作可能であり得る。
【００１４】
[0014]ワイヤレス通信のための非一時的コンピュータ可読媒体が記載される。非一時的コンピュータ可読媒体は、時分割複信（ＴＤＤ）構成キャリアのダウンリンク送信時間間隔（ＴＴＩ）を識別することと、ダウンリンクＴＴＩの間にダウンリンクＴＴＩの継続時間の指示を受信することと、ダウンリンクＴＴＩに続くアップリンクＴＴＩの継続時間の指示を受信することとを行うように実行可能な命令を含み得る。アップリンクＴＴＩの継続時間の指示は、ダウンリンクＴＴＩの間に受信され得る。命令はまた、ダウンリンクＴＴＩの指示及びアップリンクＴＴＩの指示に基づいて通信するように実行可能であり得る。
【００１５】
[0015]上述された方法、装置又は非一時的コンピュータ可読媒体の幾つかの例は、ダウンリンクＴＴＩの間にダウンリンク許可を受信するためのプロセス、特徴、手段又は命令を更に含み得、この場合、ダウンリンク許可はダウンリンクＴＴＩの間にリソースの第１のセットを割り当てる。
【００１６】
[0016]上述された方法、装置又は非一時的コンピュータ可読媒体の幾つかの例は、ダウンリンクＴＴＩの間にリソースの第２のセットを割り当てる更なるダウンリンク許可を受信するためのプロセス、特徴、手段又は命令を更に含み得る。
【００１７】
[0017]上述された方法、装置又は非一時的コンピュータ可読媒体の幾つかの例では、リソースの第１のセット及びリソースの第２のセットは、ダウンリンクＴＴＩの間に周波数分割多重化（ＦＤＭ）される。
【００１８】
[0018]上述された方法、装置又は非一時的コンピュータ可読媒体の幾つかの例は、ダウンリンクＴＴＩに続く後続のダウンリンクＴＴＩの間に後続のダウンリンク許可を受信するためのプロセス、特徴、手段又は命令を更に含み得る。上述された方法、装置又は非一時的コンピュータ可読媒体の幾つかの例は、ダウンリンクＴＴＩに続く後続のダウンリンクＴＴＩの継続時間の指示を受信するためのプロセス、特徴、手段又は命令を更に含み得、ここにおいて、後続のダウンリンクＴＴＩの継続時間の指示は後続のダウンリンクＴＴＩの間に受信される。上述された方法、装置又は非一時的コンピュータ可読媒体の幾つかの例は、後続のダウンリンクＴＴＩに続く後続のアップリンクＴＴＩの継続時間の指示を受信するためのプロセス、特徴、手段又は命令を更に含み得、この場合、後続のアップリンクＴＴＩの継続時間の指示は後続のダウンリンクＴＴＩの間に受信される。上述された方法、装置又は非一時的コンピュータ可読媒体の幾つかの例は、後続のダウンリンクＴＴＩの継続時間の指示及び後続のアップリンクＴＴＩの継続時間の指示に基づいて通信するためのプロセス、特徴、手段又は命令を更に含み得る。
【００１９】
[0019]上述された方法、装置又は非一時的コンピュータ可読媒体の幾つかの例では、アップリンクＴＴＩの継続時間の指示は、アップリンクＴＴＩの継続時間がゼロであることを示す。
【００２０】
[0020]上述された方法、装置又は非一時的コンピュータ可読媒体の幾つかの例では、ダウンリンクＴＴＩの継続時間及び後続のダウンリンクＴＴＩの継続時間は、ＴＤＤ構成キャリアのリソース上で時分割多重化されたダウンリンクバーストを形成する。
【００２１】
[0021]上述された方法、装置又は非一時的コンピュータ可読媒体の幾つかの例では、通信することは、ダウンリンクＴＴＩの間にトランスポートブロック（ＴＢ）のセットを受信することを備え、ダウンリンクＴＴＩは可変ＴＴＩを備える。上述された方法、装置又は非一時的コンピュータ可読媒体の幾つかの例は、ＴＢのセットの各ＴＢに対するハイブリッド自動再送要求（ＨＡＲＱ）フィードバックを決定するためのプロセス、特徴、手段又は命令を更に含み得、この場合、セット内のＴＢの数はダウンリンクＴＴＩの継続時間に基づく。上述された方法、装置又は非一時的コンピュータ可読媒体の幾つかの例は、アップリンクＴＴＩの間にＴＢのセットの少なくとも１つのＴＢに対するＨＡＲＱフィードバックを送信するためのプロセス、特徴、手段又は命令を更に含み得る。
【００２２】
[0022]上述された方法、装置又は非一時的コンピュータ可読媒体の幾つかの例は、幾つかのコードブロック（ＣＢ）に対するＨＡＲＱフィードバックを決定するためのプロセス、特徴、手段又は命令を更に含み得、この場合、ＴＢのセットの各ＴＢは少なくとも１つのＣＢを備える。場合によっては、各ＴＢ内のＣＢの数は、各ＴＢのサイズに少なくとも部分的に基づき得る。上述された方法、装置又は非一時的コンピュータ可読媒体の幾つかの例は、アップリンクＴＴＩの間に幾つかのＣＢに対するＨＡＲＱフィードバックを送信するためのプロセス、特徴、手段又は命令を更に含み得る。上述された方法、装置又は非一時的コンピュータ可読媒体の幾つかの例は、ダウンリンクＴＴＩ又はアップリンクＴＴＩの間のリソースの許可の不在に少なくとも部分的に基づいて、ダウンリンクＴＴＩ又はアップリンクＴＴＩの間に低電力状態に入るためのプロセス、特徴、手段又は命令を更に含み得る。
【００２３】
[0023]上記では、以下の発明を実施するための形態がより良く理解され得るように、本開示による例の特徴及び技術的利点がかなり広く概説された。更なる特徴及び利点が以下に記載される。開示される概念及び具体例は、本開示の同じ目的を遂行するための他の構造を修正又は設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関して考察されると、以下の説明からより良く理解されよう。図の各々は、例示及び説明のためにのみ提供され、特許請求の範囲の限定の定義として提供されるものではない。
【００２４】
[0024]以下の図面を参照することにより、本開示の本質及び利点のより一層の理解が実現され得る。添付の図では、同様の構成要素又は特徴は、同じ参照ラベルを有し得る。更に、同じタイプの様々な構成要素は、参照ラベルの後に、ダッシュと、同様の構成要素の間を区別する第２のラベルとを続けることによって区別され得る。第１の参照ラベルだけが本明細書において使用される場合、その説明は、第２の参照ラベルにかかわらず、同じ第１の参照ラベルを有する同様の構成要素のうちのいずれにも適用可能である。
【図面の簡単な説明】
【００２５】
【図１】[0025]本開示の様々な態様による、ダウンリンク（ＤＬ）データ用の柔軟な多重化動作のためのワイヤレス通信システムの一例を示す図。
【図２】[0026]本開示の様々な態様による、ＤＬデータ用の柔軟な多重化動作のためのワイヤレス通信システムの一例を示す図。
【図３Ａ】[0027]本開示の様々な態様による、ＤＬデータ用の柔軟な多重化動作のためのＴＤＤ  ＵＬ／ＤＬバースト構成の一例を示す図。
【図３Ｂ】[0028]本開示の様々な態様による、ＤＬデータ用の柔軟な多重化動作のための時分割多重化（ＴＤＭ）ＵＬ／ＤＬバースト構成の一例を示す図。
【図３Ｃ】[0029]本開示の様々な態様による、ＤＬデータ用の柔軟な多重化動作のための周波数分割多重化（ＦＤＭ）ＵＬ／ＤＬバースト構成の一例を示す図。
【図４】[0030]本開示の様々な態様による、ＤＬデータ用の柔軟な多重化動作のためのプロセスフローの一例を示す図。
【図５】[0031]本開示の様々な態様による、ＤＬデータ用の柔軟な多重化動作のために構成されたユーザ機器（ＵＥ）のブロック図。
【図６】[0032]本開示の様々な態様による、ＤＬデータ用の柔軟な多重化動作のために構成されたＵＥのブロック図。
【図７】[0033]本開示の様々な態様による、ＤＬデータ用の柔軟な多重化動作のために構成された柔軟な多重化モジュールのブロック図。
【図８】[0034]本開示の様々な態様による、ＤＬデータ用の柔軟な多重化動作のために構成されたＵＥを含むシステムのブロック図。
【図９】[0035]本開示の様々な態様による、ＤＬデータ用の柔軟な多重化動作のために構成された基地局のブロック図。
【図１０】[0036]本開示の様々な態様による、ＤＬデータ用の柔軟な多重化動作のために構成された基地局の柔軟な多重化モジュールのブロック図。
【図１１】[0037]本開示の様々な態様による、ＤＬデータ用の柔軟な多重化動作のために構成された基地局のブロック図。
【図１２】[0038]本開示の様々な態様による、ＤＬデータ用の柔軟な多重化動作のために構成された基地局を含むシステムのブロック図。
【図１３】[0039]本開示の態様による、ワイヤレス通信システムの様々なセルを使用して送信され得る無線フレーム及び様々なサブフレームの一例を示す図。
【図１４】[0040]本開示の様々な態様による、高度コンポーネントキャリア（ｅＣＣ）送信の一例を示す図。
【図１５】[0041]本開示の様々な態様による、ｅＣＣ送信の一例を示す図。
【図１６】[0042]本開示の様々な態様による、可変送信時間間隔（ＴＴＩ）を利用するキャリアに対するフィードバックの一例を示す図。
【図１７】[0043]本開示の様々な態様による、可変ＴＴＩに対するフィードバックを提供するためのアップリンクチャネル多重化を有するキャリアの一部分を示す図。
【図１８】[0044]本開示の様々な態様による、可変ＴＴＩに対するフィードバックのために構成されたユーザ機器（ＵＥ）のブロック図。
【図１９】[0045]本開示の様々な態様による、可変ＴＴＩに対するフィードバックのために構成されたＵＥのブロック図。
【図２０】[0046]本開示の様々な態様による、可変ＴＴＩに対するフィードバックのために構成されたフィードバックモジュールのブロック図。
【図２１】[0047]本開示の様々な態様による、可変ＴＴＩに対するフィードバックのために構成されたＵＥを含むシステムのブロック図。
【図２２】[0048]本開示の様々な態様による、可変ＴＴＩに対するフィードバックのために構成された基地局のブロック図。
【図２３】[0049]本開示の様々な態様による、可変ＴＴＩに対するフィードバックのために構成された基地局のブロック図。
【図２４】[0050]本開示の様々な態様による、可変ＴＴＩに対するフィードバックのために構成された基地局フィードバックモジュールのブロック図。
【図２５】[0051]本開示の様々な態様による、可変ＴＴＩに対するフィードバックのために構成された基地局を含むシステムのブロック図。
【図２６】[0052]本開示の様々な態様による、ＤＬデータ用の柔軟な多重化動作のための方法を示すフローチャート。
【図２７】[0053]本開示の様々な態様による、ＤＬデータ用の柔軟な多重化動作のための方法を示すフローチャート。
【図２８】[0054]本開示の様々な態様による、ＤＬデータ用の柔軟な多重化動作のための方法を示すフローチャート。
【図２９】[0055]本開示の様々な態様による、ＤＬデータ用の柔軟な多重化動作のための方法を示すフローチャート。
【図３０】[0056]本開示の様々な態様による、可変ＴＴＩに対するフィードバックのための方法を示すフローチャート。
【図３１】[0057]本開示の様々な態様による、可変ＴＴＩに対するフィードバックのための方法を示すフローチャート。
【図３２】[0058]本開示の様々な態様による、可変ＴＴＩに対するフィードバックのための方法を示すフローチャート。
【図３３】[0059]本開示の様々な態様による、可変ＴＴＩに対するフィードバックのための方法を示すフローチャート。
【図３４】[0060]本開示の様々な態様による、可変ＴＴＩに対するフィードバックのための方法を示すフローチャート。
【図３５】[0061]本開示の様々な態様による、可変ＴＴＩに対するフィードバックのための方法を示すフローチャート。
【発明を実施するための形態】
【００２６】
[0062]基地局は、幾つかの多重化方式：時分割複信（ＴＤＤ）多重化、時分割多重化（ＴＤＭ）及び周波数分割多重化（ＦＤＭ）のうちの１つに従って、ユーザ機器（ＵＥ）向けのダウンリンク（ＤＬ）データを多重化することができる。各多重化方式は、待ち時間、効率性及びスケジューリングの柔軟性に関して、他の方式と比較して幾つかの利益を与えることができる。
【００２７】
[0063]各多重化方式の特定の利益によれば、多重化の１つのタイプは、別のタイプよりもある特定のタイプの送信に適切であり得る。従って、物理レイヤ信号伝達機構により、基地局が、例えば、基地局の状態に応じて多重化モードのうちの１つを柔軟及び動的に選ぶことが可能になり得る。その機構は、２つのレイヤ１（Ｌ１）信号（例えば、物理ＤＬフォーマットインジケータチャネル（ＰＤＦＩＣＨ）及び物理ＵＬフォーマットインジケータチャネル（ＰＵＦＩＣＨ））を使用して、送信時間間隔（ＴＴＩ）の長さと、ＵＬバーストの長さとを示すことができる。例えば、ＤＬ  ＴＴＩの最初のシンボル、最後のシンボル又は別の予め決定されたシンボル位置に存在するＰＤＦＩＣＨは、ＤＬ  ＴＴＩの長さを伝達することができ、ＤＬ  ＴＴＩの最初のシンボル又は最後のシンボルのいずれかに存在するＰＵＦＩＣＨは、ＵＬのバースト長を伝達することができる。その機構は、上述された３つの多重化方式のいずれかと連携して使用され得る。
【００２８】
[0064]例えば、ＴＤＤ多重化の場合、第１のＤＬ  ＴＴＩ上の第１のＰＤＦＩＣＨは第１のＤＬ  ＴＴＩの長さを示し得、第１のＤＬ  ＴＴＩ上の第１のＰＵＦＩＣＨは第１のＵＬバーストの長さを示し得る。同様に、第２の（例えば、後続の）ＤＬ  ＴＴＩ上の第２のＰＤＦＩＣＨは第２のＤＬ  ＴＴＩの長さを示し得、第２のＤＬ  ＴＴＩ上の第２のＰＵＦＩＣＨは第２のＵＬバーストの長さを示し得る。
【００２９】
[0065]ＴＤＭの場合、第１のＤＬ  ＴＴＩ上の第１のＰＤＦＩＣＨは第１のＤＬ  ＴＴＩの長さを示し得る。第１のＤＬ  ＴＴＩの直後に第２のＤＬ  ＴＴＩが続く場合、第１のＰＵＦＩＣＨの値（例えば、ペイロード）はゼロに設定され、従って、ＤＬ送信が続くべきであり、ＵＥが第２のＰＤＦＩＣＨ用の次のシンボル（例えば、ＴＴＩ）を読み得ることを信号伝達することができる。第２のＤＬ  ＴＴＩ上の第２のＰＤＦＩＣＨは第２のＤＬ  ＴＴＩの長さを示し得る。第２のＤＬ  ＴＴＩは、後続のＵＬバーストの長さを示すことができる第２のＰＵＦＩＣＨを含み得る。
【００３０】
[0066]ＦＤＭの場合、多重化フォーマットを信号伝達するために、単一のＰＤＦＩＣＨ及びＰＵＦＩＣＨが使用され得る。例えば、ＤＬ  ＴＴＩは、ＤＬ  ＴＴＩの長さを示すことができるＰＤＦＩＣＨを含み得る。ＦＤＭの周波数分割の性質に起因して、ＦＤＭのＤＬ  ＴＴＩは、２つの異なるＵＥに割り当てられたデータによって共有され得る。従って、物理ＤＬ制御チャネル（ＰＤＣＣＨ）は、各ＵＥに割り当てられた周波数領域を示し得る。ＤＬ  ＴＴＩは、ＤＬ  ＴＴＩに続くＵＬバーストの長さを示すために使用され得るＰＵＦＩＣＨを含み得る。
【００３１】
[0067]追加又は代替として、ダウンリンク可変長送信時間間隔（ＴＴＩ）に対するハイブリッド自動再送要求（ＨＡＲＱ）フィードバックを含む、フィードバックのための技法が記載される。ユーザ機器（ＵＥ）は、連続するダウンリンクＴＴＩ内で幾つかのトランスポートブロック（ＴＢ）を受信することができる。ＵＥは、ＴＢの各々に対するＨＡＲＱフィードバックを決定することができ、ＵＥは、後続のアップリンクＴＴＩ内の各ＴＢに対するフィードバックを送信することができる。従って、ＵＥは、単一のアップリンクＴＴＩ内で、幾つかのダウンリンクＴＴＩの間に受信されたＴＢごとに、肯定応答（ＡＣＫ）又は否定ＡＣＫ（ＮＡＣＫ）を有するフィードバックのブロックを送信することができる。幾つかの例では、幾つかのＵＥは、共通アップリンクＴＴＩの間にフィードバックを同時に送信することができる。従って、ＨＡＲＱタイミングは動的に調整されたダウンリンクバーストに追従するように動的に調整され得るので、ＵＥと基地局との間の通信は、固定ＨＡＲＱタイムラインと比較して待ち時間を低減することができる。
【００３２】
[0068]加えて、幾つかの例では、アップリンクＨＡＲＱフィードバック（例えば、アップリンク送信に対するフィードバック）は、完全に回避され得る。例えば、ＵＥは、後続の許可に基づいて、アップリンク送信が受信に成功したかどうかを決定することができる。基地局は追加のＡＣＫ送信又はＮＡＣＫ送信の必要なしにフィードバックを提供することができるので、これにより、待ち時間が更に低減され得る。
【００３３】
[0069]以下の説明は例を与えるものであり、特許請求の範囲に記載される範囲、適用可能性又は例を限定するものではない。本開示の範囲から逸脱することなく、説明される要素の機能及び構成において、変更が行なわれ得る。様々な例は、適宜、様々な手順又は構成要素を省略、置換又は追加し得る。例えば、記載される方法は、記載される順序とは異なる順序で実施され得、様々なステップが追加され、省略され、又は組み合わされ得る。また、幾つかの例に関して記載される特徴は、他の例において組み合わされ得る。
【００３４】
[0070]図１は、本開示の様々な態様による、ワイヤレス通信システム１００の一例を示す。システム１００は、基地局１０５と、ＵＥ１１５と、コアネットワーク１３０とを含む。コアネットワーク１３０は、ユーザ認証と、アクセス認可と、トラッキングと、インターネットプロトコル（ＩＰ）接続性と、他のアクセス、ルーティング又はモビリティ機能とを提供することができる。基地局１０５は、バックホールリンク１３２（例えば、Ｓ１など）を介してコアネットワーク１３０とインターフェースする。基地局１０５は、ＵＥ１１５との通信のための無線構成とスケジューリングとを実施することができるか、又は基地局コントローラ（図示せず）の制御下で動作することができる。様々な例では、基地局１０５は、有線又はワイヤレスの通信リンクであり得るバックホールリンク１３４（例えば、Ｘ１など）を介して互いと直接的又は間接的に（例えば、コアネットワーク１３０を介して）通信することができる。
【００３５】
[0071]基地局１０５は、１つ又は複数の基地局アンテナを介してＵＥ１１５とワイヤレスに通信することができる。基地局１０５の各々は、それぞれの地理的カバレージエリア１１０に通信カバレージを提供することができる。幾つかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ又は他の何らかの適切な用語で呼ばれ得る。基地局１０５のための地理的カバレージエリア１１０は、カバレージエリアの一部分のみを構成するセクタに分割され得る（図示せず）。ワイヤレス通信システム１００は、様々なタイプ（例えば、マクロ基地局又はスモールセル基地局）の基地局１０５を含み得る。様々な技術向けの重複する地理的カバレージエリア１１０が存在し得る。各基地局１０５は、各ＵＥの特定の待ち時間要件に基づいて選択され得る幾つかの多重化方式のうちの１つに従って、ＵＥ向けのＤＬデータを多重化することができる。
【００３６】
[0072]幾つかの例では、ワイヤレス通信システム１００の少なくとも一部分は、可変長（即ち、可変）ＴＴＩを使用して動作するように構成され得、可変長ＴＴＩ内で、ダウンリンクＴＴＩ及びアップリンクＴＴＩは、特定の時点に特定のトラフィックニーズに動的に適応するために柔軟性を与えるように動的に調整され得る。ＵＥ１１５は、可変ダウンリンクＴＴＩの間に受信されたＴＢに対するフィードバックを決定することができ、ＵＥ１１５は、後続のＴＴＩの間に決定されたフィードバックを送信することができる。フィードバック送信は、ダウンリンクＴＴＩの間に受信された許可によってスケジュールされ得るか、又はフィードバックは、許可にかかわらずダウンリンクＴＴＩに続く第１のアップリンクＴＴＩ内で送られ得る。幾つかのＵＥ１１５からのフィードバックは、共通アップリンクＴＴＩ内で多重化され、基地局１０５によって受信され得る。追加又は代替として、基地局１０５は、許可されると、ＡＣＫ送信又はＮＡＣＫ送信の必要なしに、ＵＥ１１５にフィードバックを示すことができる。
【００３７】
[0073]幾つかの例では、ワイヤレス通信システム１００は、ロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、一般に、基地局１０５を記述するために使用され得る。ワイヤレス通信システム１００は、異なるタイプのｅＮＢが様々な地理的領域にカバレージを提供する異種ＬＴＥ／ＬＴＥ−Ａネットワークであり得る。例えば、各々のｅＮＢ又は基地局１０５は、マクロセル、スモールセル又は他のタイプのセルに通信カバレージを提供することができる。「セル」という用語は、状況に応じて、基地局、基地局に関連付けられたキャリア若しくはコンポーネントキャリア又はキャリア若しくは基地局のカバレージエリア（例えば、セクタなど）を記述するために使用され得る３ＧＰＰ（登録商標）用語である。
【００３８】
[0074]マクロセルは、一般に、比較的大きい地理的エリア（例えば、半径数キロメートル）をカバーし、ネットワークプロバイダのサービスに加入しているＵＥ１１５による無制限アクセスを可能にすることができる。スモールセルは、マクロセルと比較して、マクロセルと同じか、又は異なる（例えば、認可、無認可などの）周波数帯域内で動作することができる低電力基地局である。スモールセルは、様々な例によれば、ピコセルと、フェムトセルと、マイクロセルとを含み得る。ピコセルは、例えば、小さい地理的エリアをカバーすることができ、ネットワークプロバイダのサービスに加入しているＵＥ１１５による無制限アクセスを可能にすることができる。フェムトセルも、小さい地理的エリア（例えば、自宅）をカバーすることができ、フェムトセルとの関連を有するＵＥ１１５（例えば、限定加入者グループ（ＣＳＧ）内のＵＥ１１５、自宅内のユーザのためのＵＥ１１５など）による制限付きアクセスを提供することができる。マクロセルのためのｅＮＢは、マクロｅＮＢと呼ばれ得る。スモールセルのためのｅＮＢは、スモールセルｅＮＢ、ピコｅＮＢ、フェムトｅＮＢ又はホームｅＮＢと呼ばれ得る。ｅＮＢは、１つ又は複数の（例えば、２つ、３つ、４つなどの）セル（例えば、コンポーネントキャリア）をサポートすることができる。
【００３９】
[0075]ワイヤレス通信システム１００は、同期動作又は非同期動作をサポートすることができる。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合され得ない。本明細書に記載された技法は、同期動作又は非同期動作のいずれかに使用され得る。
【００４０】
[0076]様々な開示された例の幾つかに適応することができる通信ネットワークは、階層化プロトコルスタックに従って動作するパケットベースネットワークであり得る。ユーザプレーンでは、ベアラ又はパケットデータコンバージェンスプロトコル（ＰＤＣＰ）レイヤにおける通信は、ＩＰベースであり得る。無線リンク制御（ＲＬＣ）レイヤは、論理チャネル上で通信するためにパケットのセグメンテーション及びリアセンブリを実施することができる。媒体アクセス制御（ＭＡＣ）レイヤは、優先処理と、トランスポートチャネルへの論理チャネルの多重化とを実施することができる。ＭＡＣレイヤは、ＭＡＣレイヤでの再送信を実現してリンク効率を改善するために、ＨＡＲＱを使用することもできる。制御プレーンでは、無線リソース制御（ＲＲＣ）プロトコルレイヤは、ＵＥ１１５と基地局１０５との間のＲＲＣ接続の確立と構成と維持とを実現することができる。ＲＲＣプロトコルレイヤは、また、ユーザプレーンデータのための無線ベアラのコアネットワーク１３０サポートのために使用され得る。物理（ＰＨＹ）レイヤにおいて、トランスポートチャネルは、物理チャネルにマッピングされ得る。
【００４１】
[0077]ＵＥ１１５は、ワイヤレス通信システム１００全体にわたって分散され得、各ＵＥ１１５は固定又はモバイルであり得る。ＵＥ１１５は、移動局、加入者局、モバイルユニット、加入者ユニット、ワイヤレスユニット、リモートユニット、モバイル機器、ワイヤレス機器、ワイヤレス通信機器、リモート機器、モバイル加入者局、アクセス端末、モバイル端末、ワイヤレス端末、リモート端末、ハンドセット、ユーザエージェント、モバイルクライアント、クライアント又は他の何らかの適切な用語を含むか、又は当業者によってそのように呼ばれ得る。ＵＥ１１５は、携帯電話、携帯情報端末（ＰＤＡ）、ワイヤレスモデム、ワイヤレス通信機器、ハンドヘルド機器、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局及びネットワーク機器と通信することが可能であり得る。
【００４２】
[0078]ワイヤレス通信システム１００内に示された通信リンク１２５は、ＵＥ１１５から基地局１０５へのアップリンク（ＵＬ）送信又は基地局１０５からＵＥ１１５へのＤＬ送信を含み得る。ＤＬ送信は順方向リンク送信と呼ばれ得、一方、ＵＬ送信は逆方向リンク送信と呼ばれ得る。各通信リンク１２５は１つ又は複数のキャリアを含み得、ここで、各キャリアは、上述された様々な無線技術に従って変調された複数のサブキャリア（例えば、様々な周波数の波形信号）からなる信号であり得る。各変調信号は、異なるサブキャリア上で送られ得、制御情報（例えば、基準信号、制御チャネルなど）、オーバーヘッド情報、ユーザデータなどを搬送することができる。
【００４３】
[0079]通信リンク１２５は、（例えば、対スペクトルリソースを使用する）周波数分割複信（ＦＤＤ）動作又は（例えば、不対スペクトルリソースを使用する）ＴＤＤ動作を使用して、双方向通信を送信することができる。ＦＤＤ（例えば、フレーム構造タイプ１）及びＴＤＤ（例えば、フレーム構造タイプ２）について、フレーム構造が定義され得る。ＵＥ１１５は、例えば、キャリアのＴＤＤ構成を識別することができ、ＵＥ１１５は、ＴＤＤキャリアの様々なＴＴＩの異なる多重化構成を示す異なる多重化フォーマット信号を受信することができる。
【００４４】
[0080]システム１００の幾つかの例では、基地局１０５又はＵＥ１１５は、アンテナダイバーシティ方式を利用して基地局１０５とＵＥ１１５との間の通信の品質及び信頼性を改善するための複数のアンテナを含み得る。追加又は代替として、基地局１０５又はＵＥ１１５は、マルチパス環境を利用して同じか又は異なるコード化データを搬送する複数の空間レイヤを送信することができる、多入力多出力（ＭＩＭＯ）技法を利用することができる。
【００４５】
[0081]ワイヤレス通信システム１００は、複数のセル又はキャリア上の動作、即ち、キャリアアグリゲーション（ＣＡ）又はマルチキャリア動作と呼ばれ得る機能をサポートすることができる。キャリアは、コンポーネントキャリア（ＣＣ）、レイヤ、チャネルなどと呼ばれ得る。「キャリア」、「コンポーネントキャリア」、「セル」及び「チャネル」という用語は、本明細書では互換的に使用され得る。ＵＥ１１５は、キャリアアグリゲーションのために、複数のＤＬ  ＣＣ及び１つ又は複数のＵＬ  ＣＣを用いて構成され得る。キャリアアグリゲーションは、ＦＤＤコンポーネントキャリアとＴＤＤコンポーネントキャリアの両方とともに使用され得る。「キャリア」及び「セル」という用語は、キャリアアグリゲーションとの関連で使用され得、それらは、また、単一のキャリア（又は対ＵＬ／ＤＬキャリアの単一のセット）を有するワイヤレス通信システム１００を参照し得る。例えば、「サービングセル」という用語は、キャリアアグリゲーションのコンテキストにおける１次セル若しくは２次セルのいずれか、又は非キャリアアグリゲーションのコンテキストにおいてＵＥ１１５をサービスする単一のセルを参照し得る。
【００４６】
[0082]キャリアは、（例えば、対スペクトルリソースを使用する）ＦＤＤ動作又は（例えば、不対スペクトルリソースを使用する）ＴＤＤ動作を使用して、双方向通信を送信することができる。様々なキャリア又はセルは、様々なフレーム構造（例えば、ＦＤＤ又はＴＤＤ）を用いて構成され得、キャリアの各ＴＴＩは、幾つかの異なる多重化構成のうちの１つを利用することができる。ＴＤＤフレーム構造の場合、各サブフレームは、ＵＬトラフィック又はＤＬトラフィックを搬送することができ、ＤＬ送信とＵＬ送信との間を切り替えるために特殊サブフレームが使用され得る。無線フレーム内でのＵＬサブフレーム及びＤＬサブフレームの割振りは、対称又は非対称であってよく、静的に決定されるか、又は半静的に再構成されてよい。特殊サブフレームは、ＤＬトラフィック又はＵＬトラフィックを搬送することができ、ＤＬトラフィックとＵＬトラフィックとの間のガード期間（ＧＰ）を含み得る。ＵＬトラフィックからＤＬトラフィックへの切替えは、特殊サブフレーム又はガード期間を使用せずに、ＵＥ１１５においてタイミングアドバンスを設定することによって達成され得る。フレーム期間（例えば、１０ｍｓ）又はフレーム期間の半分（例えば、５ｍｓ）に等しい切替えポイント周期性を有するＵＬ−ＤＬ構成もサポートされ得る。
【００４７】
[0083]例えば、ＴＤＤフレームは、１つ又は複数の特殊フレームを含み得、特殊フレーム間の期間は、フレームのためのＴＤＤのＤＬからＵＬへの切替えポイント周期性を決定することができる。ＴＤＤの使用は、対ＵＬ−ＤＬスペクトルリソースを必要としない柔軟な展開を提供する。幾つかのＴＤＤネットワーク展開では、ＵＬ通信とＤＬ通信との間で干渉（例えば、異なる基地局からのＵＬ通信とＤＬ通信との間の干渉、基地局及びＵＥからのＵＬ通信とＤＬ通信との間の干渉など）が引き起こされ得る。例えば、異なるＴＤＤ  ＵＬ−ＤＬ構成に従って重複するカバレージエリア内で異なる基地局１０５が異なるＵＥ１１５をサービスする場合、サービング基地局１０５からのＤＬ送信を受信し復号することを試みるＵＥ１１５は、他の近接して位置するＵＥ１１５からのＵＬ送信からの干渉に遭遇する可能性がある。
【００４８】
[0084]ＬＴＥ及び同様のシステムにおける時間間隔は、基本時間単位（例えば、サンプリング周期、Ｔs＝１／３０，７２０，０００秒）の倍数単位で表現され得る。時間リソースは、０から１０２３にわたるシステムフレーム番号（ＳＦＮ）によって識別され得る、１０ｍｓの長さの無線フレーム（Ｔf＝３０７２００・Ｔs）に従って編成され得る。各フレームは、０から９までの番号を付けられた１０個の１ｍｓサブフレームを含み得る。サブフレームは、更に２つの０．５ｍｓスロットに分割され得、その各々は、（各シンボルにプリペンドされたサイクリックプレフィックスの長さに応じて）６つ又は７つの変調シンボル期間を含んでいる。サイクリックプレフィックスを除いて、各シンボルは２０４８個のサンプル期間を含んでいる。場合によっては、サブフレームは、ＴＴＩとしても知られる最小のスケジューリング単位であり得る。他の場合、ＴＴＩは、サブフレームよりも短くなり得るか、又は（例えば、短いＴＴＩバースト内で、若しくは短いＴＴＩを使用する選択されたコンポーネントキャリア内で）動的に選択され得る。
【００４９】
[0085]ワイヤレス通信システム１００におけるデータは、論理チャネル、トランスポートチャネル及び物理レイヤチャネルに分割され得る。チャネルは、また、制御チャネル及びトラフィックチャネルに分類され得る。論理制御チャネルには、ページング情報用のページング制御チャネル（ＰＣＣＨ）、ブロードキャストシステム制御情報用のブロードキャスト制御チャネル（ＢＣＣＨ）、マルチメディアブロードキャストマルチキャストサービス（ＭＢＭＳ）スケジューリング及び制御情報を送信するためのマルチキャスト制御チャネル（ＭＣＣＨ）、専用制御情報を送信するための専用制御チャネル（ＤＣＣＨ）、ランダムアクセス情報用の共通制御チャネル（ＣＣＣＨ）、専用ＵＥデータ用の専用トラフィックチャネル（ＤＴＣＨ）、並びにマルチキャストデータ用のマルチキャストトラフィックチャネル（ＭＴＣＨ）が含まれ得る。ＤＬトランスポートチャネルには、ブロードキャスト情報用のブロードキャストチャネル（ＢＣＨ）、データ転送用のＤＬ共有チャネル（ＤＬ−ＳＣＨ）、ページング情報用のページングチャネル（ＰＣＨ）及びマルチキャスト送信用のマルチキャストチャネル（ＭＣＨ）が含まれ得る。
【００５０】
[0086]ＵＬトランスポートチャネルには、アクセス用のランダムアクセスチャネル（ＲＡＣＨ）及びデータ用のＵＬ共有チャネル（ＵＬ−ＳＣＨ）が含まれ得る。ＤＬ物理チャネルには、ブロードキャスト情報用の物理ブロードキャストチャネル（ＰＢＣＨ）、制御フォーマット情報用の物理制御フォーマットインジケータチャネル（ＰＣＦＩＣＨ）、制御及びスケジューリング情報用の物理ＤＬ制御チャネル（ＰＤＣＣＨ）、ＨＡＲＱ状態メッセージ用の物理ＨＡＲＱインジケータチャネル（ＰＨＩＣＨ）、ユーザデータ用の物理ＤＬ共有チャネル（ＰＤＳＣＨ）、並びにマルチキャストデータ用の物理マルチキャストチャネル（ＰＭＣＨ）が含まれ得る。ＵＬ物理チャネルには、アクセスメッセージ用の物理ランダムアクセスチャネル（ＰＲＡＣＨ）、制御データ用の物理ＵＬ制御チャネル（ＰＵＣＣＨ）及びユーザデータ用の物理ＵＬ共有チャネル（ＰＵＳＣＨ）が含まれ得る。
【００５１】
[0087]本開示によれば、ＤＬ  ＴＴＩ及びＵＬ  ＴＴＩの長さを示して様々な多重化構成を実現するために、更なるチャネルが使用され得る。例えば、物理ＤＬフォーマットインジケータチャネル（ＰＤＦＩＣＨ）はＤＬ  ＴＴＩの長さを示し得、物理ＵＬフォーマットインジケータチャネル（ＰＵＦＩＣＨ）はＵＬ  ＴＴＩの長さを示し得る。ＰＤＦＩＣＨ及びＰＵＦＩＣＨは、選択された多重化フォーマットを構成するために、（例えば、ＰＤＣＣＨ内の）リソース許可と連携して使用され得る。
【００５２】
[0088]ＰＤＣＣＨは、制御チャネル要素（ＣＣＥ）内でＤＬ制御情報（ＤＣＩ）を搬送することができ、ＣＣＥは、論理的に連続する９つのリソース要素グループ（ＲＥＧ）で構成し得、この場合、各ＲＥＧは４つのリソース要素（ＲＥ）を含む。ＤＣＩは、ＤＬスケジューリング割当て、ＵＬリソース許可、送信方式、ＵＬ電力制御、ＨＡＲＱ情報、変調及びコード化方式（ＭＣＳ）、並びに他の情報に関する情報を含む。
【００５３】
[0089]ＰＤＣＣＨは、複数のユーザに関連付けられたＤＣＩメッセージを搬送することができ、各ＵＥ１１５はそれ自体に向けられたＤＣＩメッセージを復号することができる。例えば、各ＵＥ１１５は、セル無線ネットワーク一時識別子（Ｃ−ＲＮＴＩ）を割り当てられ得、各ＤＣＩに添付された巡回冗長検査（ＣＲＣ）ビットは、Ｃ−ＲＮＴＩに基づいてスクランブルされ得る。ユーザ機器における電力消費量とオーバーヘッドとを低減するために、ＣＣＥロケーションの限られたセットが、特定のＵＥ１１５に関連付けられたＤＣＩに指定され得る。ＣＣＥが（例えば、１つ、２つ、４つ及び８つのＣＣＥのグループに）グループ化され得、ユーザ機器が関係するＤＣＩを発見することができるＣＣＥロケーションのセットが指定され得る。これらのＣＣＥは、探索空間として知られ得る。
【００５４】
[0090]探索空間は、共通のＣＣＥ領域又は探索空間及びＵＥ固有（専用）のＣＣＥ領域又は探索空間の２つの領域に区分化され得る。共通のＣＣＥ領域は、基地局１０５によってサービスされる全てのＵＥによって監視され得、ページング情報、システム情報、ランダムアクセス手順、多重化フォーマット情報などの情報を含み得る。ＵＥ固有の探索空間は、ユーザ固有の制御情報を含み得る。ＵＥ１１５は、その間にＤＣＩが検出されるまで探索空間がランダムに復号される、ブラインド復号として知られるプロセスを実施することにより、ＤＣＩを復号するように試みることができる。ブラインド復号中に、ユーザ機器は、そのＣ−ＲＮＴＩを使用して全ての潜在的なＤＣＩメッセージをデスクランブルすることを試み、ＣＲＣチェックを実施して試みが成功したかどうかを決定することができる。
【００５５】
[0091]本開示によれば、ＴＤＤシステム内の基地局１０５は、例えば、システム１００内のＵＥ１１５の待ち時間及び効率の考慮事項に基づいて、多重化構成を識別することができる。次いで、基地局１０５は、１つ又は複数のＰＤＣＣＨメッセージ、ＤＬ  ＴＴＩの長さを示すＰＤＦＩＣＨ及び後続のＵＬ  ＴＴＩの長さを示すＰＵＦＩＣＨの組合せを１つ又は複数のＵＥ１１５に送信することにより、多重化構成を実装することができる。待ち時間及び効率の考慮事項が変化した場合、基地局１０５は、例えば、ＰＵＦＩＣＨを使用してＵＬ  ＴＴＩの長さをゼロに設定すること、又はＰＤＣＣＨを介して同じＤＬ  ＴＴＩ内で複数のＵＥ１１５のリソースを割り当てることにより、新しい多重化構成を動的に選択することができる。
【００５６】
[0092]「コンポーネントキャリア」という用語は、キャリアアグリゲーション（ＣＡ）動作においてＵＥによって利用される複数のキャリアの各々を参照し得、システム帯域幅の他の部分とは別個であり得る。例えば、コンポーネントキャリアは、独立して、又は他のコンポーネントキャリアと組み合わせて利用されることが可能である、比較的狭い帯域幅のキャリアであり得る。各コンポーネントキャリアは、ＬＴＥ規格のリリース８又はリリース９に基づいて、隔離されたキャリアと同じ能力を実現することができる。複数のコンポーネントキャリアは、より大きい帯域幅と、例えば、より高いデータレートとを幾つかのＵＥ１１５に提供するために、アグリゲートされるか、又は同時に利用され得る。従って、個々のコンポーネントキャリアは、従来のＵＥ１１５（例えば、ＬＴＥリリース８又はリリース９を実装するＵＥ１１５）との後方互換性があり得るが、他のＵＥ１１５（例えば、リリース８／９後のＬＴＥバージョンを実装するＵＥ１１５）は、マルチキャリアモードにおいて複数のコンポーネントキャリアを用いて構成され得る。
【００５７】
[0093]ＤＬに使用されるキャリアはＤＬ  ＣＣと呼ばれ得、ＵＬに使用されるキャリアはＵＬ  ＣＣと呼ばれ得る。ＵＥ１１５は、キャリアアグリゲーションのために、複数のＤＬ  ＣＣ及び１つ又は複数のＵＬ  ＣＣを用いて構成され得る。各キャリアは、制御情報（例えば、基準信号、制御チャネルなど）、オーバーヘッド情報、データなどを送信するために使用され得る。ＵＥ１１５は、複数のキャリアを利用して単一の基地局１０５と通信することができ、様々なキャリア上で同時に複数の基地局と通信することもできる。基地局１０５の各セルは、ＵＬコンポーネントキャリア（ＣＣ）とＤＬ  ＣＣとを含み得る。基地局１０５用の各サービングセルのカバレージエリア１１０は異なるかもしれない（例えば、異なる周波数帯域上のＣＣは、異なる経路損失に遭遇するかもしれない）。
【００５８】
[0094]幾つかの例では、あるキャリアは、１次セル（ＰＣｅｌｌ）によってサービスされ得るＵＥ１１５のための、１次キャリア又は１次コンポーネントキャリア（ＰＣＣ）として指定される。１次セルは、ＵＥごとに上位レイヤ（例えば、無線リソース制御（ＲＲＣ）など）によって半静的に構成され得る。物理アップリンク制御チャネル（ＰＵＣＣＨ）上で送信されたある特定のアップリンク制御情報（ＵＣＩ）及びスケジューリング情報は、１次セルによって搬送される。追加のキャリアは、２次セル（ＳＣｅｌｌ）によってサービスされ得る、２次キャリア又は２次コンポーネントキャリア（ＳＣＣ）として指定され得る。２次セルは、同様に、ＵＥごとに半静的に構成され得る。場合によっては、２次セルは、１次セルと同じ制御情報を含まないか、又はそれを送信するように構成され得ない。幾つかの例では、下記に記載されるように、高度コンポーネントキャリア（ｅＣＣ）は、例えば、ＳＣｅｌｌとして構成され得る。ｅＣＣは、トラフィック状態に応じて動的に調整され得る可変ＴＴＩを利用することができる。
【００５９】
[0095]場合によっては、ＵＥ１１５は、二重接続動作において非理想バックホールリンク１３４によって接続される２つ以上の基地局１０５からのセルによってサービスされ得る。例えば、サービング基地局１０５の間の接続は、正確なタイミング調整を容易にするには十分ではない可能性がある。従って、場合によっては、ＵＥ１１５をサービスするセルは、複数のタイミング調整グループ（ＴＡＧ）に分割され得る。各ＴＡＧは、ＵＥ１１５が異なるＵＬキャリア向けに異なるようにＵＬ送信を同期することができるように、異なるタイミングオフセットに関連付けられ得る。
【００６０】
[0096]幾つかの例では、あるセルは認可スペクトルを利用することができ、一方、別のセルは無認可スペクトルを利用することができる。ｅＣＣは、例えば、無認可スペクトル用に構成され得る。概して、幾つかの管轄における無認可スペクトルは、６００メガヘルツ（ＭＨｚ）〜６ギガヘルツ（ＧＨｚ）の範囲であり得る。本明細書で使用する「無認可スペクトル」又は「共有スペクトル」という用語は、従って、それらの帯域の周波数にかかわらず、工業、科学及び医療（ＩＳＭ）無線帯域を参照し得る。幾つかの例では、無認可スペクトルは、５ＧＨｚ帯域又は５Ｇ帯域と呼ばれ得る、Ｕ−ＮＩＩ無線帯域である。対照的に、「認可スペクトル」又は「セルラースペクトル」という用語は、本明細書において、所管官庁からの管理ライセンスを受けたワイヤレスネットワーク事業者によって利用されるワイヤレススペクトルを指すために使用され得る。
【００６１】
[0097]図２は、本開示の様々な態様による、ＴＤＤシステム内のＤＬデータ用の柔軟な多重化動作のためのワイヤレス通信システム２００の一例を示す。ワイヤレス通信システム２００は、図１を参照して上述されたＵＥ１１５の一例であり得る、ＵＥ１１５−ａを含み得る。ワイヤレス通信システム２００は、図１を参照して上述された基地局１０５の一例であり得る、基地局１０５−ａを含み得る。基地局１０５−ａは、図１を参照して全体的に上述されたように、（同じ周波数範囲を利用することができるダウンリンク２０５とアップリンク２１０とを介して）そのカバレージエリア１１０−ａ内の任意のＵＥ１１５と通信することができる。
【００６２】
[0098]ワイヤレス通信システム２００は、アップリンク２１０とダウンリンク２０５の両方にＴＤＤを使用することができる（例えば、時分割方式でアップリンク２１０とダウンリンク２０５との間に周波数リソースが割り振られ得る）。例えば、基地局１０５−ａは、ＵＥ１１５−ａがＵＬ周波数リソースを割り振られていないＴＴＩ２１５の間にダウンリンク２０５上でデータを送ることができる。同様に、ＵＥ１１５−ａは、基地局１０５−ａがＤＬ送信用のいかなる周波数リソースも割り振られていないＴＴＩ２２０の間にアップリンク２１０上でデータを送信することができる。基地局１０５−ａは、トラフィックのタイプに応じて、ダウンリンク２０５上の個別のＴＴＩ用の多重化モードを柔軟及び動的に選び、制御チャネルを介してＵＥ１１５−ａに選ばれた多重化モードを信号伝達することができる。
【００６３】
[0099]例えば、基地局１０５−ａは、ＤＬバースト２２５内のＴＴＩ２１５用の多重化構成（例えば、周波数分割多重化）を決定することができる。加えて、基地局１０５−ａは、ＴＴＩ２１５の間に伝達され得るＤＬ制御チャネル上の多重化フォーマット信号を介して（例えば、ＰＤＦＩＣＨを介して）、ＵＥ１１５−ａにＴＴＩ２１５の多重化フォーマット（例えば、ＴＴＩの長さ）を信号伝達することができる。場合によっては、基地局１０５−ａは、ＵＬ制御チャネル（例えば、ＰＵＦＩＣＨ）上の多重化フォーマット信号を介して、ＴＴＩ２１５に続くアップリンク（ＵＬ）期間の長さを信号伝達することができる。このようにして、基地局１０５−ａは、ＤＬ制御チャネルとＵＬ制御チャネルとを介して、ＵＥ１１５−ａに多重化構成情報を伝達することができる。
【００６４】
[0100]基地局１０５−ａは、待ち時間及び効率の考慮事項に基づいて、多重化構成を識別することができる。次いで、基地局１０５−ａは、１つ又は複数のＰＤＣＣＨメッセージ、ＤＬ  ＴＴＩの長さを示すＰＤＦＩＣＨ及び後続のＵＬ  ＴＴＩの長さを示すＰＵＦＩＣＨの組合せをＵＥ１１５−ａに送信することにより、多重化構成を実装することができる。待ち時間及び効率の考慮事項が変化した場合、基地局１０５−ａは、例えば、ＰＵＦＩＣＨを使用してＵＬ  ＴＴＩの長さをゼロに設定すること、又はＰＤＣＣＨを介して同じＤＬ  ＴＴＩ内で複数のＵＥ１１５のリソースを割り当てることにより、新しい多重化構成を動的に選択することができる。
【００６５】
[0101]図３Ａは、本開示の様々な態様による、ＴＤＤシステム内のＤＬデータ用の柔軟な多重化動作のためのＴＤＤ  ＵＬ／ＤＬバースト構成３０１の一例を示す。ＴＤＤ  ＵＬ／ＤＬバースト構成３０１は、図１〜図２を参照して上述されたＴＤＤシステムと連携して使用される多重化フォーマットの態様を示し得る。
【００６６】
[0102]ＤＬバースト３０５−ａは、個々のＵＥ１１５に向けられた単一のＴＴＩ３１０−ａに割り振られたリソースを表し得る。ＤＬバースト３０５−ａは、第１のＵＥ１１５（図１及び図２）にデータリソース割当て（例えば、ＤＬ許可）を示すことができるＰＤＣＣＨ３１５−ａ、並びに第１のＵＥ１１５に割り当てられたデータを伝達することができるＰＤＳＣＨ３２０−ａなどの１つ又は複数の制御チャネルを含み得る。加えて、ＤＬバースト３０５−ａは、ＰＤＦＩＣＨ３２５−ａとＰＵＦＩＣＨ３３０−ａとを含み得る。幾つかの例では、ＰＤＦＩＣＨ３２５−ａはＵＥ１１５にＴＴＩ３１０−ａの長さを示し得、ＰＵＦＩＣＨ３３０−ａはＵＬバースト３３５−ａの長さを示し得る。ＰＵＦＩＣＨ３３０−ａを受信すると、ＵＥ１１５は、無線をＤＬ構成からＵＬ構成に切り替え、ＵＬバースト３３５−ａの間にＵＬメッセージを送信することができる。その後、ＰＵＦＩＣＨ３３０−ａ内で示されたＵＬバースト３３５−ａの長さに基づいて、ＵＥ１１５は、無線をＵＬ構成からＤＬ構成に切り替え、ＤＬバースト３０５−ｂを受信することができる。ＤＬバースト３０５−ｂは、ＴＴＩ３１０−ｂに割り振られたリソースを表すことができ、第２のＵＥ１１５へのデータリソース割当てを示すことができるＰＤＣＣＨ３１５−ｂと、第２のＵＥ１１５向けのデータを伝達することができるＰＤＳＣＨ３２０−ｂとを含み得る。加えて、ＤＬバースト３０５−ｂは、それぞれ、ＤＬ  ＴＴＩ３１０−ｂの長さとＵＬバースト３３５−ｂの長さとを示すことができる、ＰＤＦＩＣＨ３２５−ｂとＰＵＦＩＣＨ３３０−ｂとを含み得る。第１のＵＥ及び第２のＵＥは、同じＵＥ又は異なるＵＥであり得る。
【００６７】
[0103]このようにして、ＴＤＤ多重化方式では、基地局は各ＤＬバーストにおいて同じＵＥをサービスすることができる。ＴＤＤ方式は、即時ＡＣＫ／ＮＡＣＫ付き低遅延配信、並びにＴＤＭに類似するスケジューラ柔軟性を享受することができ、ＴＤＤ方式の効率は、場合によっては、頻繁なＤＬとアップリンク（ＵＬ）との切替えに起因して損害を被る可能性がある。
【００６８】
[0104]図３Ｂは、本開示の様々な態様による、ＴＤＤシステム内のＤＬデータ用の柔軟な多重化動作のためのＴＤＭ  ＵＬ／ＤＬバースト構成３０２の一例を示す。ＴＤＭ  ＵＬ／ＤＬバースト構成３０２は、図１〜図２を参照して上述されたＴＤＤシステムと連携して使用される多重化フォーマットの態様を示し得る。
【００６９】
[0105]ＤＬバースト３０５−ｃは、２つのＴＴＩ、ＴＴＩ３１０−ｃ及びＴＴＩ３１０−ｄに割り振られたリソースを表し得る。ＴＴＩ３１０−ｃの間に、ＰＤＣＣＨ３１５−ｃは、第１のＵＥ１１５用のデータリソース割当てを示し、（例えば、ＰＤＳＣＨ３２０−ｃ上で）第１のＵＥ１１５向けのデータを伝達することができる。加えて、ＴＴＩ３１０−ｃは、ＴＴＩ３１０−ｃの長さを示すことができるＰＤＦＩＣＨ３２５−ｃを含み得る。ＴＴＩ３１０−ｃがＴＴＩ３１０−ｄに隣接していることを信号伝達するために、ＰＵＦＩＣＨ３３０−ｃはゼロのＵＬ  ＴＴＩの長さを示し得る。言い換えれば、ＰＵＦＩＣＨ３３０−ｃは、ＵＥ１１５が直ちにＴＴＩ３１０−ｄを読み取ることに進み、ＰＤＦＩＣＨ３２５−ｄを受信してもよいことを、ＵＥ１１５に示すことができる。ＰＤＦＩＣＨ３２５−ｄはＤＬ  ＴＴＩ３１０−ｄの長さを示し得、ＰＵＦＩＣＨ３３０−ｄはＵＬバースト３３５−ｃの長さを示し得る。ＤＬ  ＴＴＩ３１０−ｄは、それぞれ、第２のＵＥ１１５用のデータリソース割当てとデータとを含み得る、ＰＤＣＣＨ３１５−ｄとＰＤＳＣＨ３２０−ｄとを含み得る。第１のＵＥ及び第２のＵＥは、同じＵＥ又は異なるＵＥであり得る。
【００７０】
[0106]このようにして、ＴＤＭ方式は、時分割方式で各ＤＬバーストにおいて基地局が複数のＵＥをサービスすることを可能にすることができる。加えて、ＴＤＭ方式は、データ配信における低遅延、並びにスケジューラ柔軟性を実現することができる（例えば、基地局は、第２のデータの可用性にかかわらず第１のデータの送信を開始することができる）。しかしながら、ＴＤＭ方式では、第１のデータに対するＡＣＫ／ＮＡＣＫは、第２のデータが終了するまで遅延される可能性がある。従って、ＴＤＭ方式は、場合によっては、待ち時間を増大させる可能性がある何らかのＡＣＫ／ＮＡＣＫ遅延を招くかもしれない。
【００７１】
[0107]図３Ｃは、本開示の様々な態様による、ＴＤＤシステム内のＤＬデータ用の柔軟な多重化動作のためのＦＤＭ  ＵＬ／ＤＬバースト構成３０３の一例を示す。ＦＤＭ  ＵＬ／ＤＬバースト構成３０３は、図１及び図２を参照して上述されたＴＤＤシステムと連携して使用される多重化フォーマットの態様を示し得る。
【００７２】
[0108]ＤＬバースト３０５−ｄは、ＴＴＩ３１０−ｅに割り振られたリソースを表すことができ、２つのＵＥ１１５向けのデータを伝達するように構成され得る。例えば、第１のＵＥ１１５向けのデータは周波数領域３４０を使用してＰＤＳＣＨ３２０−ｅによって伝達され得、第２のＵＥ１１５向けのデータは周波数領域３４５を使用してＰＤＳＣＨ３２０−ｅによって伝達され得る。第１のＵＥ１１５及び第２のＵＥ１１５にどのデータリソース（例えば、周波数領域）が割り当てられたかを示すために、ＴＴＩ３１０−ｅは、それぞれ、ＰＤＣＣＨ３１５−ｅとＰＤＣＣＨ３１５−ｆとを含み得る。ＴＴＩ３１０−ｅは、ＤＬ  ＴＴＩ３１０−ｅの長さを示すことができるＰＤＦＩＣＨ３２５−ｅと、ＵＬバースト３３５−ｄの長さを示すことができるＰＵＦＩＣＨ３３０−ｅとを含み得る。
【００７３】
[0109]このようにして、ＦＤＭ方式は、周波数分割方式で各ＤＬバーストにおいて基地局が複数のＵＥをサポートすることを可能にすることができるが、大きい待ち時間に遭遇する可能性がある（例えば、第１のデータは第２のデータと同じ時間に終了する可能性がある）。しかしながら、ＦＤＭは、場合によっては、低いＲＳオーバーヘッドと、周波数選択スケジューリングの容易さと、閉ループ空間多重化とを含む幾つかの理由で、ＴＤＤ及びＴＤＭよりも効率的であり得る。
【００７４】
[0110]図４は、本開示の様々な態様による、ＤＬデータ用の柔軟な多重化動作のためのプロセスフロー４００の一例を示す。プロセスフロー４００の説明の多くはＴＤＤシステムとの関連であるが、記載された技法のＦＤＤシステムを含む他のシステムへの適用可能性を当業者なら認識されよう。プロセスフロー４００は、図１を参照して上述されたＵＥ１１５の例であり得る、ＵＥ１１５−ｂとＵＥ１１５−ｃとを含み得る。プロセスフロー４００は、図１を参照して上述された基地局１０５の一例であり得る、基地局１０５−ｂを含み得る。加えて、プロセスフロー４００は、図１〜図３Ｃを参照して記載されたように、任意の基地局１０５とＵＥ１１５との間の双方向通信方式の一例であり得る。
【００７５】
[0111]ステップ４０５において、基地局１０５−ｂは、適切な多重化ｊ構成を決定するために使用され得る１つ又は複数のパラメータを識別することができる。例えば、基地局１０５−ｂは、ＵＥ１１５−ｂへの次のデータ送信のための目標待ち時間を識別することができる。目標待ち時間の識別は、トラフィックタイプ、送信用のデータ量、基地局１０５−ｂによってサポートされるＵＥ１１５の数又は他の要因に基づき得る。代替として、基地局１０５−ｂは、効率又はスケジューリング柔軟性の考慮事項に基づいて、異なる目標パラメータを識別することができる。次いで、基地局１０５−ｂは、識別されたパラメータに基づいて、多重化方式（例えば、基本的なＴＤＤ、ＴＤＭ又はＦＤＭ）を選択することができる。幾つかの例では、基地局１０５−ｂは、目標パラメータの組合せに基づいて、多重化方式を選択することができる。次いで、基地局１０５−ｂは、選ばれた多重化方式を使用してＤＬ  ＴＴＩを多重化することができる。場合によっては、ＵＥ１１５−ｂ及び基地局１０５−ｂは、通信リンクをＴＤＤ通信リンクとして識別することができ、多重化方式は、基礎をなすＴＤＤ構造に基づき得る。
【００７６】
[0112]ステップ４１０において、基地局１０５−ｂは、（例えば、ＰＤＣＣＨとＰＤＦＩＣＨとを介して）ダウンリンク許可と多重化フォーマット信号とを送信することができる（そして、ＵＥ１１５−ｂ及びＵＥ１１５−ｃは受信することができる）。幾つかの例では、ＰＤＦＩＣＨはブロードキャスト信号であり得、対応するＤＬ  ＴＴＩの長さを伝達し得る。他の例では、同じ情報を伝達するために、ＰＤＦＩＣＨ以外のチャネルが使用され得る。このようにして、ＵＥ１１５−ａは、キャリアのサービングセルから第１の多重化フォーマット信号（例えば、ＰＤＦＩＣＨ）を受信することができ、第１の多重化フォーマット信号は第１のＴＴＩの第１の多重化構成を示す。
【００７７】
[0113]ステップ４１５において、基地局１０５−ｂは、ＵＥ１１５−ｂ又はＵＥ１１５−ｃが受信するためのＤＬデータを送信することができる。ＤＬデータは、例えば、ＰＤＳＣＨ上で伝達され得、制御チャネル（例えば、ＰＤＣＣＨ）上で伝達されたリソース割当て情報を使用して、ＵＥ１１５−ｂ又はＵＥ１１５−ｃによって復号され得る。このようにして、ＵＥ１１５−ａは、第１のＴＴＩの間に第１の多重化構成に基づいて、サービングセルから第１のデータ送信を受信することができる。場合によっては、ＵＥ１１５−ａは、ＴＤＤキャリアの周波数トーンの一部分を使用してデータを受信することができ、ＵＥ１１５−ｃは、（例えば、基地局１０５−ｂがＦＤＭ構成を選択し、両方のＵＥ１１５にＤＬ許可を送った場合）キャリアの周波数トーンの別の部分を使用してデータを受信することができる。
【００７８】
[0114]ステップ４２０において、基地局１０５−ｂは、ＵＬ制御チャネル（例えば、ＰＵＦＩＣＨ）上で後続の多重化フォーマット信号を送信することができる（そして、ＵＥ１１５−ｂ及びＵＥ１１５−ｃは受信することができる）。ＰＵＦＩＣＨはブロードキャスト信号であり得、後続のＵＬバーストの長さを示し得る。このようにして、ＵＥ１１５−ｂは、第２のＴＴＩ（例えば、ＵＬ  ＴＴＩ）の第２の多重化構成を示す第２の多重化フォーマット信号をサービングセルから受信することができ、第２の多重化構成は第１の多重化構成とは異なり得る。幾つかの例では、第１のＴＴＩ及び第２のＴＴＩがＤＬ  ＴＴＩを表し、第３のＴＴＩが第１のＴＴＩと第２のＴＴＩとの間のＵＬ  ＴＴＩであるときなど、ＰＵＦＩＣＨは第３の多重化フォーマット信号と呼ばれ得る。即ち、後続のＰＤＦＩＣＨは、第２の多重化フォーマット信号と呼ばれ得る。
【００７９】
[0115]場合によっては、ＰＵＦＩＣＨはＵＬ  ＴＴＩの不在を示し得る。例えば、ＰＵＦＩＣＨは、（例えば、基地局１０５−ｂがＴＤＭ構成を選択した場合）サイズゼロのＵＬ  ＴＴＩを示し得る。次いで、ＵＥ１１５−ｂは無線構成を切り替え得ない。むしろ、ＵＥ１１５−ｂは、次のＤＬ送信（例えば、ＰＤＦＩＣＨ、ＰＤＣＣＨ又はＰＤＳＣＨ）を直ちに受信し得る。
【００８０】
[0116]ステップ４２５において、ＵＥ１１５−ｂは、（例えば、特殊サブフレーム切替え期間の間に）ＰＵＦＩＣＨに基づいて、無線をＤＬ構成からＵＬ構成に切り替えることができる。ステップ４３０において、ＵＥ１１５−ｂは、ＵＬバーストの示された長さの間に基地局１０５−ｂにＵＬデータを送信することができる。その後、ステップ４３５において、ＵＥ１１５−ｂは、無線をＵＬ構成からＤＬ構成に切り替えることができる。幾つかの例では、切替えはＰＵＦＩＣＨに基づき得る。
【００８１】
[0117]幾つかの例では、第１のＴＴＩの間にＵＥ１１５−ｃがいかなるＵＬ許可も受信しない場合、ＵＥ１１５−ｃは、ＰＵＦＩＣＨによって示された期間中、低電力モードに入ることができる。この期間中、ＵＥ１１５−ｃは、（即ち、ＵＥ１１５−ｃは何も送信することができないので）その無線をＵＬに切り替え、次いでＤＬに戻ることを行わずに、ＤＬ構成に留まることができる。
【００８２】
[0118]ステップ４４０において、基地局１０５−ｂは、図３Ａ、図３Ｂ及び図３Ｃを参照して上述されたように、異なる多重化構成を選択することができる。ステップ４４５において、基地局１０５−ｂは、更新された多重化構成に従って、１つ又は複数のＤＬ許可と多重化フォーマット信号とを送信することができる。例えば、第１のＰＵＦＩＣＨが第３の多重化フォーマット信号と呼ばれるときの場合、第２の多重化フォーマット信は、第２のＤＬバースト用の第２のＰＤＦＩＣＨであり得る。
【００８３】
[0119]基地局１０５−ｂがＴＤＤ構成又はＴＤＭ構成を選択すると、図３Ａ及び図３Ｂを参照して上述されたように、第２のＤＬ  ＴＴＩが異なるＵＥ１１５に向けられ得る。ステップ４５０において、又はリソースが異なるＵＥ１１５に割り振られる場合の任意のＤＬ又はＵＬ  ＴＴＩの間（即ち、ＰＤＣＣＨがＵＥ１１５−ｂに向けられないとき）に、ＵＥ１１５−ｂは、多重化フォーマット信号（例えば、ＤＬ  ＴＴＩ用のＰＤＦＩＣＨ又はＵＬ  ＴＴＩ用のＰＵＦＩＣＨ）に基づく時間期間の間、低電力状態に入ることができる。ステップ４５５において、ＵＥ１１５−ｃは、ステップ４４５においてＰＤＣＣＨを介してＤＬ許可を受信することに基づいて、ＤＬデータを受信することができる。
【００８４】
[0120]ステップ４６０において、ＵＥ１１５−ｂ及びＵＥ１１５−ｃは、第４のＴＴＩの長さを示す第４の多重化フォーマット信号（即ち、第２のＰＵＦＩＣＨ）を受信することができ、第４のＴＴＩは第２のＴＴＩに続くＵＬ  ＴＴＩである。
【００８５】
[0121]図５は、本開示の様々な態様による、ＤＬデータ用の柔軟な多重化動作のために構成されたＵＥ１１５−ｄのブロック図５００を示す。ＵＥ１１５−ｄは、図１〜図４を参照して記載されたＵＥ１１５の態様の一例であり得る。ＵＥ１１５−ｄは、受信機５０５、柔軟な多重化モジュール５１０又は送信機５１５を含み得る。ＵＥ１１５−ｄは、プロセッサを含み得る。これらの構成要素の各々は、互いと通信し得る。
【００８６】
[0122]受信機５０５は、パケット、ユーザデータ又は様々な情報チャネルに関連付けられた制御情報（例えば、制御チャネル、データチャネル及びＴＤＤシステム内のＤＬデータ用の柔軟な多重化動作に関係する情報など）などの情報を受信することができる。情報は、柔軟な多重化モジュール５１０に、及びＵＥ１１５−ｄの他の構成要素に渡され得る。幾つかの例では、受信機５０５は、第１のＴＴＩの間に第１の多重化構成に基づいて、サービングセルから第１の多重化フォーマット信号と第１のデータ送信とを受信することができる。受信機５０５は、幾つかの例では、第１のＴＴＩ長及び第３のＴＴＩ長に少なくとも部分的に基づいて、サービングセルから第２の多重化フォーマット信号を受信することができる。
【００８７】
[0123]追加又は代替として、受信機５０５は、第２の多重化構成及び第２のＤＬ許可に基づいて、サービングセルから第２のデータ送信を受信することができる。受信機５０５は、ダウンリンクＴＴＩの間などのダウンリンクＴＴＩの継続時間の指示を受信することができる。受信機５０５は、ダウンリンクＴＴＩに続くアップリンクＴＴＩの継続時間の指示を受信することができる。アップリンクＴＴＩの継続時間の指示は、ダウンリンクＴＴＩの間に受信され得る。受信機５０５は、図８を参照して記載されるトランシーバ８３５の態様の例を表すこともできる。
【００８８】
[0124]柔軟な多重化モジュール５１０は、キャリアのＴＤＤ構成を識別し、キャリアのサービングセルから第１の多重化フォーマット信号を受信することができ、第１の多重化フォーマット信号は第１のＴＴＩの第１の多重化構成を示す。場合によっては、柔軟な多重化モジュール５１０は、ＴＤＤ構成キャリアのダウンリンクＴＴＩを識別し、ダウンリンクＴＴＩの間などのダウンリンクＴＴＩの継続時間の指示を受信し、ダウンリンクＴＴＩに続くアップリンクＴＴＩの継続時間の指示を受信し、ダウンリンクＴＴＩの指示及びアップリンクＴＴＩの指示に少なくとも部分的に基づいて通信することができる。アップリンクＴＴＩの継続時間の指示は、ダウンリンクＴＴＩの間に受信され得る。柔軟な多重化モジュール５１０は、受信機５０５と連携して、第１のＴＴＩの間に第１の多重化構成に基づいて、サービングセルから第１のデータ送信を受信することもでき、第２のＴＴＩの第２の多重化構成を示す第２の多重化フォーマット信号をサービングセルから受信することができ、第２の多重化構成は第１の多重化構成とは異なる。柔軟な多重化モジュール５１０は、図８を参照して記載されるプロセッサ８０５などのプロセッサの一態様であり得る。
【００８９】
[0125]送信機５１５は、ＵＥ１１５−ｄの他の構成要素から受信された信号を送信することができる。幾つかの実施形態では、送信機５１５は、トランシーバモジュール内で受信機５０５とコロケートされ得る。送信機５１５は単一のアンテナを含み得るか、又は送信機５１５は複数のアンテナを含み得る。幾つかの例では、送信機５１５は、第３のＴＴＩの間にサービングセルにメッセージを送信することができる。幾つかの例では、送信機５１５は、第４のＴＴＩの間にサービングセルにメッセージを送信することができる。送信機５１５は、第１の多重化構成に基づいて、第１のＴＴＩの間に第１のＵＥに、ＴＤＤキャリア上で第１のデータ送信を送信することもできる。送信機５１５は、図８を参照して記載されるトランシーバ８３５の態様を示し得る。
【００９０】
[0126]図６は、本開示の様々な態様による、ＤＬデータ用の柔軟な多重化動作のためのＵＥ１１５−ｅのブロック図６００を示す。ＵＥ１１５−ｅは、図１〜図５を参照して記載されたＵＥ１１５の態様の一例であり得る。ＵＥ１１５−ｅは、受信機５０５−ａ、柔軟な多重化モジュール５１０−ａ又は送信機５１５−ａを含み得る。ＵＥ１１５−ｅは、プロセッサを含み得る。柔軟な多重化モジュール５１０−ａは、図８を参照して記載されるプロセッサ８０５などのプロセッサの態様を示し得る。これらの構成要素の各々は、互いと通信し得る。柔軟な多重化モジュール５１０−ａは、ＴＤＤモジュール６０５と、ＰＤＦＩＣＨ／ＰＵＦＩＣＨモジュール６２０とを含み得る。これらの構成要素の各々は、図８を参照して記載されるプロセッサ８０５などのプロセッサの態様を示し得る。
【００９１】
[0127]受信機５０５−ａは、柔軟な多重化モジュール５１０−ａに、及びＵＥ１１５−ｅの他の構成要素に渡され得る情報を受信することができる。受信機５０５−ａは、図８を参照して記載されるトランシーバ８３５の態様を示し得る。柔軟な多重化モジュール５１０−ａは、図５を参照して上述された動作を実施することができる。送信機５１５−ａは、ＵＥ１１５−ｅの他の構成要素から受信された信号を送信することができる。送信機５１５−ａは、図８を参照して記載されるトランシーバ８３５の態様を示し得る。
【００９２】
[0128]ＴＤＤモジュール６０５は、図２〜図４を参照して上述されたように、キャリアのＴＤＤ構成を識別することができる。追加又は代替として、ＴＤＤモジュール６０５は、ＴＤＤ構成キャリアのダウンリンクＴＴＩを識別することができる。ＴＤＤモジュール６０５は、更に、ダウンリンクＴＴＩの指示及びアップリンクＴＴＩの指示に少なくとも部分的に基づいて、通信を調整することができる。
【００９３】
[0129]追加又は代替として、ＴＤＤモジュール６０５は、ダウンリンクＴＴＩの間にＴＢのセットを受信することができる。ダウンリンクＴＴＩは可変ＴＴＩを含み得る。ＴＤＤモジュール６０５は、ＴＢのセットの各ＴＢに対するＨＡＲＱフィードバックを決定することができる。セット内のＴＢの数は、ダウンリンクＴＴＩの継続時間に少なくとも部分的に基づき得る。ＴＤＤモジュール６０５は、送信機５１５−ａなどとともに、アップリンクＴＴＩの間にＴＢのセットの少なくとも１つのＴＢに対するＨＡＲＱフィードバックを送信することができる。幾つかの例では、各ＴＢは、ＴＢのサイズに基づき得る、幾つかのＣＢを含み得る。ＴＤＤモジュール６０５は、このようにして、幾つかのＣＢに対するＨＡＲＱフィードバックを決定することができる。ＴＤＤモジュール６０５−ａは、例えば、送信機５１５−ａと連携して、アップリンクＴＴＩの間に１つ又は幾つかのＣＢに対するＨＡＲＱフィードバックをこのように送信することができる。
【００９４】
[0130]ＰＤＦＩＣＨ／ＰＵＦＩＣＨモジュール６２０は、例えば、受信機５０５−ａと連携して、キャリアのサービングセルから第１の多重化フォーマット信号を受信することができ、第１の多重化フォーマット信号は、図２〜図４を参照して上述されたように、第１のＴＴＩの第１の多重化構成を示す。例えば、ＰＤＦＩＣＨ／ＰＵＦＩＣＨモジュール６２０は、ＰＤＦＩＣＨを受信し、ＰＤＦＩＣＨに基づいて第１の多重化構成を識別するように構成され得る。場合によっては、第１の多重化構成は、更に、ＤＬ許可に基づく。ＰＤＦＩＣＨ／ＰＵＦＩＣＨモジュール６２０は、ダウンリンクＴＴＩの間であり得るダウンリンクＴＴＩの継続時間の指示を受信又は識別することができる。ＰＤＦＩＣＨ／ＰＵＦＩＣＨモジュール６２０は、ダウンリンクＴＴＩに続くアップリンクＴＴＩの継続時間の指示を受信又は識別することができる。アップリンクＴＴＩの継続時間の指示は、ダウンリンクＴＴＩの間に受信され得る。場合によっては、アップリンクＴＴＩの継続時間の指示は、アップリンクＴＴＩの継続時間がゼロであることを示し得る。ダウンリンクＴＴＩの継続時間及び後続のダウンリンクＴＴＩの継続時間は、ＴＤＤ構成キャリアのリソース上で時分割多重化されたダウンリンクバーストを形成することができる。
【００９５】
[0131]ＰＤＦＩＣＨ／ＰＵＦＩＣＨモジュール６２０は、例えば、受信機５０５−ａと連携して、第２のＴＴＩの第２の多重化構成を示す第２の多重化フォーマット信号をサービングセルから受信することができ、図２〜図４を参照して上述されたように、第２の多重化構成は第１の多重化構成とは異なり得る。第１の多重化構成は第１のＴＴＩ用の第１のＴＴＩ長を含み得、第２の多重化構成は第２のＴＴＩ用の第２のＴＴＩ長を含み得る。例えば、一実施形態では、ＰＤＦＩＣＨ／ＰＵＦＩＣＨモジュール６２０は、ＰＵＦＩＣＨを受信し、ＵＬ  ＴＴＩのＴＴＩ長を識別するように構成され得る。別の実施形態では、ＰＤＦＩＣＨ／ＰＵＦＩＣＨモジュール６２０は、第２のＰＤＦＩＣＨを受信し、第１の多重化構成とは異なるＤＬ  ＴＴＩ用の第２の多重化構成を識別することができる。第１の多重化構成及び第２の多重化構成は、各々、ＴＤＤカテゴリ、ＴＤＭカテゴリ及びＦＤＤカテゴリからなる多重化カテゴリグループから選択された多重化カテゴリに対応し得る。
【００９６】
[0132]幾つかの例では、個別のＰＤＦＩＣＨモジュール及びＰＵＦＩＣＨモジュールが利用され得、各々は、図６に示されたＰＤＦＩＣＨ／ＰＵＦＩＣＨモジュール６２０の様々な機能を実施することができる。個別のＰＤＦＩＣＨモジュール又はＰＵＦＩＣＨモジュールは、例えば、ＰＤＦＩＣＨ／ＰＵＦＩＣＨモジュール６２０を参照して上述された機能の一部又は全部を実施することができる。ＰＤＦＩＣＨ／ＰＵＦＩＣＨモジュール６２０は、このようにして、本明細書に記載されたようにＰＤＦＩＣＨを識別又は受信するためにＰＤＦＩＣＨモジュールを含み得、ＰＵＦＩＣＨモジュールは、本明細書に記載されたようにＰＵＦＩＣＨを識別又は受信することができる。
【００９７】
[0133]図７は、本開示の様々な態様による、ＤＬデータ用の柔軟な多重化動作のための柔軟な多重化モジュール５１０−ｂのブロック図７００を示す。柔軟な多重化モジュール５１０−ｂは、図５〜図６を参照して記載された柔軟な多重化モジュール５１０の態様の一例であり得る。柔軟な多重化モジュール５１０−ｂは、図８を参照して記載されるプロセッサ８０５などのプロセッサの態様を示し得る。柔軟な多重化モジュール５１０−ｂは、ＴＤＤモジュール６０５−ａと、ＰＤＦＩＣＨ／ＰＵＦＩＣＨモジュール６２０−ａとを含み得る。幾つかの例では、柔軟な多重化モジュール５１０−ｂは、ＰＤＦＩＣＨ／ＰＵＦＩＣＨモジュール６２０−ａを含む。これらのモジュールの各々は、図６を参照して上述された機能を実施することができる。柔軟な多重化モジュール５１０−ｂは、無線切替えモジュール７１０と、ＤＬ許可モジュール７１５とを含み得る。これらの構成要素の各々は、図８を参照して記載されるプロセッサ８０５などのプロセッサの態様を示し得る。
【００９８】
[0134]ＰＤＦＩＣＨ／ＰＵＦＩＣＨモジュール６２０−ａは、ＵＥ１１５（例えば、図６のＵＥ１１５−ｅ）の他のモジュールと連携して、第３のＴＴＩの第３のＴＴＩ長を示す第３の多重化フォーマット信号をサービングセルから受信することができ、図２〜図４を参照して上述されたように、第１のＴＴＩ及び第２のＴＴＩはＤＬ  ＴＴＩであり、第３のＴＴＩは第１のＴＴＩと第２のＴＴＩとの間のＵＬ  ＴＴＩである。このようにして、ＰＤＦＩＣＨ／ＰＵＦＩＣＨモジュール６２０−ａは、ＰＵＦＩＣＨを受信し、ＵＬ  ＴＴＩの長さを識別することができる。幾つかの例では、第３の多重化フォーマット信号は、第２のＴＴＩが第１のＴＴＩに隣接してもよいように、ＵＬ  ＴＴＩの不在を示す。ＰＤＦＩＣＨ／ＰＵＦＩＣＨモジュール６２０−ａは、他のモジュールと連携して、第４のＴＴＩの長さを示す第４の多重化フォーマット信号（例えば、第２のＰＵＦＩＣＨ）を受信することもでき、第４のＴＴＩは第２のＴＴＩに続くＵＬ  ＴＴＩである。幾つかの例では、ＰＤＦＩＣＨ／ＰＵＦＩＣＨモジュール６２０−ａは、ＰＤＦＩＣＨ／ＰＵＦＩＣＨモジュール６２０−ａのサブモジュールである。代替として、ＰＤＦＩＣＨ／ＰＵＦＩＣＨモジュール６２０−ａは、ＰＤＦＩＣＨ／ＰＵＦＩＣＨモジュール６２０−ａを参照して記載された機能の全てを実施することができる。
【００９９】
[0135]無線切替えモジュール７１０は、図２〜図４を参照して上述されたように、第１の多重化フォーマット信号及び第３の多重化フォーマット信号に基づいて、無線をＤＬ構成からＵＬ構成に切り替えることができる。無線切替えモジュール７１０は、第３の多重化フォーマット信号に少なくとも部分的に基づいて、無線をＵＬ構成からＤＬ構成に切り替えることもできる。無線切替えモジュール７１０は、幾つかの例では、第２の多重化フォーマット信号及び第４の多重化フォーマット信号に基づいて、無線をＤＬ構成からＵＬ構成に切り替えることができる。無線切替えモジュール７１０は、第４の多重化フォーマット信号に少なくとも部分的に基づいて、無線をＵＬ構成からＤＬ構成に切り替えることもできる。
【０１００】
[0136]ＤＬ許可モジュール７１５は、第１のＴＴＩの間（又は直後）にサービングセルからの第１のＤＬ許可を復号することができ、第１の送信を受信することは、図２〜図４を参照して上述されたように、第１のＤＬ許可に少なくとも部分的に基づく。ＤＬ許可モジュール７１５は、第２のＴＴＩの間（又は直後）にサービングセルからの第２のＤＬ許可を復号することもでき、第２のＴＴＩはＤＬ  ＴＴＩである。追加又は代替として、ＤＬ許可モジュール７１５は、ダウンリンクＴＴＩの間にダウンリンク許可を受信することができ、ダウンリンク許可はダウンリンクＴＴＩの間にリソースの第１のセットを割り当てることができる。ＤＬ許可モジュール７１５は、ダウンリンクＴＴＩの間にリソースの第２のセットを割り当てることができる、追加のダウンリンク許可を受信することができる。
【０１０１】
[0137]場合によっては、リソースの第１のセット及びリソースの第２のセットは、ダウンリンクＴＴＩの間に周波数分割多重化され得る。ＤＬ許可モジュール７１５は、ダウンリンクＴＴＩに続く後続のダウンリンクＴＴＩの継続時間の指示を受信することができる、後続のＴＴＩの継続時間の指示は、後続のダウンリンクＴＴＩの間に受信される。ＤＬ許可モジュール７１５は、後続のダウンリンクＴＴＩに続く後続のアップリンクＴＴＩの継続時間の指示を受信することができる。後続のアップリンクＴＴＩの継続時間の指示は、後続のダウンリンクＴＴＩの間に受信され得る。ＤＬ許可モジュール７１５は、後続のダウンリンクＴＴＩの継続時間の指示又は後続のアップリンクＴＴＩの継続時間の指示に少なくとも部分的に基づいて、通信を容易にすることができる。
【０１０２】
[0138]ＵＥ１１５−ｄ、ＵＥ１１５−ｅ又は柔軟な多重化モジュール５１０−ｂの構成要素は、適用可能な機能の一部又は全部をハードウェア内で実施するように適合された少なくとも１つの特定用途向け集積回路（ＡＳＩＣ）を用いて、個々に又はまとめて実装され得る。代替として、それらの機能は、１つ又は複数の他の処理ユニット（又はコア）によって、少なくとも１つのＩＣ上で実施され得る。他の実施形態では、当技術分野で知られている任意の方式でプログラムされ得る他のタイプの集積回路（例えば、構造化／プラットフォームＡＳＩＣ、フィールドプログラマブルゲートアレイ（ＦＰＧＡ）又は別のセミカスタムＩＣ）が使用され得る。各ユニットの機能は、また、全体的又は部分的に、１つ又は複数の汎用プロセッサ又は特定用途向けプロセッサによって実行されるようにフォーマットされた、メモリに組み込まれた命令を用いて実施され得る。
【０１０３】
[0139]ＵＥ１１５−ｄ及びＵＥ１１５−ｅの説明の多くはＴＤＤシステムとの関連であるが、記載された技法のＦＤＤシステムを含む他のシステムへの適用可能性を当業者なら認識されよう。
【０１０４】
[0140]図８は、本開示の様々な態様による、ＤＬデータ用の柔軟な多重化動作のために構成されたＵＥ１１５を含むシステム８００の図を示す。システム８００は、図１〜図７を参照して上述されたＵＥ１１５の一例であり得る、ＵＥ１１５−ｆを含み得る。ＵＥ１１５−ｆは、図５〜図７を参照して記載された柔軟な多重化モジュール５１０の一例であり得る、柔軟な多重化モジュール８１０を含み得る。ＵＥ１１５−ｆは、低電力モジュール８２５を含み得る。ＵＥ１１５−ｆは、通信を送信するための構成要素と通信を受信するための構成要素とを含む、双方向音声及びデータ通信のための構成要素を含み得る。例えば、ＵＥ１１５−ｆは、ＵＥ１１５−ｇ又は基地局１０５−ｃと双方向に通信することができる。
【０１０５】
[0141]低電力モジュール８２５は、（例えば、図２〜図４を参照して上述されたように、第１のＴＴＩの間にＵＥ向けのＤＬ許可の不在を識別することに基づいて）低電力動作用のＵＥ１１５−ｆの構成要素を構成することができる。低電力モジュール８２５は、第３の多重化フォーマット信号（例えば、ＰＵＦＩＣＨ）及びＵＬ許可の不在に基づいて、第３のＴＴＩの間にＵＥ１１５−ｆに低電力状態に入らせることができる。低電力モジュール８２５は、第２のＴＴＩの間にＵＥ向けのＤＬ許可の不在を識別し、第２の多重化フォーマット信号（例えば、ＰＤＦＩＣＨ）又はＤＬ許可の不在に基づいて、第２のＴＴＩの間にＵＥ１１５−ｆに低電力状態に入らせることもできる。
【０１０６】
[0142]ＵＥ１１５−ｆは、また、プロセッサ８０５と、（ソフトウェア（ＳＷ）８２０を含む）メモリ８１５と、トランシーバ８３５と、１つ又は複数のアンテナ８４０とを含み得、それらの各々は、（例えば、バス８４５を介して）互いに直接的又は間接的に通信することができる。トランシーバ８３５は、上述されたように、アンテナ８４０又は有線リンク若しくはワイヤレスリンクを介して、１つ又は複数のネットワークと双方向に通信することができる。例えば、トランシーバ８３５は、基地局１０５又は別のＵＥ１１５と双方向に通信することができる。トランシーバ８３５は、パケットを変調し、変調パケットを送信用にアンテナ８４０に供給し、アンテナ８４０から受信されたパケットを復調するためにモデムを含み得る。ＵＥ１１５−ｆは単一のアンテナ８４０を含み得るが、ＵＥ１１５−ｆは、また、複数のワイヤレス送信を同時に送信又は受信することが可能な複数のアンテナ８４０を有し得る。
【０１０７】
[0143]メモリ８１５は、ランダムアクセスメモリ（ＲＡＭ）と読取り専用メモリ（ＲＯＭ）とを含み得る。メモリ８１５は、実行されると、本明細書に記載された様々な機能（例えば、ＴＤＤシステム内のＤＬデータ用の柔軟な多重化動作など）をプロセッサ８０５に実施させる命令を含む、コンピュータ可読、コンピュータ実行可能ソフトウェア／ファームウェアコード８２０を記憶することができる。代替として、ソフトウェア／ファームウェアコード８２０は、プロセッサ８０５によって直接実行可能となり得ないが、（例えば、コンパイルされ実行されると）本明細書に記載された機能をコンピュータに実施させることができる。プロセッサ８０５は、インテリジェントなハードウェア機器（例えば、中央処理装置（ＣＰＵ）、マイクロコントローラ、ＡＳＩＣなど）を含み得る。
【０１０８】
[0144]図９は、本開示の様々な態様による、ＤＬデータ用の柔軟な多重化動作のために構成された基地局１０５−ｄのブロック図９００を示す。基地局１０５−ｄは、図１〜図８を参照して記載された基地局１０５の態様の一例であり得る。基地局１０５−ｄは、受信機９０５、基地局の柔軟な多重化モジュール９１０又は送信機９１５を含み得る。基地局１０５−ｄは、プロセッサを含み得る。これらの構成要素の各々は、互いと通信し得る。
【０１０９】
[0145]受信機９０５は、パケット、ユーザデータ又は様々な情報チャネルに関連付けられた制御情報（例えば、制御チャネル、データチャネル及びＴＤＤシステム内のＤＬデータ用の柔軟な多重化動作に関係する情報など）などの情報を受信することができる。情報は、基地局の柔軟な多重化モジュール９１０に、及び基地局１０５−ｄの他の構成要素に渡され得る。受信機９０５は、図１２を参照して記載されるトランシーバ１２３５の態様を示し得る。
【０１１０】
[0146]基地局の柔軟な多重化モジュール９１０は、ＴＤＤキャリアを構成することができる。幾つかの例では、基地局の柔軟な多重化モジュール９１０は、多重化構成を選択することと、送信機９１５と連携して、ＴＤＤキャリア上で第１の多重化フォーマット信号を送信することと、第１の多重化フォーマット信号が第１のＴＴＩの第１の多重化構成を示す、第１の多重化構成に基づいて第１のＴＴＩの間に第１のＵＥにＴＤＤキャリア上で第１のデータ送信を送信することと、ＴＤＤキャリア上で第２の多重化フォーマット信号を送信することとを行うこともでき、第２の多重化フォーマット信号は第２のＴＴＩの第２の多重化構成を示す。図２〜図４を参照して上述されたように、第２の多重化構成は第１の多重化構成とは異なり得る。
【０１１１】
[0147]追加又は代替として、基地局の柔軟な多重化モジュール９１０は、送信機９１５などとともに、ダウンリンクＴＴＩの間などのダウンリンクＴＴＩの継続時間の指示を送信し、ダウンリンクＴＴＩに続くアップリンクＴＴＩの継続時間の指示を送信し、ダウンリンクＴＴＩの指示及びアップリンクＴＴＩの指示に少なくとも部分的に基づいて通信を容易にすることができる。アップリンクＴＴＩの継続時間の指示は、ダウンリンクＴＴＩの間に送信され得る。基地局の柔軟な多重化モジュール９１０は、図１２を参照して記載されるプロセッサ１２０５などのプロセッサの一態様であり得る。
【０１１２】
[0148]送信機９１５は、基地局１０５−ｄの他の構成要素から受信された信号を送信することができる。幾つかの実施形態では、送信機９１５は、トランシーバモジュール内で受信機９０５とコロケートされ得る。送信機９１５は単一のアンテナを含み得るか、又は送信機９１５は複数のアンテナを含み得る。幾つかの例では、送信機９１５は、第１の多重化構成に基づいて、第１のＴＴＩの間に第１のＵＥに、ＴＤＤキャリア上で第１のデータ送信を送信することができる。幾つかの例では、送信機９１５は、第２の多重化構成及び第２のＤＬ許可に基づいて、第２のＴＴＩの間に第２のＵＥに第２のデータ送信を送信することができる。送信機９１５は、周波数トーンの第２のセットを使用して第１のＴＴＩの間に第２のＵＥに第２のデータ送信を送信することもでき、第１のデータ送信は周波数トーンの第１のセットを利用する。送信機９１５は、図１２を参照して記載されるトランシーバ１２３５の態様を示し得る。
【０１１３】
[0149]図１０は、本開示の様々な態様による、ＤＬデータ用の柔軟な多重化動作のための基地局１０５−ｅのブロック図１０００を示す。基地局１０５−ｅは、図１〜図９を参照して記載された基地局１０５の態様の一例であり得る。基地局１０５−ｅは、受信機９０５−ａ、基地局の柔軟な多重化モジュール９１０−ａ又は送信機９１５−ａを含み得る。基地局１０５−ｅは、プロセッサを含み得る。これらの構成要素の各々は、互いと通信し得る。基地局の柔軟な多重化モジュール９１０−ａは、ＢＳ  ＴＤＤモジュール１００５と、ＢＳ  ＰＤＦＩＣＨ／ＰＵＦＩＣＨモジュール１０２０とを含み得る。これらの構成要素の各々は、図１２を参照して記載されるプロセッサ１２０５などのプロセッサの態様を示し得る。
【０１１４】
[0150]受信機９０５−ａは、基地局の柔軟な多重化モジュール９１０−ａに、及び基地局１０５−ｅの他の構成要素に渡され得る情報を受信することができる。受信機９０５−ａは、図１２を参照して記載されるトランシーバ１２３５の態様を示し得る。基地局の柔軟な多重化モジュール９１０−ａは、図９を参照して上述された動作を実施することができる。基地局の柔軟な多重化モジュール９１０−ａは、図１２を参照して記載されるプロセッサ１２０５などのプロセッサの一態様であり得る。送信機９１５−ａは、基地局１０５−ｅの他の構成要素から受信された信号を送信することができる。送信機９１５−ａは、図１２を参照して記載されるトランシーバ１２３５の態様を示し得る。
【０１１５】
[0151]ＢＳ  ＴＤＤモジュール１００５は、図２〜図４を参照して上述されたように、ＴＤＤキャリアを構成することができる。ＢＳ  ＴＤＤモジュール１００５は、更に、ダウンリンクＴＴＩの指示及びアップリンクＴＴＩの指示に少なくとも部分的に基づいて、通信を調整することができる。
【０１１６】
[0152]追加又は代替として、ＢＳ  ＴＤＤモジュール１００５は、例えば、送信機９１５−ａと連携して、ダウンリンクＴＴＩの間にＴＢのセットを送信することができる。ダウンリンクＴＴＩは可変ＴＴＩを含み得る。ＢＳ  ＴＤＤモジュール１００５は、ＴＢのセットの各ＴＢに対するＨＡＲＱフィードバックを決定する、又は受信することができる。セット内のＴＢの数は、ダウンリンクＴＴＩの継続時間に少なくとも部分的に基づき得る。ＢＳ  ＴＤＤモジュール１００５は、アップリンクＴＴＩの間にＴＢのセットの少なくとも１つのＴＢに対するＨＡＲＱフィードバックを受信することができる。
【０１１７】
[0153]ＢＳ  ＰＤＦＩＣＨ／ＰＵＦＩＣＨモジュール１０２０は、ＴＤＤキャリア上で第１の多重化フォーマット信号を送信することができ、第１の多重化フォーマット信号は、図２〜図４を参照して上述されたように、第１のＴＴＩの第１の多重化構成を示す。例えば、ＢＳ  ＰＤＦＩＣＨ／ＰＵＦＩＣＨモジュール１０２０は、待ち時間及び効率のパラメータに基づいて、ＴＤＤ多重化構成、ＴＤＭ多重化構成又はＦＤＭ多重化構成を選択するように構成され得る。次いで、ＢＳ  ＰＤＦＩＣＨ／ＰＵＦＩＣＨモジュール１０２０は、選択された第１の多重化構成に従って、ＤＬ許可とともに第１の多重化フォーマット信号（例えば、ＰＤＦＩＣＨ）を送信するように構成され得る。
【０１１８】
[0154]追加又は代替として、ＢＳ  ＰＤＦＩＣＨ／ＰＵＦＩＣＨモジュール１０２０は、ＴＤＤ構成キャリアのダウンリンクＴＴＩを識別するか、又はＴＤＤ構成キャリアのダウンリンクＴＴＩのインジケータを準備することができる。ＢＳ  ＰＤＦＩＣＨ／ＰＵＦＩＣＨモジュール１０２０は、ダウンリンクＴＴＩの間などのダウンリンクＴＴＩの継続時間の指示を送信又は識別することができる。ＢＳ  ＰＤＦＩＣＨ／ＰＵＦＩＣＨモジュール１０２０は、ダウンリンクＴＴＩに続くアップリンクＴＴＩの継続時間の指示を送信又は識別することができる。アップリンクＴＴＩの継続時間の指示は、ダウンリンクＴＴＩの間に送信され得る。場合によっては、アップリンクＴＴＩの継続時間の指示は、アップリンクＴＴＩの継続時間がゼロであることを示し得る。ダウンリンクＴＴＩの継続時間及び後続のダウンリンクＴＴＩの継続時間は、ＴＤＤ構成キャリアのリソース上で時分割多重化されたダウンリンクバーストを形成することができる。
【０１１９】
[0155]ＢＳ  ＰＤＦＩＣＨ／ＰＵＦＩＣＨモジュール１０２０は、ＴＤＤキャリア上で第２の多重化フォーマット信号を送信することができ、第２の多重化フォーマット信号は第２のＴＴＩの第２の多重化構成を示し、図２〜図４を参照して上述されたように、第２の多重化構成は第１の多重化構成とは異なる。幾つかの例では、第１の多重化構成は第１のＴＴＩ用の第１のＴＴＩ長を含み、第２の多重化構成は第２のＴＴＩ用の第２のＴＴＩ長を備える。第１の多重化構成及び第２の多重化構成は、各々、ＴＤＤカテゴリ、ＴＤＭカテゴリ及びＦＤＤカテゴリからなる多重化カテゴリグループから選択された多重化カテゴリに対応し得る。幾つかの実施形態では、ＢＳ  ＰＤＦＩＣＨ／ＰＵＦＩＣＨモジュール１０２０は、更新された待ち時間及び効率のパラメータに基づいて、第１の多重化構成とは異なる第２の多重化構成（例えば、ＴＤＤ、ＴＤＭ又はＦＤＭ）を選択するように構成され得る。次いで、ＢＳ  ＰＤＦＩＣＨ／ＰＵＦＩＣＨモジュール１０２０は、選択された第１の多重化構成に従って、ＤＬ許可又はＵＬ許可とともに第２の多重化フォーマット信号（例えば、ＰＤＦＩＣＨ又はＰＵＦＩＣＨ）を送信するように構成され得る。
【０１２０】
[0156]幾つかの例では、個別のＢＳ  ＰＤＦＩＣＨモジュール及びＢＳ  ＰＵＦＩＣＨモジュールが利用され得、各々は、図１０に示されたＢＳ  ＰＤＦＩＣＨ／ＰＵＦＩＣＨモジュール１０２０の様々な機能を実施することができる。個別のＢＳ  ＰＤＦＩＣＨモジュール又はＢＳ  ＰＵＦＩＣＨモジュールは、例えば、ＢＳ  ＰＤＦＩＣＨ／ＰＵＦＩＣＨモジュール１０２０を参照して上述された機能の一部又は全部を実施することができる。ＢＳ  ＰＤＦＩＣＨ／ＰＵＦＩＣＨモジュール１０２０は、このようにして、本明細書に記載されたようにＰＤＦＩＣＨを識別又は送信するためにＢＳ  ＰＤＦＩＣＨモジュールを含み得、ＢＳ  ＰＵＦＩＣＨモジュールは、本明細書に記載されたようにＰＵＦＩＣＨを識別又は送信することができる。
【０１２１】
[0157]図１１は、本開示の様々な態様による、ＤＬデータ用の柔軟な多重化動作のための基地局の柔軟な多重化モジュール９１０−ｂのブロック図１１００を示す。基地局の柔軟な多重化モジュール９１０−ｂは、図９〜図１０を参照して記載された基地局の柔軟な多重化モジュール９１０の態様の一例であり得る。基地局の柔軟な多重化モジュール９１０−ｂは、ＢＳ  ＴＤＤモジュール１００５−ａと、ＢＳ  ＰＤＦＩＣＨ／ＰＵＦＩＣＨモジュール１０２０−ａとを含み得る。幾つかの例では、基地局の柔軟な多重化モジュール９１０−ｂは、ＢＳ  ＰＤＦＩＣＨ／ＰＵＦＩＣＨモジュール１０２０−ａを含む。これらのモジュールの各々は、図１０を参照して上述された機能を実施することができる。基地局の柔軟な多重化モジュール９１０−ｂは、ＢＳ  ＤＬ許可モジュール１１１０を含み得る。
【０１２２】
[0158]ＢＳ  ＰＤＦＩＣＨ／ＰＵＦＩＣＨモジュール１０２０−ａは、他のモジュールと連携して、第３のＴＴＩの第３のＴＴＩ長を示す第３の多重化フォーマット信号を送信することができ、図２〜図４を参照して上述されたように、第１のＴＴＩ及び第２のＴＴＩはＤＬ  ＴＴＩであり、第３のＴＴＩは第１のＴＴＩと第２のＴＴＩとの間のＵＬ  ＴＴＩである。幾つかの例では、第３の多重化フォーマット信号は、第２のＴＴＩが第１のＴＴＩに隣接してもよいように、ＵＬ  ＴＴＩの不在を示す。ＢＳ  ＰＤＦＩＣＨ／ＰＵＦＩＣＨモジュール１０２０−ａは、第４のＴＴＩの第４のＴＴＩ長を示す第４の多重化フォーマット信号を送信することもでき、第４のＴＴＩは第２のＴＴＩに続くＵＬ  ＴＴＩである。幾つかの例では、ＢＳ  ＰＤＦＩＣＨ／ＰＵＦＩＣＨモジュール１０２０−ａは、ＢＳ  ＰＤＦＩＣＨ／ＰＵＦＩＣＨモジュール１０２０−ａのサブモジュールである。代替として、ＢＳ  ＰＤＦＩＣＨ／ＰＵＦＩＣＨモジュール１０２０−ａは、ＢＳ  ＰＤＦＩＣＨ／ＰＵＦＩＣＨモジュール１０２０−ａを参照して記載された機能の全てを実施することができる。
【０１２３】
[0159]ＢＳ  ＤＬ許可モジュール１１１０は、図２〜図４を参照して上述されたように、第２のＴＴＩの間に第２のＵＥに第２のＤＬ許可を送信することができる。ＢＳ  ＤＬ許可モジュール１１１０は、第１のＴＴＩの間に第１のＵＥに第１のＤＬ許可を送信することもできる。ＢＳ  ＤＬ許可モジュール１１１０は、第１のＴＴＩの間に第２のＵＥに第２のＤＬ許可を送信することもでき、第１のＤＬ許可は周波数トーンの第１のセットを示し、第２のＤＬ許可は周波数トーンの第２のセットを示す。
【０１２４】
[0160]追加又は代替として、ＢＳ  ＤＬ許可モジュール１１１０は、ダウンリンクＴＴＩの間にダウンリンク許可を送信することができ、ダウンリンク許可はダウンリンクＴＴＩの間にリソースの第１のセットを割り当てることができる。ＢＳ  ＤＬ許可モジュール１１１０は、ダウンリンクＴＴＩの間にリソースの第２のセットを割り当てることができる、追加のダウンリンク許可を送信することができる。場合によっては、リソースの第１のセット及びリソースの第２のセットは、ダウンリンクＴＴＩの間に周波数分割多重化され得る。ＢＳ  ＤＬ許可モジュール１１１０は、ダウンリンクＴＴＩに続く後続のダウンリンクＴＴＩの間に後続のダウンリンク許可を送信することができる。ＢＳ  ＤＬ許可モジュール１１１０は、後続のダウンリンクＴＴＩの間に後続のダウンリンクＴＴＩの継続時間の指示を送信することができる。ＢＳ  ＤＬ許可モジュール１１１０は、後続のダウンリンクＴＴＩに続く後続のアップリンクＴＴＩの継続時間の指示を送信することができる。後続のアップリンクＴＴＩの継続時間の指示は、後続のダウンリンクＴＴＩの間に送信され得る。ＢＳ  ＤＬ許可モジュール１１１０は、後続のダウンリンク許可、後続のダウンリンクＴＴＩの継続時間の指示又は後続のアップリンクＴＴＩの継続時間の指示に少なくとも部分的に基づいて、通信を容易にすることができる。
【０１２５】
[0161]基地局１０５−ｄ、基地局１０５−ｅ又は基地局の柔軟な多重化モジュール９１０−ｂの構成要素は、適用可能な機能の一部又は全部をハードウェア内で実施するように適合された少なくとも１つのＡＳＩＣを用いて、個々に又はまとめて実装され得る。代替として、それらの機能は、１つ又は複数の他の処理ユニット（又はコア）によって、少なくとも１つのＩＣ上で実施され得る。他の実施形態では、当技術分野で知られている任意の方式でプログラムされ得る他のタイプの集積回路（例えば、構造化／プラットフォームＡＳＩＣ、ＦＰＧＡ又は別のセミカスタムＩＣ）が使用され得る。各ユニットの機能は、また、全体的又は部分的に、１つ又は複数の汎用プロセッサ又は特定用途向けプロセッサによって実行されるようにフォーマットされた、メモリに組み込まれた命令を用いて実施され得る。基地局１０５−ｄ及び基地局１０５−ｅの説明の多くはＴＤＤシステムとの関連であるが、記載された技法のＦＤＤシステムを含む他のシステムへの適用可能性を当業者なら認識されよう。
【０１２６】
[0162]図１２は、本開示の様々な態様による、ＤＬデータ用の柔軟な多重化動作のために構成された基地局１０５を含むシステム１２００の図を示す。システム１２００は、図１〜図１１を参照して上述された基地局１０５の一例であり得る、基地局１０５−ｆを含み得る。基地局１０５−ｆは、図９〜図１１を参照して記載された基地局の柔軟な多重化モジュール９１０の一例であり得る、基地局の柔軟な多重化モジュール１２１０を含み得る。基地局１０５−ｆは、通信を送信するための構成要素と通信を受信するための構成要素とを含む、双方向音声及びデータ通信のための構成要素を含み得る。例えば、基地局１０５−ｆは、ＵＥ１１５−ｈ又はＵＥ１１５−ｉと双方向に通信することができる。
【０１２７】
[0163]場合によっては、基地局１０５−ｆは、１つ又は複数の有線バックホールリンクを有し得る。基地局１０５−ｆは、コアネットワーク１３０への有線バックホールリンク（例えば、Ｓ１インターフェースなど）を有し得る。基地局１０５−ｆは、基地局間バックホールリンク（例えば、Ｘ２インターフェース）を介して、基地局１０５−ｍ及び基地局１０５−ｎなどの他の基地局１０５と通信することもできる。基地局１０５の各々は、同じ又は異なるワイヤレス通信技術を使用して、ＵＥ１１５と通信することができる。場合によっては、基地局１０５−ｆは、基地局通信モジュール１２２５を利用して、１０５−ｍ又は１０５−ｎなどの他の基地局と通信することができる。追加又は代替として、基地局通信モジュール１２２５は、ＬＴＥ／ＬＴＥ−Ａワイヤレス通信ネットワーク技術内のＸ２インターフェースを提供して、基地局１０５のうちの幾つかの間の通信を実現することができる。幾つかの実施形態では、基地局１０５−ｆは、コアネットワーク１３０を介して他の基地局と通信することができる。場合によっては、基地局１０５−ｆは、ネットワーク通信モジュール１２３０を介してコアネットワーク１３０と通信することができる。
【０１２８】
[0164]基地局１０５−ｆは、プロセッサ１２０５と、（ソフトウェア（ＳＷ）１２２０を含む）メモリ１２１５と、トランシーバ１２３５と、アンテナ１２４０とを含み得、それらの各々は、（例えば、バスシステム１２４５を介して）直接的又は間接的に、互いと通信し得る。トランシーバ１２３５は、アンテナ１２４０を介して、マルチモード機器であり得るＵＥ１１５と双方向に通信するように構成され得る。トランシーバ１２３５（又は基地局１０５−ｆの他の構成要素）は、また、アンテナ１２４０を介して、１つ又は複数の他の基地局（図示せず）と双方向に通信するように構成され得る。トランシーバ１２３５は、パケットを変調し、変調パケットを送信用にアンテナ１２４０に供給し、アンテナ１２４０から受信されたパケットを復調するように構成されたモデムを含み得る。基地局１０５−ｆは、各々が１つ又は複数の関連するアンテナ１２４０を有する、複数のトランシーバ１２３５を含み得る。トランシーバモジュールは、図９の組み合わされた受信機９０５及び送信機９１５の一例であり得る。
【０１２９】
[0165]メモリ１２１５はＲＡＭとＲＯＭとを含み得る。メモリ１２１５は、実行されると、本明細書に記載された様々な機能（例えば、ＴＤＤシステム内のＤＬデータ用の柔軟な多重化動作、カバレージ増強技法を選択すること、呼処理、データベース管理、メッセージルーティングなど）をプロセッサモジュール１２１０に実施させるように構成された命令を含んでいる、コンピュータ可読、コンピュータ実行可能ソフトウェアコード１２２０を記憶することもできる。代替として、ソフトウェアコード１２２０は、プロセッサ１２０５によって直接実行可能となり得ないが、例えば、コンパイルされ、実行されると、本明細書に記載された機能をコンピュータに実施させるように構成され得る。プロセッサ１２０５は、インテリジェントハードウェア機器、例えば、ＣＰＵ、マイクロコントローラ、ＡＳＩＣなどを含み得る。プロセッサ１２０５は、エンコーダ、キュー処理モジュール、ベースバンドプロセッサ、無線ヘッドコントローラ、デジタル信号プロセッサ（ＤＳＰ）などの様々な専用プロセッサを含み得る。
【０１３０】
[0166]基地局通信モジュール１２２５は、他の基地局１０５との通信を管理することができる。通信管理モジュールは、他の基地局１０５と協働してＵＥ１１５との通信を制御するためのコントローラ又はスケジューラを含み得る。例えば、基地局通信モジュール１２２５は、ビームフォーミング又はジョイント送信などの様々な干渉軽減技法のためのＵＥ１１５への送信についてのスケジューリングを調整することができる。
【０１３１】
[0167]上記で説明されたように、様々な例は、可変ＴＴＩを利用する、図１のワイヤレス通信システム１００などのワイヤレス通信システムにおける通信を提供する。図１３は、本開示の態様による、図１のワイヤレス通信システム１００などのワイヤレス通信システムの様々なセルを使用して送信され得る、無線フレーム及び様々なサブフレームの一例を概念的に示すブロック図１３００である。図１３の無線フレームは、例えば、１つ又は複数の基地局１０５と１つ又は複数のＵＥ１１５との間で、図１を参照して記載されたワイヤレス通信システム１００の部分を使用して送信され得る。この例では、従来のＰＣｅｌｌ送信１３１０は、ダウンリンクサブフレーム１３２５と、特殊サブフレーム１３３０と、アップリンクサブフレーム１３３５とを含む１０個の１ｍｓサブフレームを含むＴＤＤフレームを含み得る。ダウンリンクサブフレーム１３２５、特殊サブフレーム１３３０及びアップリンクサブフレーム１３３５は、各１ｍｓサブフレーム内に１４個のシンボル１３６６を含み得る、確立されたＬＴＥ規格に従って定義されたサブフレーム構造を含み得る。幾つかの例では、ダウンリンクサブフレーム１３２５は、ダウンリンク直交周波数分割多重化（ＯＦＤＭ）シンボルを含み得、アップリンクサブフレームは、シングルキャリア周波数分割多重化（ＳＣ−ＦＤＭ）シンボルを含み得、特殊サブフレーム１３３０は、アップリンクＳＣ−ＦＤＭシンボルとダウンリンクＯＦＤＭシンボルの両方を含み得る。
【０１３２】
[0168]図１３の例では、ＳＣｅｌｌ送信１３２０は、従来のフレーム構造を、ダウンリンクシンボルとアップリンクシンボルとの間の動的切替え及び可変ＴＴＩ長を可能にするＴＤＤベースのフレーム構造と交換することができる、低遅延送信又はバーストモード送信を含み得る。図１３の例はＳＣｅｌｌ上の低遅延送信又はバーストモード送信を示すが、そのような送信構造並びに本明細書に記載された様々な技法及び原理は、従来のＬＴＥフレームの１つ又は複数のバーストモードサブフレーム内、他のＰＣｅｌｌ送信内、認可スペクトル又は無認可スペクトル内などの、他の送信に実装され得ることを理解されたい。図１３の例では、ＳＣｅｌｌはｅＣＣであり得るし、ｅＣＣ送信と呼ばれ得るＳＣｅｌｌ送信１３２０は、指定ダウンリンクシンボル１３４０及び指定アップリンクシンボル１３６０と、特定のトラフィックニーズに基づいてアップリンクシンボル又はダウンリンクシンボルとして割り振られ得る柔軟なシンブル１３４５とを含み得る。
【０１３３】
[0169]指定ダウンリンクシンボル１３４０及び指定アップリンクシンボル１３６０は、例えば、様々な無線リソース管理（ＲＲＭ）測定、同期、ＣＳＩフィードバック、ランダムアクセスチャネル（ＲＡＣＨ）及びスケジューリング要求（ＳＲ）通信を可能にするために提供され得る。指定ダウンリンクシンボル１３４０及び指定アップリンクシンボル１３６０は、図１の基地局１０５などの基地局によって構成され得、ＲＲＣ信号伝達、システム情報ブロック（ＳＩＢ）又は物理ダウンリンク制御チャネル（ＰＤＣＣＨ）信号伝達を介して、図１のＵＥ１１５などの１つ又は複数のＵＥに通信され得る。述べたように、柔軟なシンブル１３４５は、アップリンクシンボル又はダウンリンクシンボルに切り替えられ得、そのような構成の指示は、ＵＥ１１５に与えられたアップリンクリソース又はダウンリンクリソースの割振りにおいて、基地局によって提供され得る。そのような割振りに基づいて、ＵＥは、一定数のシンボル１３４０、１３４５、１３６０がＵＥと基地局との間の通信に割り振られ得ると決定することができる。
【０１３４】
[0170]そのようなシンボルの動的切替えでは、基地局及びＵＥは、無線フレーム全体についてアップリンクサブフレーム又はダウンリンクサブフレームの数に関して先読みする必要がないが、動的及び柔軟な方式で特定のリソース割振りを決定することができる。特定のＵＥに割り振られるリソースの数は、例えば、ＵＥと基地局との間で送信されるべきデータ量及びデータに関連付けられた待ち時間要件又はサービス品質（ＱｏＳ）要件に関して、決定され得る。幾つかの例では、シンボル１３４０、１３４５及び１３６０の各々は、従来のＯＦＤＭシンボル又は従来のＳＣ−ＦＤＭシンボル（例えば、シンボル１３６６）に比べて短縮されたシンボル持続時間を有し得、幾つかの例では、８．３３μｓの有用なシンボル持続時間と２．０３μｓのサイクリックプレフィックス持続時間とを含む、シンボル当たり１１．３６μｓのシンボル持続時間を有し得る。シンボル１３４０、１３４５及び１３６０は、従来のシンボルに比べて増大したサブキャリア用のトーン間隔を有し得、幾つかの例では、１２０ｋＨｚのトーン間隔を有し得、比較的広い帯域幅（例えば、８０ＭＨｚ）を利用し得る。
【０１３５】
[0171]そのような短縮されたシンボル持続時間及びダウンリンク通信とアップリンク通信との間の動的切替えは、短縮されたＡＣＫ／ＮＡＣＫターンアラウンド時間を可能にすることができ、従って、データの比較的低遅延の送信を実現することができる。幾つかの例では、遅延敏感データはＳＣｅｌｌ送信１３２０を使用して送信され得るが、遅延敏感ではない他のデータはＰＣｅｌｌ送信１３１０を使用して送信され得る。幾つかの例では、幾つかのシンボル１３４０、１３４５及び１３６０は、第１の時間期間（Ｔ1）１３６５の間に第１のＵＥに割り振られ得、第２の時間期間（Ｔ2）１３７０及び第３の時間期間（Ｔ3）１３７５の間に、第１のＵＥ又は１つ又は複数の他のＵＥに割り振られ得る。そのような時間期間１３６５、１３７０及び１３７５の長さは、例えば、ほんの数例を挙げれば、送信されるべきデータ量、データに関連付けられたＱｏＳ、データの遅延要件、存在する他のＵＥの数又はチャネル状態を含む様々な要因に従って決定され得る。
【０１３６】
[0172]次に図１４を参照すると、ｅＣＣ送信の一例を概念的に示すブロック１４００が説明される。図１４の例では、ｅＣＣ送信１４２０は、アップリンクシンボル又はダウンリンクシンボルとして割り振られた幾つかのシンボルを含み得る。そのようなｅＣＣ送信１４２０は、本開示の態様による、図１のワイヤレス通信システム１００などのワイヤレス通信システムの様々なセルを使用して送信され得る。幾つかの例では、ｅＣＣ送信１４２０は、図１３に関して上記で説明されたＳＣｅｌｌなどのＳＣｅｌｌ上で送信される。図１４の例では、第１の時間期間（Ｔ1）１４４０は、９個のシンボル１４３０のダウンリンク許可を含み得る。この例では、最初のダウンリンクシンボル１４３０は、次の時間期間（例えば、Ｔ1１４４０）用のリソース割振りを示すことができる制御情報１４３５を含み得る。
【０１３７】
[0173]幾つかの例では、制御情報１４３５は、後続のシンボル１４３０を含む、ＵＥへのリソースのダウンリンク許可を含み得る。この例では、制御情報１４３５の後続の送信は、８個のアップリンクシンボル１４４５のアップリンク許可を含み得る。ブランクシンボル１４５５は、ＵＥでの切替え用の時間を与えるために、ダウンリンクシンボル１４３０とアップリンクシンボル１４４５との間に含まれ得る。幾つかの例では、シンボル１４３０、１４４５のバンドルは基地局によってＵＥに割り振られ得、そのようなバンドルの長さは、制御情報（例えば、動的許可）１４３５によって制御される。あまり遅延敏感ではない幾つかの例では、効率を向上させるために比較的多数のシンボルが割り振られ得る。
【０１３８】
[0174]他の例では、データ送信が比較的遅延敏感である場合、ＡＣＫ／ＮＡＣＫターンアラウンド時間を短縮するために、特定のＵＥへの動的許可は比較的短くなり得る。図１５は、比較的短い許可の一例１５００を示す。この例では、ｅＣＣ送信１５２０は、１つ又は２つのシンボルのみのリソース割振りを含み得る。図１５のｅＣＣ送信１５２０は、本開示の態様による、図１のワイヤレス通信システム１００などのワイヤレス通信システムを使用して送信され得る。
【０１３９】
[0175]幾つかの例では、ｅＣＣ送信１５２０は、図１３及び図１４に関して上記で説明されたＳＣｅｌｌなどのＳＣｅｌｌ上で送信される。この例では、最初のダウンリンクシンボル１５２５内の制御情報１５３５は、１つのシンボル（例えば、ＴＴＩ＝１シンボル）のダウンリンク許可と、１つのシンボル（例えば、ＴＴＩ＝１シンボル）のアップリンク許可とを含み得る。様々な例では、アップリンク許可は、ブランクシンボル１５３０に適応し、アップリンクシンボル１５４０を送信するようにＵＥでの切替えを可能にするために、制御情報１５３５の受信から最小２シンボルで効力を発することができる。この例では、ｅＣＣ送信１５２０は、第２の制御情報１５５０の送信を含み、第２の制御情報１５５０は、この例では、２つのシンボル（例えば、ＴＴＩ＝２シンボル）向けのダウンリンク許可であり、第３の制御情報１５５５は、１つ又は複数のアップリンクシンボル１５４０のＴＴＩを有し得る後続のアップリンク許可を与える。時間期間又はＴＴＩ１５６０は２シンボルである。
【０１４０】
[0176]上述されたように、様々な例は、幾つかのダウンリンクＴＴＩ又は幾つかのＵＥに対するフィードバックが、単一のアップリンクＴＴＩの間に送信され得ることを提供する。図１６は、本開示の様々な態様による、可変ＴＴＩを利用するキャリアに対するフィードバックの一例１６００を示す。この例では、ダウンリンクｅＣＣ送信１６２０に対するフィードバックが、第１のアップリンクシンボル機会に送信され得る。図１６のｅＣＣ送信１６２０は、本開示の態様による、図１のワイヤレス通信システム１００などのワイヤレス通信システムを使用して送信され得る。幾つかの例では、ｅＣＣ送信１６２０は、図１３〜図１５に関して上記で説明されたＳＣｅｌｌなどのＳＣｅｌｌ上で送信される。ｅＣＣ送信１６２０は、アップリンクシンボル１６４０とダウンリンクシンボル１６４５とを含み得る。この例では、ダウンリンクＴＴＩ１６６０が４つのシンボルに等しいように、ダウンリンク許可１６５０は、４つのダウンリンクシンボル１６４５向けであり得る。しかしながら、ダウンリンクＴＴＩ１６６０が可変であるように、ダウンリンク許可１６５０は任意の数のシンボル向けであり得る。又は、場合によっては、ダウンリンク許可１６５０は、予め決定された数のダウンリンクシンボル１６４５を割り当てることができる。例えば、各ダウンリンク許可１６５０が予め決定された数のダウンリンクシンボル（例えば、１つ、５つ、１０個など）のうちの１つを割り当てるように、システムが構成され得る。
【０１４１】
[0177]ダウンリンクＴＴＩ１６６０の間に受信されたアップリンク許可１６６５は、ダウンリンクＴＴＩ１６６０に続く第１のアップリンクシンボル１６４０の間に、ＡＣＫ／ＮＡＣＫ１６７０ブロックなどのフィードバック用のリソースを許可することができる。このようにして、ＵＥは、先行するダウンリンクシンボルバースト−例えば、ダウンリンクＴＴＩ１６６０の全てのＴＢに対するブロックとして、フィードバック（ＡＣＫ／ＮＡＣＫ１６７０）を送信することができる。場合によっては、幾つかの異なるＵＥは、ダウンリンクリソースをスケジュールされ、アップリンクシンボル１６４０が利用可能になる前に、ダウンリンクシンボル１６４５を受信する。それに応じて、各ＵＥは、第１のアップリンクシンボル機会にフィードバックを送信することができる。アップリンクＴＴＩは単一のシンボル期間を含み得るか、又はアップリンクＴＴＩは幾つかのシンボル期間を含み得る。いずれの場合も、フィードバック送信が幾つかのアップリンクシンボルにわたるように、１つ又は幾つかのＴＢに対するフィードバック（例えば、ＡＣＫ／ＮＡＣＫ１６７０）は、アップリンクＴＴＩの継続時間を超えて送信され得る。
【０１４２】
[0178]ＡＣＫ／ＮＡＣＫ１６７０ブロック内で、ＡＣＫ又はＮＡＣＫがＴＢごとに送信され得るように、ダウンリンクＴＴＩ１６６０の各ＴＢは、対応するＨＡＲＱプロセスを有し得る。従って、単一のＵＥがダウンリンクＴＴＩ１６６０の間に４つのＴＢを受信する場合、ＡＣＫ／ＮＡＣＫ１６７０ブロックは、ＴＢごとに１つ、４つのＡＣＫ／ＮＡＣＫを含み得る。同様に、１つのＵＥがダウンリンクＴＴＩ１６６０の２つのシンボルの間に２つのＴＢを受信し、別のＵＥがダウンリンクＴＴＩ１６６０の２つのシンボルの間に２つのＴＢを受信する場合、ＡＣＫ／ＮＡＣＫ１６７０ブロックは、ＴＢごとに１つ、４つのＡＣＫ／ＮＡＣＫを含み得る。ＡＣＫ／ＮＡＣＫ１６７０ブロック内で送信されるＨＡＲＱフィードバックは、このようにして、部分的に、可変ＴＴＩ継続時間の継続時間に従って決定され得る。各ＴＢは、１つ又は幾つかのコードブロックを含み得る。つまり、幾つかの例では、ＴＢは複数のコードブロックを含み得、ＴＢに対するＨＡＲＱフィードバックは、複数のコードブロックに対するフィードバックを含み得る。しかし、他の例では、ＴＢは単一のコードブロックを含み得、ＴＢに対するＨＡＲＱフィードバックは、単一のコードブロックに対するフィードバックを含み得る。
【０１４３】
[0179]幾つかの例では、ブランクシンボル又は切替え間隔１６７５は、ｅＣＣ送信１６２０内に含まれ得る。この切替え間隔１６７５は、受信モードから送信モードに切り替わる時間をＵＥに与えることができる。このようにして、ＵＥは、切替え間隔１６７５に続く第１のアップリンクシンボル１６４０向けのアップリンク許可１６６５を受信することができる。又は、幾つかの例では、切替え間隔は、それ自体、アップリンクシンボル１６４０が突出していることをＵＥに伝達することができ、ＵＥは、アップリンク許可を必要としないで、次のアップリンクシンボル１６４０上でフィードバックを送信することができる。
【０１４４】
[0180]ＨＡＲＱプロセスの最大数は、単一のアップリンクシンボル内で報告され得るＡＣＫ／ＮＡＣＫ１６７０ビットの最大数によって決定され得る。即ち、場合によっては、フィードバックに利用可能なアップリンクリソースは制限され得る。そのような場合、幾つかのＴＢに対するフィードバック（例えば、ＡＣＫ／ＮＡＣＫ）は、バンドルされ得る。例えば、単一のＡＣＫ／ＮＡＣＫが幾つかのＴＢに対するフィードバックを与えることができる。
【０１４５】
[0181]本明細書に示されていないが、幾つかの例では、ＡＣＫ／ＮＡＣＫ１６７０ブロックは、幾つかのアップリンクシンボルに及び得る。例えば、アップリンクＴＴＩは、幾つかのアップリンクシンボル１６４０から構成され得、ＡＣＫ／ＮＡＣＫ１６７０ブロックは、アップリンクＴＴＩの２つ以上のアップリンクシンボル１６４０内で送信され得る。
【０１４６】
[0182]追加又は代替として、基地局は、アップリンク送信がアップリンク許可内の暗示的なＡＣＫ／ＮＡＣＫを使用して受信に成功したかどうかを、ＵＥに伝達することができる。例えば、アップリンク許可が新しいアップリンク送信向けか、再送信向けかに応じて、ＵＥは、前のアップリンク送信が正しく受信されたかどうかを推論することができる。つまり、図１６の例では、アップリンク許可１６６５がアップリンクシンボル１６４０内の新しい送信（例えば、新しいＴＢ）向けの許可を含む場合、ＵＥは、前のアップリンク送信が成功したと推論することができる。従って、許可はＡＣＫを暗示することができる。しかし、アップリンク許可１６６５が前のアップリンク送信の再送信向けの許可を含む場合、許可はＮＡＣＫを暗示することができ、ＵＥは再送信することができる。この暗示的なＡＣＫ／ＮＡＣＫは、システムが物理ハイブリッドインジケータチャネル（ＰＨＩＣＨ）送信を回避することを可能にし、従って、時間と周波数の両方のリソースを節約することができる。
【０１４７】
[0183]図１７は、本開示の様々な態様による、可変ＴＴＩに対するフィードバックを提供するためのアップリンクチャネル多重化を有するキャリア１７００の一部分を示す。キャリア１７００は、図１のワイヤレス通信システム１００などのワイヤレス通信システムを使用して送信され得る。幾つかの例では、キャリア１７００は、図１３〜図１６に関して上記で説明されたＳＣｅｌｌなどのＳＣｅｌｌである。キャリア１７００は帯域幅１７０５（例えば、８０ＭＨｚ）を有し、示された部分は可変ＴＴＩ１７０７である。可変ＴＴＩ１７０７は、１つのシンボル幅１７１０を有するか、又は幾つかのシンボル幅１７１５である信号又はチャネルを含み得る。キャリア１７００は、図１のＵＥ１１５などの幾つかのＵＥ向けのグループ基準信号（ＧＲＳ）１７２０を含み得る。キャリア１７００は、幾つかのＵＥ向けの物理アップリンク制御チャネル（ＰＵＣＣＨ）ＧＲＳ１７３０と、物理アップリンク共有チャネル（ＰＵＣＣＨ）１７２５（例えば、データチャネル）とを含み得る。追加又は代替として、キャリア１７００は、様々なＵＥからの幾つかのＰＵＣＣＨ１７３５、１７４０、１７４５、１７５０又は１７５５を含み得る。これらの様々な信号及びチャネルの各々は、互いと時分割多重化（ＴＤＭ）、周波数分割多重化（ＦＤＭ）又は符号分割多重化（ＣＤＭ）され得る。
【０１４８】
[0184]例えば、各々が異なるインターレース上で異なるＵＥから送信されたＰＵＣＣＨ１７３５、１７４０及び１７４５は、様々なＵＥのＰＵＳＣＨ１７２５とＦＤＭされ得る。ＰＵＣＣＨごとの周波数割振りは、例えば、アップリンクバースト長（例えば、アップリンクＴＴＩ）に結合し得る。同様に、様々なＵＥからのＰＵＳＣＨ１７２５は、互いとＦＤＭされ得る。図１５を参照して記載されたアップリンク許可などのアップリンク許可は、所与のＵＥ向けの特定のＰＵＳＣＨ１７２５用のリソースブロック（ＲＢ）割振りを搬送することができる。ＰＵＣＣＨ１７３５、１７４０及び１７４５は、同じリソース内でＣＤＭされ得る。ＧＲＳ１７２０及びＰＵＣＣＨ  ＧＲＳ１７３０は、各ＦＤＭ周波数領域内で先行して（例えば、時間的に早いＴＤＭ）で送信され得る。ＰＵＳＣＨ１７２５の場合、ＧＲＳ１７２０の存在（例えば、位置）は、図１５を参照して記載されたアップリンク許可のようなアップリンク許可内で示される。
【０１４９】
[0185]キャリア１７００は、全体的にＦＤＭに関して、少なくともＰＵＣＣＨ及びＰＵＳＣＨに関して示され、記載されたが、ＴＤＭ方式も利用され得る。場合によっては、ＦＤＭは基準信号（ＲＳ）の効率を増大させることができるが、他の例では、ＴＤＭが好ましいとなり得る。従って、１つ又は幾つかのＰＵＣＣＨは、ＰＵＳＣＨとＴＤＭされ得る。
【０１５０】
[0186]次に図１８を参照すると、本開示の様々な態様による、可変ＴＴＩに対するフィードバックのために構成されたＵＥ１１５−ｊのブロック図１８００が示される。ＵＥ１１５−ｊは、ＵＥ１１５の態様の一例の場合があり、図１〜図１７を参照して記載された技法を利用することができる。ＵＥ１１５−ｊは、受信機１８０５、フィードバックモジュール１８１０又は送信機１８１５を含み得る。ＵＥ１１５−ｊは、プロセッサを含み得る。これらの構成要素の各々は、互いと通信し得る。
【０１５１】
[0187]受信機１８０５は、パケット、ユーザデータ又は様々な情報チャネルに関連付けられた制御情報（例えば、制御チャネル、データチャネル及び可変ＴＴＩのためのＨＡＲＱに関係する情報など）などの情報を受信することができる。情報は、フィードバックモジュール１８１０に、及びＵＥ１１５−ｊの他の構成要素に渡され得る。幾つかの例では、受信機１８０５は、可変ダウンリンク送信ＴＴＩ内で複数のＴＢを受信することができる。受信機１８０５は、第２のアップリンクＴＢ向け、又は第１のアップリンクＴＢの再送信向けの許可を受信することもできる。受信機１８０５は、図２１を参照して記載されるトランシーバ２１３５の態様の例を示し得る。
【０１５２】
[0188]フィードバックモジュール１８１０は、受信機１８０５と連携して、可変ダウンリンク送信ＴＴＩ内で複数のＴＢを受信することと、複数のＴＢの各ＴＢに対するＨＡＲＱフィードバックを決定することと、複数内のＴＢの数が可変ダウンリンクＴＴＩの継続時間に基づく、ダウンリンクＴＴＩに続くアップリンクＴＴＩ内で送信機との組合せで、各ＴＢに対するＨＡＲＱフィードバックを送信させることとができる。フィードバックモジュール１８１０は、図２１を参照して記載されるプロセッサ２１０５などのプロセッサの一態様であり得る。
【０１５３】
[0189]送信機１８１５は、ＵＥ１１５−ｊの他の構成要素から受信された信号を送信することができる。幾つかの例では、送信機１８１５は、トランシーバモジュール内で受信機１８０５とコロケートされ得る。送信機１８１５は単一のアンテナを含み得るか、又は送信機１８１５は複数のアンテナを含み得る。幾つかの例では、送信機１８１５は、リソース又はアップリンクＴＴＩ上で第１のアップリンクＴＢを送信することができる。送信機１８１５は、図２１を参照して記載されるトランシーバ２１３５の態様の例を示し得る。
【０１５４】
[0190]図１９は、本開示の様々な態様による、可変ＴＴＩに対するフィードバックのためのＵＥ１１５−ｋのブロック図１９００を示す。ＵＥ１１５−ｋは、ＵＥ１１５の態様の一例の場合があり、図１〜図１８を参照して記載された技法を利用することができる。ＵＥ１１５−ｋは、受信機１８０５−ａ、フィードバックモジュール１８１０−ａ又は送信機１８１５−ａを含み得る。ＵＥ１１５−ｋは、プロセッサを含み得る。これらの構成要素の各々は、互いと通信し得る。フィードバックモジュール１８１０−ａは、ＨＡＲＱモジュール１９０５と、ＵＬタイミング決定モジュール１９１０とをも含み得る。これらの構成要素の各々は、図２１を参照して記載されるプロセッサ２１０５などのプロセッサの態様を示し得る。
【０１５５】
[0191]受信機１８０５−ａは、フィードバックモジュール１８１０−ａに、及びＵＥ１１５−ｋの他の構成要素に渡され得る情報を受信することができる。受信機１８０５−ａは、図２１を参照して記載されるトランシーバ２１３５の態様の例を示し得る。フィードバックモジュール１８１０−ａは、図１８を参照して上述された動作を実施することができる。フィードバックモジュール１８１０−ａは、図２１を参照して記載されるプロセッサ２１０５などのプロセッサの一態様であり得る。送信機１８１５−ａは、ＵＥ１１５−ｋの他の構成要素から受信された信号を送信することができる。送信機１８１５−ａは、図２１を参照して記載されるトランシーバ２１３５の態様の例を示し得る。
【０１５６】
[0192]ＨＡＲＱモジュール１９０５は、図１３〜図１７を参照して上述されたように、複数のＴＢの各ＴＢに対するＨＡＲＱフィードバックを決定することができる。幾つかの例では、各ＴＢに対するＨＡＲＱフィードバックは、複数のＴＢの各ＴＢに対するＡＣＫ又はＮＡＣＫを含む。幾つかの例では、各ＴＢに対するＨＡＲＱフィードバックは、第１のＵＥからのＨＡＲＱフィードバックを含み、アップリンクＴＴＩは第２のＵＥに共通であり得る。
【０１５７】
[0193]ＵＬタイミング決定モジュール１９１０は、図１３〜図１７を参照して上述されたように、ダウンリンクＴＴＩに続くアップリンクＴＴＩ内で、各ＴＢに対するＨＡＲＱフィードバックを送信することができる。幾つかの例では、可変ダウンリンクＴＴＩの一部分内でアップリンク許可が受信され得、受信されたアップリンク許可に基づいて、各ＴＢに対するＨＡＲＱフィードバックが一度に送信され得る。幾つかの例では、アップリンクＴＴＩに先行し得る識別された切替え間隔に基づいて、各ＴＢに対するＨＡＲＱフィードバックが一度に送信され得る。幾つかの例では、少なくともアップリンクＴＴＩの最初にシンボル期間の間に、各ＴＢに対するＨＡＲＱフィードバックが送信され得、ＨＡＲＱフィードバックは追加のシンボル期間を占有し得る。
【０１５８】
[0194]図２０は、本開示の様々な態様による、可変ＴＴＩに対するフィードバックのためのフィードバックモジュール１８１０−ｂのブロック図２０００を示す。フィードバックモジュール１８１０−ｂは、図１８〜図１９を参照して記載されたフィードバックモジュール１８１０の態様の一例であり得る。フィードバックモジュール１８１０−ｂは、ＨＡＲＱモジュール１９０５−ａと、ＵＬタイミング決定モジュール１９１０−ａとをも含み得る。これらのモジュールの各々は、図１９を参照して上述された機能を実施することができる。フィードバックモジュール１８１０−ｂは、ＨＡＲＱリソースモジュール２００５と、フィードバックバンドルモジュール２０１０と、切替え間隔モジュール２０１５と、フィードバック決定モジュール２０２０とを含み得る。
【０１５９】
[0195]ＨＡＲＱリソースモジュール２００５は、図１３〜図１７を参照して上述されたように、アップリンクＴＴＩ用のＨＡＲＱリソースの最大数が満たされるか、又は超えられると決定することができる。ＵＥ１１５は、それに応じてフィードバックを準備することができる。例えば、フィードバックバンドルモジュール２０１０は、図１３〜図１７を参照して上述されたように、ＨＡＲＱリソースの最大数に従って、複数のＴＢのうちの２つ以上のＴＢに対するＨＡＲＱフィードバックをバンドルすることができる。
【０１６０】
[0196]幾つかの例では、切替え間隔モジュール２０１５は、図１３〜図１７を参照して上述されたように、ダウンリンクＴＴＩに続く切替え間隔を識別することができる。
【０１６１】
[0197]フィードバック決定モジュール２０２０は、アップリンクフィードバックに利用され得る。例えば、フィードバック決定モジュール２０２０は、図１３〜図１７を参照して上述されたように、許可が第２のアップリンクＴＢ向けであるとき、許可がＡＣＫを表すと決定することができる。フィードバック決定モジュール２０２０は、許可が第１のアップリンクＴＢの再送信向けであるとき、許可がＮＡＣＫを表すと決定することもできる。
【０１６２】
[0198]ＵＥ１１５−ｊ、ＵＥ１１５−ｋ又はフィードバックモジュール１８１０−ｂの構成要素は、適用可能な機能の一部又は全部をハードウェア内で実施するように適合された少なくとも１つの特定用途向け集積回路（ＡＳＩＣ）を用いて、個々に又はまとめて実装され得る。代替として、それらの機能は、１つ又は複数の他の処理ユニット（又はコア）によって、少なくとも１つのＩＣ上で実施され得る。他の実施形態では、当技術分野で知られている任意の方式でプログラムされ得る他のタイプの集積回路（例えば、構造化／プラットフォームＡＳＩＣ、フィールドプログラマブルゲートアレイ（ＦＰＧＡ）又は別のセミカスタムＩＣ）が使用され得る。各ユニットの機能は、全体的又は部分的に、１つ又は複数の汎用プロセッサ又は特定用途向けプロセッサによって実行されるようにフォーマットされた、メモリに組み込まれた命令を用いて実装される場合もある。
【０１６３】
[0199]図２１は、本開示の様々な態様による、可変ＴＴＩに対するフィードバックのために構成されたＵＥ１１５を含むシステム２１００の図を示す。システム２１００は、図１〜図２０を参照して上述されたＵＥ１１５の一例であり得る、ＵＥ１１５−ｍを含み得る。ＵＥ１１５−ｍは、図１８〜図２０を参照して記載されたフィードバックモジュール１８１０の一例であり得る、フィードバックモジュール２１１０を含み得る。ＵＥ１１５−ｍは、通信を送信するための構成要素と通信を受信するための構成要素とを含む、双方向音声及びデータ通信のための構成要素を含み得る。例えば、ＵＥ１１５−ｍは、ＵＥ１１５−ｎ又は基地局１０５−ｇと双方向に通信することができる。
【０１６４】
[0200]ＵＥ１１５−ｍは、プロセッサ２１０５と、（ソフトウェア（ＳＷ）２１２０を含む）メモリ２１１５と、トランシーバ２１３５と、１つ又は複数のアンテナ２１４０とを含み得、それらの各々は、（例えば、バス２１４５を介して）互いに直接的又は間接的に通信することができる。トランシーバ２１３５は、上述されたように、アンテナ２１４０又は有線リンク若しくはワイヤレスリンクを介して、１つ又は複数のネットワークと双方向に通信することができる。例えば、トランシーバ２１３５は、基地局１０５又は別のＵＥ１１５と双方向に通信することができる。トランシーバ２１３５は、パケットを変調し、変調パケットを送信用にアンテナ２１４０に供給し、アンテナ２１４０から受信されたパケットを復調するためにモデムを含み得る。ＵＥ１１５−ｍは単一のアンテナ２１４０を含み得るが、ＵＥ１１５−ｍは、複数のワイヤレス送信を同時に送信又は受信することが可能な複数のアンテナ２１４０を有し得る。
【０１６５】
[0201]メモリ２１１５は、ランダムアクセスメモリ（ＲＡＭ）と読取り専用メモリ（ＲＯＭ）とを含み得る。メモリ２１１５は、実行されると、本明細書に記載された様々な機能（例えば、可変ＴＴＩ用のＨＡＲＱなど）をプロセッサ２１０５に実施させる命令を含む、コンピュータ可読、コンピュータ実行可能ソフトウェア／ファームウェアコード２１２０を記憶することができる。代替として、ソフトウェア／ファームウェアコード２１２０は、プロセッサ２１０５によって直接実行可能ではない場合があるが、（例えば、コンパイルされ実行されると）本明細書に記載された機能をコンピュータに実施させることができる。プロセッサ２１０５は、インテリジェントなハードウェア機器（例えば、中央処理装置（ＣＰＵ）、マイクロコントローラ、ＡＳＩＣなど）を含み得る。
【０１６６】
[0202]図２２は、本開示の様々な態様による、可変ＴＴＩに対するフィードバックのために構成された基地局１０５−ｈのブロック図２２００を示す。基地局１０５−ｈは、基地局１０５の態様の一例の場合があり、図１〜図１７を参照して記載された技法を利用することができる。基地局１０５−ｈは、受信機２２０５、基地局フィードバックモジュール２２１０又は送信機２２１５を含み得る。基地局１０５−ｈは、プロセッサを含み得る。これらの構成要素の各々は、互いと通信し得る。
【０１６７】
[0203]受信機２２０５は、パケット、ユーザデータ又は様々な情報チャネルに関連付けられた制御情報（例えば、制御チャネル、データチャネル及び可変ＴＴＩのためのＨＡＲＱに関係する情報など）などの情報を受信することができる。情報は、基地局フィードバックモジュール２２１０に、及び基地局１０５−ｈの他の構成要素に渡され得る。受信機２２０５は、図２５を参照して記載されるトランシーバ２５３５の態様の例を示し得る。
【０１６８】
[0204]基地局フィードバックモジュール２２１０は、受信機との組合せで、第１のアップリンクＴＴＩの間に第１のＵＥから第１の複数のＴＢの各ＴＢに対するＨＡＲＱフィードバックの第１のセットを受信し、第１のアップリンクＴＴＩの間に第２の複数のＴＢの各ＴＢに対するＨＡＲＱフィードバックの第２のセットを受信することができる。基地局フィードバックモジュール２２１０は、図２５を参照して記載されるプロセッサ２５０５などのプロセッサの一態様であり得る。
【０１６９】
[0205]送信機２２１５は、基地局１０５−ｈの他の構成要素から受信された信号を送信することができる。幾つかの例では、送信機２２１５は、トランシーバモジュール内で送信機２２０５とコロケートされ得る。送信機２２１５は単一のアンテナを含み得るか、又は送信機２２１５は複数のアンテナを含み得る。幾つかの例では、送信機２２１５は、ＵＥにアップリンク許可を送信することができる。送信機２２１５は、図２５を参照して記載されるトランシーバ２５３５の態様の例を示し得る。
【０１７０】
[0206]図２３は、本開示の様々な態様による、可変ＴＴＩ用のＨＡＲＱのための基地局１０５−ｉのブロック図２３００を示す。基地局１０５−ｉは、基地局１０５の態様の一例の場合があり、図１〜図１７と図２２とを参照して記載された技法を利用することができる。基地局１０５−ｉは、受信機２２０５−ａ、基地局フィードバックモジュール２２１０−ａ又は送信機２２１５−ａを含み得る。基地局１０５−ｈは、プロセッサを含み得る。これらの構成要素の各々は、互いと通信し得る。基地局フィードバックモジュール２２１０−ａは、第１のフィードバック受信モジュール２３０５と、第２のフィードバック受信モジュール２３１０とを含み得る。これらの構成要素の各々は、図２５を参照して記載されるプロセッサ２５０５などのプロセッサの態様を示し得る。
【０１７１】
[0207]受信機２２０５−ａは、基地局フィードバックモジュール２２１０−ａに、及び基地局１０５−ｈの他の構成要素に渡され得る情報を受信することができる。受信機２２０５−ａは、図２５を参照して記載されるトランシーバ２５３５の態様の例を示し得る。基地局フィードバックモジュール２２１０−ａは、図２２を参照して上述された動作を実施することができる。基地局フィードバックモジュール２２１０は、図２５を参照して記載されるプロセッサ２５０５などのプロセッサの一態様であり得る。送信機２２１５−ａは、基地局１０５−ｈの他の構成要素から受信された信号を送信することができる。受信機２２１５−ａは、図２５を参照して記載されるトランシーバ２５３５の態様の例を示し得る。
【０１７２】
[0208]第１のフィードバック受信モジュール２３０５は、受信機２２０５−ａと連携して、第１の複数のＴＢの各ＴＢに対するＨＡＲＱフィードバックの第１のセットを受信することができ、第１の複数のＴＢは、図１３〜図１７を参照して上述されたように、第１のアップリンクＴＴＩの間に第１のＵＥから、可変ダウンリンクＴＴＩを使用して送信され得る。
【０１７３】
[0209]第２のフィードバック受信モジュール２３１０は、受信機２２０５−ａと連携して、図１３〜図１７を参照して上述されたように、第１のアップリンクＴＴＩの間に第２のＵＥから、第２の複数のＴＢの各ＴＢに対するＨＡＲＱフィードバックの第２のセットを受信することができる。幾つかの例では、ＨＡＲＱフィードバックの第１及び第２のセットは、図１７を参照して記載されたように、共通周波数リソース上でＣＤＭされる。
【０１７４】
[0210]図２４は、本開示の様々な態様による、可変ＴＴＩに対するフィードバックのための基地局フィードバックモジュール２２１０−ｂのブロック図２４００を示す。基地局フィードバックモジュール２２１０−ｂは、基地局フィードバックモジュール２２１０の態様の一例の場合があり、図２２〜図１２を参照して記載された技法を利用することができる。基地局フィードバックモジュール２２１０−ｂは、第１のフィードバック受信モジュール２３０５−ａと、第２のフィードバック受信モジュール２３１０−ａとを含み得る。これらのモジュールは、図２３を参照して上述された機能を実施することができる。基地局フィードバックモジュール２２１０−ｂは、ＦＤＭ  ＰＵＳＣＨモジュール２４０５、ＧＲＳモジュール２４１０又はＴＤＭ  ＰＵＳＣＨモジュール２４１５を含み得る。
【０１７５】
[0211]ＦＤＭ  ＰＵＳＣＨモジュール２４０５は、第１のアップリンクＴＴＩの間に第１のＵＥから第１のＰＵＳＣＨを受信することができ、第１のＰＵＳＣＨは、図１３〜図１７を参照して上述されたように、ＨＡＲＱフィードバックの幾つかのセットとＦＤＭされ得る。ＦＤＭ  ＰＵＳＣＨモジュール２４０５は、第１のアップリンクＴＴＩの間に第２のＵＥから第２のＰＵＳＣＨを受信することができ、第２のＰＵＳＣＨは、図１３〜図１７を参照して上述されたように、ＨＡＲＱフィードバックの幾つかのセットとＦＤＭされ得る。ＧＲＳモジュール２４１０は、図１３〜図１７を参照して上述されたように、ＰＵＳＣＨの各々用の、及び第１のアップリンクＴＴＩに先行するＴＴＩ内のＨＡＲＱフィードバックの各セット用のグループ基準信号（ＲＳ）を受信することができる。
【０１７６】
[0212]ＴＤＭ  ＰＵＳＣＨモジュール２４１５は、ＨＡＲＱフィードバックの第１及び第２のセットと同じ周波数リソース上でＰＵＳＣＨを受信することができ、ＰＵＳＣＨ及びＨＡＲＱフィードバックの幾つかのセットは、図１３〜図１７を参照して上述されたように、ＴＤＭされ得る。
【０１７７】
[0213]基地局１０５−ｈ、基地局１０５−ｉ又は基地局フィードバックモジュール２２１０−ｂの構成要素は、適用可能な機能の一部又は全部をハードウェア内で実施するように適合された少なくとも１つのＡＳＩＣを用いて、個々に、又はまとめて実装され得る。代替として、それらの機能は、１つ又は複数の他の処理ユニット（又はコア）によって、少なくとも１つのＩＣ上で実施され得る。他の実施形態では、当技術分野で知られている任意の方式でプログラムされ得る他のタイプの集積回路（例えば、構造化／プラットフォームＡＳＩＣ、ＦＰＧＡ又は別のセミカスタムＩＣ）が使用され得る。各ユニットの機能は、また、全体的又は部分的に、１つ又は複数の汎用プロセッサ又は特定用途向けプロセッサによって実行されるようにフォーマットされた、メモリに組み込まれた命令を用いて実装され得る。
【０１７８】
[0214]図２５は、本開示の様々な態様による、可変ＴＴＩに対するフィードバックのために構成された基地局１０５を含むシステム２５００の図を示す。システム２５００は、基地局１０５の一例の場合があり、図１〜図２４を参照して上述された技法を利用することができる、基地局１０５−ｊを含み得る。基地局１０５−ｊは、図２２〜図２４を参照して記載された基地局フィードバックモジュール２２１０の一例であり得る、基地局フィードバックモジュール２５１０を含み得る。基地局１０５−ｊは、通信を送信するための構成要素と通信を受信するための構成要素とを含む、双方向音声及びデータ通信のための構成要素を含み得る。例えば、基地局１０５−ｊは、基地局１０５−ｍ又は基地局１０５−ｎと双方向に通信することができる。
【０１７９】
[0215]場合によっては、基地局１０５−ｊは、１つ又は複数の有線バックホールリンクを有し得る。基地局１０５−ｊは、コアネットワーク１３０−ａへの有線バックホールリンク（例えば、Ｓ１インターフェースなど）を有し得る。基地局１０５−ｊは、基地局間バックホールリンク（例えば、Ｘ２インターフェース）を介して、基地局１０５−ｍ及び基地局１０５−ｎなどの他の基地局１０５と通信することもできる。基地局１０５の各々は、同じ又は異なるワイヤレス通信技術を使用して、ＵＥ１１５と通信することができる。場合によっては、基地局１０５−ｊは、基地局通信モジュール２５２５を利用して、１０５−ｍ又は１０５−ｎなどの他の基地局と通信することができる。幾つかの例では、基地局通信モジュール２５２５は、ＬＴＥ／ＬＴＥ−Ａワイヤレス通信ネットワーク技術内のＸ２インターフェースを提供して、基地局１０５のうちの幾つかの間の通信を実現することができる。追加又は代替として、基地局１０５−ｊは、コアネットワーク１３０−ａを介して他の基地局と通信することができる。場合によっては、基地局１０５−ｊは、ネットワーク通信モジュール２５３０を介してコアネットワーク１３０−ａと通信することができる。
【０１８０】
[0216]基地局１０５−ｊは、プロセッサ２５０５と、（ソフトウェア（ＳＷ）２５２０を含む）メモリ２５１５と、トランシーバ２５３５と、アンテナ２５４０とを含み得、それらの各々は、（例えば、バスシステム２５４５を介して）直接的又は間接的に、互いと通信し得る。トランシーバ２５３５は、アンテナ２５４０を介して、マルチモード機器であり得るＵＥ１１５と双方向に通信するように構成され得る。トランシーバ２５３５（又は基地局１０５−ｊの他の構成要素）は、アンテナ２５４０を介して、１つ又は複数の他の基地局（図示せず）と双方向に通信するように構成される場合もある。トランシーバ２５３５は、パケットを変調し、変調パケットを送信用にアンテナ２５４０に供給し、アンテナ２５４０から受信されたパケットを復調するように構成されたモデムを含み得る。基地局１０５−ｊは、各々が１つ又は複数の関連するアンテナ２５４０を有する、複数のトランシーバ２５３５を含み得る。トランシーバモジュールは、図２２の組み合わされた受信機２２０５及び送信機２２１５の一例であり得る。
【０１８１】
[0217]メモリ２５１５はＲＡＭとＲＯＭとを含み得る。メモリ２５１５は、実行されると、本明細書に記載された様々な機能（例えば、可変ＴＴＩに対するフィードバックを受信又は送信すること、カバレージ増強技法を選択すること、呼処理、データベース管理、メッセージルーティングなど）をプロセッサ２５０５に実施させるように構成された命令を含んでいる、コンピュータ可読、コンピュータ実行可能ソフトウェアコード２５２０を記憶することもできる。代替として、ソフトウェアコード２５２０は、プロセッサ２５０５によって直接実行可能ではない場合があるが、例えば、コンパイルされ実行されると、本明細書に記載された機能をコンピュータに実施させるように構成され得る。プロセッサ２５０５は、インテリジェントハードウェア機器、例えば、ＣＰＵ、マイクロコントローラ、ＡＳＩＣなどを含み得る。プロセッサ２５０５は、エンコーダ、キュー処理モジュール、ベースバンドプロセッサ、無線ヘッドコントローラ、デジタル信号プロセッサ（ＤＳＰ）などの様々な専用プロセッサを含み得る。
【０１８２】
[0218]基地局通信モジュール２５２５は、他の基地局１０５との通信を管理することができる。基地局通信モジュール２５２５は、他の基地局１０５と協働してＵＥ１１５との通信を制御するためのコントローラ又はスケジューラを含み得る。例えば、基地局通信モジュール２５２５は、ビームフォーミング又はジョイント送信などの様々な干渉軽減技法のためのＵＥ１１５への送信についてのスケジューリングを調整することができる。
【０１８３】
[0219]図２６は、本開示の様々な態様による、ＴＤＤシステム内のＤＬデータ用の柔軟な多重化動作のための方法２６００を示すフローチャートを示す。方法２６００の動作は、図１〜図８を参照して記載されたように、ＵＥ１１５又はその構成要素によって実装され得る。例えば、方法２６００の動作は、図５〜図８を参照して記載されたように、柔軟な多重化モジュール５１０によって実施され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。
【０１８４】
[0220]ブロック２６０５において、ＵＥ１１５は、図２〜図４を参照して上述されたように、ＴＤＤ構成キャリアのダウンリンクＴＴＩを識別することができる。幾つかの例では、ブロック２６０５の動作は、図６を参照して上述されたように、ＴＤＤモジュール６０５によって実施され得る。
【０１８５】
[0221]ブロック２６１０において、ＵＥ１１５は、図２〜図４を参照して上述されたように、ダウンリンクＴＴＩの間にダウンリンクＴＴＩの継続時間の指示を受信することができる。幾つかの例では、ブロック２６１０の動作は、図６を参照して上述されたように、ＰＤＦＩＣＨ／ＰＵＦＩＣＨモジュール６２０によって実施され得る。
【０１８６】
[0222]ブロック２６１５において、ＵＥ１１５は、図２〜図４を参照して上述されたように、ダウンリンクＴＴＩに続くアップリンクＴＴＩの継続時間の指示を受信することができる。アップリンクＴＴＩの継続時間の指示は、ダウンリンクＴＴＩの間に受信され得る。幾つかの例では、ブロック２６１５の動作は、図６を参照して上述されたように、ＰＤＦＩＣＨ／ＰＵＦＩＣＨモジュール６２０によって実施され得る。
【０１８７】
[0223]ブロック２６２０において、ＵＥ１１５は、図２〜図４を参照して上述されたように、ダウンリンクＴＴＩの指示及びアップリンクＴＴＩの指示に少なくとも部分的に基づいて通信することができる。幾つかの例では、ブロック２６２０の動作は、図６を参照して上述されたように、ＴＤＤモジュール６０５によって実施され得る。
【０１８８】
[0224]場合によっては、方法２６００は、ダウンリンクＴＴＩの間にダウンリンク許可を受信することを更に含み得る。ダウンリンク許可は、ダウンリンクＴＴＩの間にリソースの第１のセットを割り当てることができる。方法２６００は、ダウンリンクＴＴＩの間にリソースの第２のセットを割り当てる追加のダウンリンク許可を受信することを含み得る。リソースの第１のセット及びリソースの第２のセットは、ダウンリンクＴＴＩの間に周波数分割多重化され得る。方法２６００は、ダウンリンクＴＴＩに続く後続のダウンリンクＴＴＩの継続時間の指示を受信することと、ここにおいて、後続のＴＴＩの継続時間の指示が後続のダウンリンクＴＴＩの間に受信される、後続のダウンリンクＴＴＩに続く後続のアップリンクＴＴＩの継続時間の指示を受信することと、後続のダウンリンクＴＴＩの継続時間の指示及び後続のアップリンクＴＴＩの継続時間の指示に少なくとも部分的に基づいて通信することとを含み得る。後続のアップリンクＴＴＩの継続時間の指示は、後続のダウンリンクＴＴＩの間に受信され得る。アップリンクＴＴＩの継続時間の指示は、アップリンクＴＴＩの継続時間がゼロであることを示し得る。ダウンリンクＴＴＩの継続時間及び後続のダウンリンクＴＴＩの継続時間は、ＴＤＤ構成キャリアのリソース上で時分割多重化されたダウンリンクバーストを形成することができる。方法２６００は、ダウンリンクＴＴＩの間にＴＢのセットを受信することと、ここにおいて、ダウンリンクＴＴＩが可変ＴＴＩを備える、ＴＢのセットの各ＴＢに対するＨＡＲＱフィードバックを決定することと、アップリンクＴＴＩの間にＴＢのセットの少なくとも１つのＴＢに対するＨＡＲＱフィードバックを送信することとを含み得る。セット内のＴＢの数は、ダウンリンクＴＴＩの継続時間に少なくとも部分的に基づき得る。
【０１８９】
[0225]方法２６００は、ＴＢのセットを受信することを含み得、各ＴＢは少なくとも１つのＣＢを含み、ＴＢのセットの各ＴＢ内のＣＢの数は、ＴＢのサイズに基づき得る。方法は、少なくともＴＢの幾つかのＣＢに対するＨＡＲＱフィードバックを決定することと、アップリンクＴＴＩの間に少なくとも１つのＣＢに対するＨＡＲＱフィードバックを送信することとを含み得る。方法２６００は、幾つかの例では、ダウンリンクＴＴＩ又はアップリンクＴＴＩの間のリソースの許可の不在に少なくとも部分的に基づいて、ダウンリンクＴＴＩ又はアップリンクＴＴＩの間に低電力状態に入ることを含み得る。
【０１９０】
[0226]図２７は、本開示の様々な態様による、ＴＤＤシステム内のＤＬデータ用の柔軟な多重化動作のための方法２７００を示すフローチャートを示す。方法２７００の動作は、図１〜図８を参照して記載されたように、ＵＥ１１５又はその構成要素によって実行され得る。例えば、方法２７００の動作は、図５〜図８を参照して記載されたように、柔軟な多重化モジュール５１０によって実行され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。方法２７００は、図２６の方法２６００の態様を組み込むこともできる。
【０１９１】
[0227]ブロック２７０５において、ＵＥ１１５は、図２〜図４を参照して上述されたように、ＴＤＤ構成キャリアのダウンリンクＴＴＩを識別することができる。幾つかの例では、ブロック２７０５の動作は、図６を参照して上述されたように、ＴＤＤモジュール６０５によって実行され得る。
【０１９２】
[0228]ブロック２７１０において、ＵＥ１１５は、図２〜図４を参照して上述されたように、ダウンリンクＴＴＩの間にダウンリンクＴＴＩの継続時間の指示を受信することができる。幾つかの例では、ブロック２７１０の動作は、図６を参照して上述されたように、ＰＤＦＩＣＨ／ＰＵＦＩＣＨモジュール６２０によって実行され得る。
【０１９３】
[0229]ブロック２７１５において、ＵＥ１１５は、図２〜図４を参照して上述されたように、ダウンリンクＴＴＩに続くアップリンクＴＴＩの継続時間の指示を受信することができる。アップリンクＴＴＩの継続時間の指示は、ダウンリンクＴＴＩの間に受信され得る。幾つかの例では、ブロック２７１５の動作は、図６を参照して上述されたように、ＰＤＦＩＣＨ／ＰＵＦＩＣＨモジュール６２０によって実行され得る。
【０１９４】
[0230]ブロック２７２０において、ＵＥ１１５は、図２〜図４を参照して上述されたように、ダウンリンクＴＴＩの間にＴＢのセットを受信することができる。ダウンリンクＴＴＩは可変ＴＴＩを含み得る。幾つかの例では、ブロック２７２０の動作は、図６を参照して上述されたように、ＴＤＤモジュール６０５によって実行され得る。
【０１９５】
[0231]ブロック２７２５において、ＵＥ１１５は、図２〜図４を参照して上述されたように、ＴＢのセットの各ＴＢに対するＨＡＲＱフィードバックを決定することができる。セット内のＴＢの数は、ダウンリンクＴＴＩの継続時間に少なくとも部分的に基づき得る。幾つかの例では、ブロック２７２５の動作は、図６を参照して上述されたように、ＴＤＤモジュール６０５によって実行され得る。
【０１９６】
[0232]ブロック２７３０において、ＵＥ１１５は、図２〜図４を参照して上述されたように、アップリンクＴＴＩの間にＴＢのセットの少なくとも１つのＴＢに対するＨＡＲＱフィードバックを送信することができる。幾つかの例では、ブロック２７３０の動作は、図６を参照して上述されたように、ＴＤＤモジュール６０５によって実行され得る。
【０１９７】
[0233]このようにして、方法２６００及び２７００は、ＴＤＤシステム内のＤＬデータ用の柔軟な多重化動作を実現することができる。方法２６００及び２７００は可能な実装形態を記載し、動作及びステップは、他の実装形態が可能であるように、並べ替えられるか、又は場合によっては修正され得ることに留意されたい。幾つかの例では、方法２６００及び２７００のうちの２つ以上からの態様は、組み合わされ得る。
【０１９８】
[0234]図２８は、本開示の様々な態様による、ＴＤＤシステム内のＤＬデータ用の柔軟な多重化動作のための方法２８００を示すフローチャートを示す。方法２８００の動作は、図１〜図８を参照して記載されたように、ＵＥ１１５又はその構成要素によって実行され得る。例えば、方法２８００の動作は、図５〜図８を参照して記載されたように、柔軟な多重化モジュール５１０によって実行され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。
【０１９９】
[0235]ブロック２８０５において、ＵＥ１１５は、図２〜図４を参照して上述されたように、キャリアのＴＤＤ構成を識別することができる。幾つかの例では、ブロック２８０５の動作は、図６を参照して上述されたように、ＴＤＤモジュール６０５によって実行され得る。
【０２００】
[0236]ブロック２８１０において、ＵＥ１１５は、図２〜図４を参照して上述されたように、キャリアのサービングセルから第１の多重化フォーマット信号を受信することができ、第１の多重化フォーマット信号は第１のＴＴＩの第１の多重化構成を示す。幾つかの例では、ブロック２８１０の動作は、図６を参照して上述されたように、ＰＤＦＩＣＨ／ＰＵＦＩＣＨモジュール６２０によって実施され得る。
【０２０１】
[0237]ブロック２８１５において、ＵＥ１１５は、図２〜図４を参照して上述されたように、第１のＴＴＩの間に第１の多重化構成に基づいて、サービングセルから第１のデータ送信を受信することができる。幾つかの例では、ブロック２８１５の動作は、図５を参照して上述されたように、受信機５０５によって実行され得る。
【０２０２】
[0238]ブロック２８２０において、ＵＥ１１５は、図２〜図４を参照して上述されたように、第２のＴＴＩの第２の多重化構成を示す第２の多重化フォーマット信号をサービングセルから受信することができ、第２の多重化構成は第１の多重化構成とは異なる。幾つかの例では、ブロック２８２０の動作は、図６を参照して上述されたように、ＰＤＦＩＣＨ／ＰＵＦＩＣＨモジュール６２０によって実行され得る。
【０２０３】
[0239]図２９は、本開示の様々な態様による、ＴＤＤシステム内のＤＬデータ用の柔軟な多重化動作のための方法２９００を示すフローチャートを示す。方法２９００の動作は、図１〜図４及び図９〜図１２を参照して記載されたように、基地局１０５及びその構成要素によって実行され得る。例えば、方法２９００の動作は、図９〜図１２を参照して記載されたように、基地局の柔軟な多重化モジュール９１０によって実行され得る。幾つかの例では、基地局１０５は、１組のコードを実行して、下記に記載される機能を実施するように基地局１０５の機能要素を制御することができる。追加又は代替として、基地局１０５は、専用ハードウェアを使用して、下記に記載される機能の態様を実施することができる。方法２９００は、図２６〜図２８の方法２６００、２７００及び２８００の態様を組み込むこともできる。
【０２０４】
[0240]ブロック２９０５において、基地局１０５は、図２〜図４を参照して上述されたように、ＴＤＤキャリアを構成することができる。幾つかの例では、ブロック２９０５の動作は、図１０を参照して上述されたように、ＢＳ  ＴＤＤモジュール１００５によって実行され得る。
【０２０５】
[0241]ブロック２９１０において、基地局１０５は、図２〜図４を参照して上述されたように、ＴＤＤキャリア上で第１の多重化フォーマット信号を送信することができ、第１の多重化フォーマット信号は第１のＴＴＩの第１の多重化構成を示す。幾つかの例では、ブロック２９１０の動作は、図１０を参照して上述されたように、ＢＳ  ＰＤＦＩＣＨ／ＰＵＦＩＣＨモジュール１０２０によって実行され得る。
【０２０６】
[0242]ブロック２９１５において、基地局１０５は、図２〜図４を参照して上述されたように、第１の多重化構成に基づいて、第１のＴＴＩの間に第１のＵＥに、ＴＤＤキャリア上で第１のデータ送信を送信することができる。幾つかの例では、ブロック２９１５の動作は、図９を参照して上述されたように、送信機９１５によって実行され得る。
【０２０７】
[0243]ブロック２９２０において、基地局１０５は、図２〜図４を参照して上述されたように、ＴＤＤキャリア上で第２の多重化フォーマット信号を送信することができ、第２の多重化フォーマット信号は第２のＴＴＩの第２の多重化構成を示し、第２の多重化構成は第１の多重化構成とは異なる。幾つかの例では、ブロック２９２０の動作は、図１０を参照して上述されたように、ＢＳ  ＰＤＦＩＣＨ／ＰＵＦＩＣＨモジュール１０２０によって実行され得る。
【０２０８】
[0244]このようにして、方法２６００、２７００、２８００及び２９００は、ＴＤＤシステム内のＤＬデータ用の柔軟な多重化動作を実現することができる。方法２６００、２７００、２８００及び２９００は可能な実装形態を記載し、動作及びステップは、他の実装形態が可能であるように、並べ替えられるか又は場合によっては修正され得ることに留意されたい。幾つかの例では、方法２６００、２７００、２８００及び２９００のうちの２つ以上からの態様は、組み合わされ得る。
【０２０９】
[0245]図３０は、本開示の様々な態様による、可変ＴＴＩに対するフィードバックのための方法３０００を示すフローチャートを示す。方法３０００の動作は、図１〜図２１を参照して記載されたように、ＵＥ１１５又はその構成要素によって実行され得る。例えば、方法３０００の動作は、図１８〜図２１を参照して記載されたように、フィードバックモジュール１８１０によって実行され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。
【０２１０】
[0246]ブロック３００５において、ＵＥ１１５は、図１３〜図１７を参照して上述されたように、可変ダウンリンク送信ＴＴＩ内で複数のＴＢを受信することができる。幾つかの例では、ブロック３００５の動作は、図１８を参照して上述されたように、受信機１８０５によって実行され得る。
【０２１１】
[0247]ブロック３０１０において、ＵＥ１１５は、図１３〜図１７を参照して上述されたように、複数のＴＢの各ＴＢに対するＨＡＲＱフィードバックを決定することができ、複数内のＴＢの数は可変ダウンリンクＴＴＩの継続時間に基づく。幾つかの例では、ブロック３０１０の動作は、図１９を参照して上述されたように、ＨＡＲＱモジュール１９０５によって実行され得る。
【０２１２】
[0248]ブロック３０１５において、ＵＥ１１５は、図１３〜図１７を参照して上述されたように、ダウンリンクＴＴＩに続くアップリンクＴＴＩ内で、各ＴＢに対するＨＡＲＱフィードバックを送信することができる。幾つかの例では、ブロック３０１５の動作は、図１９を参照して上述されたように、ＵＬタイミング決定モジュール１９１０によって実行され得る。
【０２１３】
[0249]図３１は、本開示の様々な態様による、可変ＴＴＩに対するフィードバックのための方法３１００を示すフローチャートを示す。方法３１００の動作は、図１〜図２１を参照して記載されたように、ＵＥ１１５又はその構成要素によって実行され得る。例えば、方法３１００の動作は、図１８〜図２１を参照して記載されたように、フィードバックモジュール１８１０によって実行され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。方法３１００は、図３０の方法３０００の態様を組み込むこともできる。
【０２１４】
[0250]ブロック３１０５において、ＵＥ１１５は、図１３〜図１７を参照して上述されたように、可変ダウンリンク送信ＴＴＩ内で複数のＴＢを受信することができる。幾つかの例では、ブロック３１０５の動作は、図１８を参照して上述されたように、受信機１８０５によって実施され得る。
【０２１５】
[0251]ブロック３１１０において、ＵＥ１１５は、図１３〜図１７を参照して上述されたように、複数のＴＢの各ＴＢに対するＨＡＲＱフィードバックを決定することができ、複数内のＴＢの数は可変ダウンリンクＴＴＩの継続時間に少なくとも部分的に基づく。幾つかの例では、ブロック３１１０の動作は、図１９を参照して上述されたように、ＨＡＲＱモジュール１９０５によって実行され得る。
【０２１６】
[0252]ブロック３１１５において、ＵＥ１１５は、図１３〜図１７を参照して上述されたように、ダウンリンクＴＴＩに続くアップリンクＴＴＩ内で、各ＴＢに対するＨＡＲＱフィードバックを送信することができる。幾つかの例では、ブロック３１１５の動作は、図１９を参照して上述されたように、ＵＬタイミング決定モジュール１９１０によって実行され得る。
【０２１７】
[0253]ブロック３１２０において、ＵＥ１１５は、図１３〜図１７を参照して上述されたように、アップリンクＴＴＩ用のＨＡＲＱリソースの最大数が満たされるか、又は超えられると決定することができる。幾つかの例では、ブロック３１２０の動作は、図２０を参照して上述されたように、ＨＡＲＱリソースモジュール２００５によって実行され得る。
【０２１８】
[0254]ブロック３１２５において、ＵＥ１１５は、図１３〜図１７を参照して上述されたように、ＨＡＲＱリソースの最大数に従って、複数のＴＢのうちの２つ以上のＴＢに対するＨＡＲＱフィードバックをバンドルすることができる。幾つかの例では、ブロック３１２５の動作は、図２０を参照して上述されたように、フィードバックバンドルモジュール２０１０によって実行され得る。
【０２１９】
[0255]図３２は、本開示の様々な態様による、可変ＴＴＩに対するフィードバックのための方法３２００を示すフローチャートを示す。方法３２００の動作は、図１〜図２５を参照して記載されたように、ＵＥ１１５又はその構成要素によって実行され得る。例えば、方法３２００の動作は、図１８〜図２２を参照して記載されたように、フィードバックモジュール１８１０によって実行され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。方法３２００は、図３０及び図３１の方法３０００及び３１００の態様を組み込むこともできる。
【０２２０】
[0256]ブロック３２０５において、ＵＥ１１５は、図１３〜図１７を参照して上述されたように、可変ダウンリンク送信ＴＴＩ内で複数のＴＢを受信することができる。幾つかの例では、ブロック３２０５の動作は、図１８を参照して上述されたように、受信機１８０５によって実行され得る。
【０２２１】
[0257]ブロック３２１０において、ＵＥ１１５は、図１３〜図１７を参照して上述されたように、複数のＴＢの各ＴＢに対するＨＡＲＱフィードバックを決定することができ、複数内のＴＢの数は可変ダウンリンクＴＴＩの継続時間に基づく。幾つかの例では、ブロック３２１０の動作は、図１９を参照して上述されたように、ＨＡＲＱモジュール１９０５によって実行され得る。
【０２２２】
[0258]ブロック３２１５において、ＵＥ１１５は、図１３〜図１７を参照して上述されたように、ダウンリンクＴＴＩに続くアップリンクＴＴＩ内で、各ＴＢに対するＨＡＲＱフィードバックを送信することができる。幾つかの例では、ブロック３２１５の動作は、図１９を参照して上述されたように、ＵＬタイミング決定モジュール１９１０によって実行され得る。
【０２２３】
[0259]ブロック３２２０において、ＵＥ１１５は、図１３〜図１７を参照して上述されたように、ダウンリンクＴＴＩに続く切替え間隔を識別することができる。切替え間隔はアップリンクＴＴＩに先行し得る。このようにして、各ＴＢに対するＨＡＲＱフィードバックは、図１３〜図１７を参照して上述されたように、識別された切替え間隔に基づいて同時に送信され得る。幾つかの例では、ブロック３２２０の動作は、図２０を参照して上述されたように、切替え間隔モジュール２０１５によって実行され得る。
【０２２４】
[0260]図３３は、本開示の様々な態様による、可変ＴＴＩに対するフィードバックのための方法３３００を示すフローチャートを示す。方法３３００の動作は、図１〜図２５を参照して記載されたように、ＵＥ１１５又はその構成要素によって実行され得る。例えば、方法３３００の動作は、図１８〜図２１を参照して記載されたように、フィードバックモジュール１８１０によって実行され得る。幾つかの例では、ＵＥ１１５は、１組のコードを実行して、下記に記載される機能を実施するようにＵＥ１１５の機能要素を制御することができる。追加又は代替として、ＵＥ１１５は、専用ハードウェアを使用して、下記に記載される機能の態様を実施することができる。
【０２２５】
[0261]ブロック３３０５において、ＵＥ１１５は、図１３〜図１７を参照して上述されたように、アップリンクＴＴＩのリソース上で第１のアップリンクＴＢを送信することができる。幾つかの例では、ブロック３３０５の動作は、図１８を参照して上述されたように、送信機１８１５によって実行され得る。
【０２２６】
[0262]ブロック３３１０において、ＵＥ１１５は、図１３〜図１７を参照して上述されたように、第２のアップリンクＴＢ向け、又は第１のアップリンクＴＢの再送信向けの許可を受信することができる。幾つかの例では、ブロック３３１０の動作は、図１８を参照して上述されたように、受信機１８０５によって実行され得る。
【０２２７】
[0263]ブロック３３１５において、ＵＥ１１５は、図１３〜図１７を参照して上述されたように、許可が第２のアップリンクＴＢ向けであるとき、許可がＡＣＫを表すと決定することができる。幾つかの例では、ブロック３３１５の動作は、図２０を参照して上述されたように、フィードバック決定モジュール２０２０によって実行され得る。
【０２２８】
[0264]ブロック３３２０において、ＵＥ１１５は、図１３〜図１７を参照して上述されたように、許可が第１のアップリンクＴＢの再送信向けであるとき、許可がＮＡＣＫを表すと決定することができる。幾つかの例では、ブロック３３２０の動作は、図２０を参照して上述されたように、フィードバック決定モジュール２０２０によって実行され得る。
【０２２９】
[0265]図３４は、本開示の様々な態様による、可変ＴＴＩに対するフィードバックのための方法３４００を示すフローチャートを示す。方法３４００の動作は、図１と図２２〜図２５とを参照して記載されたように、基地局１０５及びその構成要素によって実行され得る。例えば、方法３４００の動作は、図２２〜図２６を参照して記載されたように、基地局フィードバックモジュール２２１０によって実行され得る。幾つかの例では、基地局１０５は、１組のコードを実行して、下記に記載される機能を実施するように基地局１０５の機能要素を制御することができる。追加又は代替として、基地局１０５は、専用ハードウェアを使用して、下記に記載される機能の態様を実施することができる。
【０２３０】
[0266]ブロック３４０５において、基地局１０５は、図１３〜図１７を参照して上述されたように、第１のアップリンクＴＴＩの間に第１のＵＥから可変ダウンリンクＴＴＩを使用して送信された、第１の複数のＴＢの各ＴＢに対するＨＡＲＱフィードバックの第１のセットを受信することができる。幾つかの例では、ブロック３４０５の動作は、図２３を参照して上述されたように、第１のフィードバック受信モジュール２３０５によって実行され得る。
【０２３１】
[0267]ブロック３４１０において、基地局１０５は、図１３〜図１７を参照して上述されたように、第１のアップリンクＴＴＩの間に第２のＵＥから、第２の複数のＴＢの各ＴＢに対するＨＡＲＱフィードバックの第２のセットを受信することができる。幾つかの例では、ブロック３４１０の動作は、図２３を参照して上述されたように、第２のフィードバック受信モジュール２３１０によって実行され得る。
【０２３２】
[0268]図３５は、本開示の様々な態様による、可変ＴＴＩ及びｅＣＣに対するＨＡＲＱのための方法３５００を示すフローチャートを示す。方法３５００の動作は、図１と図２２〜図２５とを参照して記載されたように、基地局１０５及びその構成要素によって実行され得る。例えば、方法３５００の動作は、図２２〜図２５を参照して記載されたように、基地局フィードバックモジュール２２１０によって実行され得る。幾つかの例では、基地局１０５は、１組のコードを実行して、下記に記載される機能を実施するように基地局１０５の機能要素を制御することができる。追加又は代替として、基地局１０５は、専用ハードウェアを使用して、下記に記載される機能の態様を実施することができる。方法３５００は、図３４の方法３４００の態様を組み込むこともできる。
【０２３３】
[0269]ブロック３５０５において、基地局１０５は、図１３〜図１７を参照して上述されたように、第１のアップリンクＴＴＩの間に第１のＵＥから、第１の複数のＴＢの各ＴＢに対するＨＡＲＱフィードバックの第１のセットを受信することができる。幾つかの例では、ブロック３５０５の動作は、図２３を参照して上述されたように、第１のフィードバック受信モジュール２３０５によって実行され得る。
【０２３４】
[0270]ブロック３５１０において、基地局１０５は、図１３〜図１７を参照して上述されたように、第１のアップリンクＴＴＩの間に第２のＵＥから、第２の複数のＴＢの各ＴＢに対するＨＡＲＱフィードバックの第２のセットを受信することができる。ＨＡＲＱフィードバックの第１及び第２のセットは、共通リソース上でＣＤＭされ得る。幾つかの例では、ブロック３５１０の動作は、図２３を参照して上述されたように、第２のフィードバック受信モジュール２３１０によって実行され得る。
【０２３５】
[0271]ブロック３５１５において、基地局１０５は、図１３〜図１７を参照して上述されたように、第１のアップリンクＴＴＩの間に第１のＵＥから第１のＰＵＳＣＨを受信することができ、第１のＰＵＳＣＨ並びにＨＡＲＱフィードバックの第１及び第２のセットはＦＤＭされ得る。幾つかの例では、ブロック３５１５の動作は、図２４を参照して上述されたように、ＦＤＭ  ＰＵＳＣＨモジュール２４０５によって実行され得る。
【０２３６】
[0272]ブロック３５２０において、基地局１０５は、図１３〜図１７を参照して上述されたように、第１のアップリンクＴＴＩの間に第２のＵＥから第２のＰＵＳＣＨを受信することができ、第１及び第２のＰＵＳＣＨ並びにＨＡＲＱフィードバックの第１及び第２のセットはＦＤＭされ得る。場合によっては、基地局１０５は、第１のＴＴＩに先行するＴＴＩ内でＰＵＳＣＨの各々向けのＧＲＳとＨＡＲＱフィードバックの各セットとを受信することができる。幾つかの例では、ブロック３５２０の動作は、図２４を参照して上述されたように、ＦＤＭ  ＰＵＳＣＨモジュール２４０５によって実行され得る。
【０２３７】
[0273]幾つかの例では、基地局は、ＨＡＲＱフィードバックの幾つかのセットと同じ周波数リソース上でＰＵＳＣＨを受信することができ、ＰＵＳＣＨ及びＨＡＲＱフィードバックのセットはＴＤＭされる。そのような動作は、図２４を参照して上述されたように、ＴＤＭ  ＰＵＳＣＨモジュール２４１５によって実行され得る。
【０２３８】
[0274]このようにして、方法３０００、３１００、３２００、３３００、３４００及び３５００は、可変ＴＴＩに対するフィードバックを実現することができる。方法３０００、３１００、３２００、３３００、３４００及び３５００は可能な実装形態を記載し、動作及びステップは、他の実装形態が可能であるように、並べ替えられるか又は場合によっては修正され得ることに留意されたい。幾つかの例では、方法３０００、３１００、３２００、３３００、３４００及び３５００のうちの２つ以上からの態様は、組み合わされ得る。
【０２３９】
[0275]添付の図面に関して上記に記載された発明を実施するための形態は、例示的な実施形態を記載し、実装され得る又は特許請求の範囲内に入る全ての実施形態を表すとは限らない。この説明全体にわたって使用する「例示的」という用語は、「例、事例又は例示の働きをすること」を意味し、「好ましい」又は「他の実施形態よりも有利な」を意味しない。発明を実施するための形態は、記載される技法の理解を与えるための具体的な詳細を含む。しかしながら、これらの技法は、これらの具体的な詳細なしに実践され得る。場合によっては、記載される実施形態の概念を不明瞭にすることを回避するために、よく知られている構造及び機器がブロック図の形態で示されている。
【０２４０】
[0276]情報及び信号は、様々な異なる技術及び技法のいずれかを使用して表され得る。例えば、上記の説明全体にわたって参照され得るデータ、命令、コマンド、情報、信号、ビット、シンボル及びチップは、電圧、電流、電磁波、磁場若しくは磁気粒子、光場若しくは光粒子又はそれらの任意の組合せによって表され得る。
【０２４１】
[0277]本明細書の開示に関して記載された様々な例示的なブロック及びモジュールは、汎用プロセッサ、ＤＳＰ、ＡＳＩＣ、ＦＰＧＡ若しくは他のプログラマブル論理機器、個別ゲート若しくはトランジスタ論理回路、個別ハードウェア構成要素又は本明細書に記載された機能を実施するように設計されたそれらの任意の組合せを用いて、実装又は実施され得る。汎用プロセッサはマイクロプロセッサであり得るが、代替として、プロセッサは、任意の従来のプロセッサ、コントローラ、マイクロコントローラ又は状態機械であり得る。プロセッサは、コンピュータ機器の組合せ（例えば、ＤＳＰとマイクロプロセッサとの組合せ、複数のマイクロプロセッサ、ＤＳＰコアと連携する１つ若しくは複数のマイクロプロセッサ又は任意の他のそのような構成）として実装される場合もある。
【０２４２】
[0278]本明細書に記載された機能は、ハードウェア、プロセッサによって実行されるソフトウェア、ファームウェア又はそれらの組合せに実装され得る。プロセッサによって実行されるソフトウェアに実装される場合、機能は、１つ又は複数の命令又はコードとしてコンピュータ可読媒体上に記憶されるか、又はコンピュータ可読媒体を介して送信され得る。他の例及び実装形態は、本開示の範囲及び添付の特許請求の範囲内に入る。例えば、ソフトウェアの性質に起因して、上述された機能は、プロセッサ、ハードウェア、ファームウェア、ハードワイヤリング又はこれらのいずれかの組合せによって実行されるソフトウェアを使用して実装され得る。機能を実装する特徴は、様々な物理位置に機能の部分が実装されるように分散されることを含め、様々な場所に物理的に配置される場合もある。また、特許請求の範囲を含め、本明細書で使用されるように、項目の列挙（例えば、「のうちの少なくとも１つ」又は「のうちの１つ又は複数」などの句で終わる項目の列挙）内で使用される「又は」は、例えば、［Ａ、Ｂ又はＣのうちの少なくとも１つ］の列挙が、Ａ又はＢ又はＣ又はＡＢ又はＡＣ又はＢＣ又はＡＢＣ（即ち、Ａ及びＢ及びＣ）を意味するような選言的列挙を示す。
【０２４３】
[0279]コンピュータ可読媒体は、ある場所から別の場所へのコンピュータプログラムの転送を容易にする任意の媒体を含む、コンピュータ記憶媒体と通信媒体の両方を含む。記憶媒体は、汎用コンピュータ又は専用コンピュータによってアクセスされ得る任意の利用可能な媒体であり得る。限定ではなく例として、コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭ又は他の光ディスク記憶装置、磁気ディスク記憶装置又は他の磁気記憶装置、又は命令若しくはデータ構造の形態の所望のプログラムコード手段を搬送又は記憶するために使用することができ、汎用コンピュータ若しくは専用コンピュータ又は汎用プロセッサ若しくは専用プロセッサによってアクセスすることができる、任意の他の媒体を備えることができる。また、いかなる接続もコンピュータ可読媒体と適切に呼ばれる。例えば、同軸ケーブル、光ファイバケーブル、ツイストペア、デジタル加入者線（ＤＳＬ）又は赤外線、無線及びマイクロ波などのワイヤレス技術を使用して、ソフトウェアがウェブサイト、サーバ又は他のリモートソースから送信される場合、同軸ケーブル、光ファイバケーブル、ツイストペア、ＤＳＬ又は赤外線、無線及びマイクロ波などのワイヤレス技術は、媒体の定義に含まれる。本明細書で使用するディスク（disk）及びディスク（disc）は、ＣＤ、レーザーディスク（登録商標）（disc）、光ディスク（disc）、デジタル多用途ディスク（disc）（ＤＶＤ）、フロッピー（登録商標）ディスク（disk）及びＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２４４】
[0280]本開示のこれまでの説明は、当業者が本開示を作成又は使用することを可能にするように提供される。本開示の様々な修正は当業者には容易に明らかになり、本明細書で定義された一般原理は、本開示の範囲から逸脱することなく他の変形形態に適用され得る。従って、本開示は、本明細書に記載された例及び設計に限定されるべきでなく、本明細書で開示された原理及び新規の特徴に一致する最も広い範囲を与えられるべきである。
【０２４５】
[0281]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）及び他のシステムなどの様々なワイヤレス通信システムに使用され得る。「システム」及び「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０及びＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡ及びＥ−ＵＴＲＡは、ユニバーサルモバイルテレコミュニケーションシステム（ＵＭＴＳ）の一部である。３ＧＰＰロングタームエボリューション（ＬＴＥ）及びＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ及びモバイル通信用グローバルシステム（ＧＳＭ）は、「第３世代パートナーシッププロジェクト」（３ＧＰＰ）と称する団体からの文書に記載されている。ＣＤＭＡ２０００及びＵＭＢは、「第３世代パートナーシッププロジェクト２」（３ＧＰＰ２）と称する団体からの文書に記載されている。本明細書に記載された技法は、上述されたシステム及び無線技術並びに他のシステム及び無線技術に使用され得る。しかしながら、上記の説明は、例としてＬＴＥシステムを記載し、上記の説明の大部分においてＬＴＥ用語が使用されるが、本技法はＬＴＥの適用例以外に適用可能である。
【図１】
2020025285.tif 000003
【図２】
2020025285.tif 000004
【図３Ａ】
2020025285.tif 000005
【図３Ｂ】
2020025285.tif 000006
【図３Ｃ】
2020025285.tif 000007
【図４】
2020025285.tif 000008
【図５】
2020025285.tif 000009
【図６】
2020025285.tif 000010
【図７】
2020025285.tif 000011
【図８】
2020025285.tif 000012
【図９】
2020025285.tif 000013
【図１０】
2020025285.tif 000014
【図１１】
2020025285.tif 000015
【図１２】
2020025285.tif 000016
【図１３】
2020025285.tif 000017
【図１４】
2020025285.tif 000018
【図１５】
2020025285.tif 000019
【図１６】
2020025285.tif 000020
【図１７】
2020025285.tif 000021
【図１８】
2020025285.tif 000022
【図１９】
2020025285.tif 000023
【図２０】
2020025285.tif 000024
【図２１】
2020025285.tif 000025
【図２２】
2020025285.tif 000026
【図２３】
2020025285.tif 000027
【図２４】
2020025285.tif 000028
【図２５】
2020025285.tif 000029
【図２６】
2020025285.tif 000030
【図２７】
2020025285.tif 000031
【図２８】
2020025285.tif 000032
【図２９】
2020025285.tif 000033
【図３０】
2020025285.tif 000034
【図３１】
2020025285.tif 000035
【図３２】
2020025285.tif 000036
【図３３】
2020025285.tif 000037
【図３４】
2020025285.tif 000038
【図３５】
2020025285.tif 000039
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
指定ダウンリンクシンボルの第１のセットと、ダウンリンクシンボルからアップリンクシンボルに、およびアップリンクシンボルからダウンリンクシンボルに切り替えることが可能な柔軟なシンボルの第２のセットと、指定アプリンクシンボルの第３のセットとを備えるスロットフォーマット構成を識別すること、ここにおいて、前記第１のセット、前記第２のセット、および前記第３のセットは、前記第２のセットが、前記スロットフォーマット構成において、前記第１のセットに続きおよび前記第３のセットに先行するように時分割複信されている、と、
基地局から、前記第２のセットの前記柔軟なシンボルの各々が、第１のスロットにおいて、ダウンリンク送信を受信するまたはアップリンク送信を送信するように構成されていることを示す第１の指示を受信することと、
前記スロットフォーマット構成および前記第１の指示に少なくとも部分的に基づいて、前記第１のスロットにおいて前記基地局と通信することと
を備える、方法。
【請求項２】
前記基地局から、前記第２のセットの前記柔軟なシンボルの第１のサブセットを、ダウンリンクシンボルからアップリンクシンボルに、またはアップリンクシンボルからダウンリンクシンボルに切り替える第２の指示を受信することと、
前記第２の指示に少なくとも部分的に基づいて、第２のスロットにおいて前記基地局と通信すること、ここにおいて、前記第２の指示は、前記第２のスロットについて前記柔軟なシンボルの前記第１のサブセットを切り替える、と
をさらに備える、請求項１に記載の方法。
【請求項３】
前記第２の指示は、制御チャネルにおいて受信される、請求項２に記載の方法。
【請求項４】
前記第２の指示は、ダウンリンク制御情報（ＤＣＩ）において受信される、請求項３に記載の方法。
【請求項５】
前記第２のセットの前記柔軟なシンボルの第２のサブセットを、ダウンリンクシンボルからアップリンクシンボルに、またはアップリンクシンボルからダウンリンクシンボルに切り替える第３の指示を受信することと、
前記第３の指示に少なくとも部分的に基づいて、第３のスロットにおいて前記基地局と通信すること、ここにおいて、前記第３の指示は、前記第３のスロットについて前記柔軟なシンボルの前記第２のサブセットを切り替える、と
をさらに備える、請求項２に記載の方法。
【請求項６】
前記第３の指示は、制御チャネルにおいて受信される、請求項５に記載の方法。
【請求項７】
指定ダウンリンクシンボルの前記第１のセットの間に、前記第１のスロットにおいてダウンリンク送信を受信することと、
指定アップリンクシンボルの前記第３のセットの間に、前記第１のスロットにおいてアップリンク送信を送信することと
をさらに備える、請求項１に記載の方法。
【請求項８】
前記第１の指示は、無線リソース制御（ＲＲＣ）信号伝達を介して受信される、請求項１に記載の方法。
【請求項９】
前記第１の指示は、物理ダウンリンク制御チャネル信号伝達を介して受信される、請求項１に記載の方法。
【請求項１０】
ワイヤレス通信のための装置であって、
プロセッサと、
前記プロセッサに結合されたメモリと、
前記メモリに記憶され、前記プロセッサによって実行されると、
指定ダウンリンクシンボルの第１のセットと、ダウンリンクシンボルからアップリンクシンボルに、およびアップリンクシンボルからダウンリンクシンボルに切り替えることが可能な柔軟なシンボルの第２のセットと、指定アプリンクシンボルの第３のセットとを備えるスロットフォーマット構成を識別すること、ここにおいて、前記第１のセット、前記第２のセット、および前記第３のセットは、前記第２のセットが、前記スロットフォーマット構成において、前記第１のセットに続きおよび前記第３のセットに先行するように時分割複信されている、と、
基地局から、前記第２のセットの前記柔軟なシンボルの各々が、第１のスロットにおいて、ダウンリンク送信を受信するまたはアップリンク送信を送信するように構成されていることを示す第１の指示を受信することと、
前記スロットフォーマット構成および前記第１の指示に少なくとも部分的に基づいて、前記第１のスロットにおいて前記基地局と通信することと
を前記装置に行わせるように動作可能な命令と
を備える、装置。
【請求項１１】
前記命令は、
前記基地局から、前記第２のセットの前記柔軟なシンボルの第１のサブセットを、ダウンリンクシンボルからアップリンクシンボルに、またはアップリンクシンボルからダウンリンクシンボルに切り替える第２の指示を受信することと、
前記第２の指示に少なくとも部分的に基づいて、第２のスロットにおいて前記基地局と通信すること、ここにおいて、前記第２の指示は、前記第２のスロットについて前記柔軟なシンボルの前記第１のサブセットを切り替える、と
を行うようにさらに実行可能である、請求項１０に記載の装置。
【請求項１２】
前記第２の指示は、制御チャネルにおいて受信される、請求項１１に記載の装置。
【請求項１３】
前記第２の指示は、ダウンリンク制御情報（ＤＣＩ）において受信される、請求項１２に記載の装置。
【請求項１４】
前記命令は、
前記第２のセットの前記柔軟なシンボルの第２のサブセットを、ダウンリンクシンボルからアップリンクシンボルに、またはアップリンクシンボルからダウンリンクシンボルに切り替える第３の指示を受信することと、
前記第３の指示に少なくとも部分的に基づいて、第３のスロットにおいて前記基地局と通信すること、ここにおいて、前記第３の指示は、前記第３のスロットについて前記柔軟なシンボルの前記第２のサブセットを切り替える、と
を行うようにさらに実行可能である、請求項１１に記載の装置。
【請求項１５】
前記第３の指示は、制御チャネルにおいて受信される、請求項１４に記載の装置。
【請求項１６】
前記第３の指示は、ダウンリンク制御情報（ＤＣＩ）において受信される、請求項１５に記載の装置。
【請求項１７】
前記命令は、
指定ダウンリンクシンボルの前記第１のセットの間に、前記第１のスロットにおいてダウンリンク送信を受信することと、
指定アップリンクシンボルの前記第３のセットの間に、前記第１のスロットにおいてアップリンク送信を送信することと
を行うようにさらに実行可能である、請求項１０に記載の装置。
【請求項１８】
前記第１の指示は、無線リソース制御（ＲＲＣ）信号伝達を介して受信される、請求項１０に記載の装置。
【請求項１９】
前記第１の指示は、物理ダウンリンク制御チャネル信号伝達を介して受信される、請求項１０に記載の装置。
【請求項２０】
ワイヤレス通信のための装置であって、
指定ダウンリンクシンボルの第１のセットと、ダウンリンクシンボルからアップリンクシンボルに、およびアップリンクシンボルからダウンリンクシンボルに切り替えることが可能な柔軟なシンボルの第２のセットと、指定アプリンクシンボルの第３のセットとを備えるスロットフォーマット構成を識別するための手段、ここにおいて、前記第１のセット、前記第２のセット、および前記第３のセットは、前記第２のセットが、前記スロットフォーマット構成において、前記第１のセットに続きおよび前記第３のセットに先行するように時分割複信されている、と、
基地局から、前記第２のセットの前記柔軟なシンボルの各々が、第１のスロットにおいて、ダウンリンク送信を受信するまたはアップリンク送信を送信するように構成されていることを示す第１の指示を受信するための手段と、
前記スロットフォーマット構成および前記第１の指示に少なくとも部分的に基づいて、前記第１のスロットにおいて前記基地局と通信するための手段と
を備える、装置。
【請求項２１】
前記基地局から、前記第２のセットの前記柔軟なシンボルの第１のサブセットを、ダウンリンクシンボルからアップリンクシンボルに、またはアップリンクシンボルからダウンリンクシンボルに切り替える第２の指示を受信するための手段と、
前記第２の指示に少なくとも部分的に基づいて、第２のスロットにおいて前記基地局と通信するための手段、ここにおいて、前記第２の指示は、前記第２のスロットについて前記柔軟なシンボルの前記第１のサブセットを切り替える、と
をさらに備える、請求項２０に記載の装置。
【請求項２２】
前記第２の指示は、制御チャネルにおいて受信される、請求項２１に記載の装置。
【請求項２３】
前記第２の指示は、ダウンリンク制御情報（ＤＣＩ）において受信される、請求項２２に記載の装置。
【請求項２４】
前記第２のセットの前記柔軟なシンボルの第２のサブセットを、ダウンリンクシンボルからアップリンクシンボルに、またはアップリンクシンボルからダウンリンクシンボルに切り替える第３の指示を受信するための手段と、
前記第３の指示に少なくとも部分的に基づいて、第３のスロットにおいて前記基地局と通信するための手段、ここにおいて、前記第３の指示は、前記第３のスロットについて前記柔軟なシンボルの前記第２のサブセットを切り替える、と
をさらに備える、請求項２１に記載の装置。
【請求項２５】
前記第３の指示は、制御チャネルにおいて受信される、請求項２４に記載の装置。
【請求項２６】
指定ダウンリンクシンボルの前記第１のセットの間に、前記第１のスロットにおいてダウンリンク送信を受信するための手段と、
指定アップリンクシンボルの前記第３のセットの間に、前記第１のスロットにおいてアップリンク送信を送信するための手段と
をさらに備える、請求項２０に記載の装置。
【請求項２７】
前記第１の指示は、無線リソース制御（ＲＲＣ）信号伝達を介して受信される、請求項２０に記載の装置。
【請求項２８】
前記第１の指示は、物理ダウンリンク制御チャネル信号伝達を介して受信される、請求項２０に記載の装置。
【請求項２９】
ワイヤレス通信のためのコードを記憶する非一時的なコンピュータ可読媒体であって、前記コードは、
指定ダウンリンクシンボルの第１のセットと、ダウンリンクシンボルからアップリンクシンボルに、およびアップリンクシンボルからダウンリンクシンボルに切り替えることが可能な柔軟なシンボルの第２のセットと、指定アプリンクシンボルの第３のセットとを備えるスロットフォーマット構成を識別すること、ここにおいて、前記第１のセット、前記第２のセット、および前記第３のセットは、前記第２のセットが、前記スロットフォーマット構成において、前記第１のセットに続きおよび前記第３のセットに先行するように時分割複信されている、と、
基地局から、前記第２のセットの前記柔軟なシンボルの各々が、第１のスロットにおいて、ダウンリンク送信を受信するまたはアップリンク送信を送信するように構成されていることを示す第１の指示を受信することと、
前記スロットフォーマット構成および前記第１の指示に少なくとも部分的に基づいて、前記第１のスロットにおいて前記基地局と通信することと
を行うように実行可能な命令を備える、非一時的なコンピュータ可読媒体。
【請求項３０】
前記命令は、
前記基地局から、前記第２のセットの前記柔軟なシンボルの第１のサブセットを、ダウンリンクシンボルからアップリンクシンボルに、またはアップリンクシンボルからダウンリンクシンボルに切り替える第２の指示を受信することと、
前記第２の指示に少なくとも部分的に基づいて、第２のスロットにおいて前記基地局と通信すること、ここにおいて、前記第２の指示は、前記第２のスロットについて前記柔軟なシンボルの前記第１のサブセットを切り替える、と
を行うようにさらに実行可能である、請求項２９に記載の非一時的なコンピュータ可読媒体。
【手続補正２】
【補正対象書類名】明細書
【補正対象項目名】０２４５
【補正方法】変更
【補正の内容】
【０２４５】
[0281]本明細書に記載された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）及び他のシステムなどの様々なワイヤレス通信システムに使用され得る。「システム」及び「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装することができる。ＣＤＭＡ２０００は、ＩＳ−２０００規格と、ＩＳ−９５規格と、ＩＳ−８５６規格とをカバーする。ＩＳ−２０００リリース０及びＡは、通常、ＣＤＭＡ２０００  １Ｘ、１Ｘなどと呼ばれる。ＩＳ−８５６（ＴＩＡ−８５６）は、通常、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形形態とを含む。ＴＤＭＡシステムは、モバイル通信用グローバルシステム（ＧＳＭ（登録商標））などの無線技術を実装することができる。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装することができる。ＵＴＲＡ及びＥ−ＵＴＲＡは、ユニバーサルモバイルテレコミュニケーションシステム（ＵＭＴＳ）の一部である。３ＧＰＰロングタームエボリューション（ＬＴＥ）及びＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ及びモバイル通信用グローバルシステム（ＧＳＭ）は、「第３世代パートナーシッププロジェクト」（３ＧＰＰ）と称する団体からの文書に記載されている。ＣＤＭＡ２０００及びＵＭＢは、「第３世代パートナーシッププロジェクト２」（３ＧＰＰ２）と称する団体からの文書に記載されている。本明細書に記載された技法は、上述されたシステム及び無線技術並びに他のシステム及び無線技術に使用され得る。しかしながら、上記の説明は、例としてＬＴＥシステムを記載し、上記の説明の大部分においてＬＴＥ用語が使用されるが、本技法はＬＴＥの適用例以外に適用可能である。
以下に本願の出願当初の特許請求の範囲に記載された発明を付記する。
［Ｃ１］  ワイヤレス通信の方法であって、
時分割複信（ＴＤＤ）構成キャリアのダウンリンク送信時間間隔（ＴＴＩ）を識別することと、
前記ダウンリンクＴＴＩの間に前記ダウンリンクＴＴＩの継続時間の指示を受信することと、
前記ダウンリンクＴＴＩに続くアップリンクＴＴＩの継続時間の指示を受信することと、ここにおいて、前記アップリンクＴＴＩの前記継続時間の前記指示が前記ダウンリンクＴＴＩの間に受信される、
前記ダウンリンクＴＴＩの前記継続時間の前記指示及び前記アップリンクＴＴＩの前記継続時間の前記指示に少なくとも部分的に基づいて通信することと
を備える、方法。
［Ｃ２］  前記ダウンリンクＴＴＩの間にダウンリンク許可を受信すること
を更に備え、前記ダウンリンク許可が前記ダウンリンクＴＴＩの間にリソースの第１のセットを割り当てる、Ｃ１に記載の方法。
［Ｃ３］  前記ダウンリンクＴＴＩに続く後続のダウンリンクＴＴＩの継続時間の指示を受信することと、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信することと、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信することと
を更に備える、Ｃ２に記載の方法。
［Ｃ４］  前記アップリンクＴＴＩの前記継続時間の前記指示が、前記アップリンクＴＴＩの前記継続時間がゼロであることを示す、Ｃ１に記載の方法。
［Ｃ５］  前記ダウンリンクＴＴＩの前記継続時間及び後続のダウンリンクＴＴＩの継続時間が、前記ＴＤＤ構成キャリアのリソース上で時分割多重化されるダウンリンクバーストを形成する、Ｃ４に記載の方法。
［Ｃ６］  前記通信することが、
前記ダウンリンクＴＴＩの間にトランスポートブロック（ＴＢ）のセットを受信することと、ここにおいて、前記ダウンリンクＴＴＩが可変ＴＴＩを備える、
ＴＢの前記セットの各ＴＢに対するハイブリッド自動再送要求（ＨＡＲＱ）フィードバックを決定することと、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信することと
を備える、Ｃ１に記載の方法。
［Ｃ７］  幾つかのコードブロック（ＣＢ）に対するＨＡＲＱフィードバックを決定することと、ここにおいて、ＴＢの前記セットの各ＴＢが少なくとも１つのＣＢを備える、ここにおいて、各ＴＢ内のＣＢの数が各ＴＢのサイズに少なくとも部分的に基づく、
前記アップリンクＴＴＩの間に前記幾つかのＣＢに対する前記ＨＡＲＱフィードバックを送信することと
を更に備える、Ｃ６に記載の方法。
［Ｃ８］  前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入ること
を更に備える、Ｃ１に記載の方法。
［Ｃ９］  ワイヤレス通信のための装置であって、
時分割複信（ＴＤＤ）構成キャリアのダウンリンク送信時間間隔（ＴＴＩ）を識別するための手段と、
前記ダウンリンクＴＴＩの間に前記ダウンリンクＴＴＩの継続時間の指示を受信するための手段と、
前記ダウンリンクＴＴＩに続くアップリンクＴＴＩの継続時間の指示を受信するための手段と、ここにおいて、前記アップリンクＴＴＩの前記継続時間の前記指示が前記ダウンリンクＴＴＩの間に受信される、
前記ダウンリンクＴＴＩの前記指示及び前記アップリンクＴＴＩの前記指示に少なくとも部分的に基づいて通信するための手段と
を備える、装置。
［Ｃ１０］  前記ダウンリンクＴＴＩの間にダウンリンク許可を受信するための手段
を更に備え、前記ダウンリンク許可が前記ダウンリンクＴＴＩの間にリソースの第１のセットを割り当てる、Ｃ９に記載の装置。
［Ｃ１１］  前記ダウンリンクＴＴＩに続く後続のダウンリンクＴＴＩの継続時間の指示を受信するための手段と、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信するための手段と、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信するための手段とを更に備える、Ｃ１０に記載の装置。
［Ｃ１２］  前記アップリンクＴＴＩの前記継続時間の前記指示が、前記アップリンクＴＴＩの前記継続時間がゼロであることを示す、Ｃ９に記載の装置。
［Ｃ１３］  前記ダウンリンクＴＴＩの前記継続時間及び後続のダウンリンクＴＴＩの継続時間が、前記ＴＤＤ構成キャリアのリソース上で時分割多重化されるダウンリンクバーストを形成する、Ｃ１２に記載の装置。
［Ｃ１４］  通信するための前記手段が、前記ダウンリンクＴＴＩの間にトランスポートブロック（ＴＢ）のセットを受信するための手段を備え、前記ダウンリンクＴＴＩが可変ＴＴＩを備え、前記装置が、
ＴＢの前記セットの各ＴＢに対するハイブリッド自動再送要求（ＨＡＲＱ）フィードバックを決定するための手段と、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信するための手段と
を更に備える、Ｃ９に記載の装置。
［Ｃ１５］  幾つかのコードブロック（ＣＢ）に対するＨＡＲＱフィードバックを決定するための手段と、ここにおいて、ＴＢの前記セットの各ＴＢが少なくとも１つのＣＢを備え、各ＴＢ内のＣＢの数が各ＴＢのサイズに少なくとも部分的に基づく、
前記アップリンクＴＴＩの間に前記幾つかのＣＢに対する前記ＨＡＲＱフィードバックを送信するための手段と
を更に備える、Ｃ１４に記載の装置。
［Ｃ１６］  前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入るための手段
を更に備える、Ｃ９に記載の装置。
［Ｃ１７］  ワイヤレス通信のための装置であって、
プロセッサと、
前記プロセッサと電子通信するメモリと、
前記メモリに記憶され、前記プロセッサによって実行されると、
時分割複信（ＴＤＤ）構成キャリアのダウンリンク送信時間間隔（ＴＴＩ）を識別することと、
前記ダウンリンクＴＴＩの間に前記ダウンリンクＴＴＩの継続時間の指示を受信することと、
前記ダウンリンクＴＴＩに続くアップリンクＴＴＩの継続時間の指示を受信することと、ここにおいて、前記アップリンクＴＴＩの前記継続時間の前記指示が前記ダウンリンクＴＴＩの間に受信される、
前記ダウンリンクＴＴＩの前記継続時間の前記指示及び前記アップリンクＴＴＩの前記継続時間の前記指示に少なくとも部分的に基づいて通信することと
を前記装置に行わせるように動作可能な命令と
を備える、装置。
［Ｃ１８］  前記命令が、
前記ダウンリンクＴＴＩの間にダウンリンク許可を受信すること
を前記装置に行わせるように動作可能であり、前記ダウンリンク許可が前記ダウンリンクＴＴＩの間にリソースの第１のセットを割り当てる、Ｃ１７に記載の装置。
［Ｃ１９］  前記命令が、
前記ダウンリンクＴＴＩに続く後続のダウンリンクＴＴＩの継続時間の指示を受信することと、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信することと、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信することと
を前記装置に行わせるように動作可能である、Ｃ１８に記載の装置。
［Ｃ２０］  前記アップリンクＴＴＩの前記継続時間の前記指示が、前記アップリンクＴＴＩの前記継続時間がゼロであることを示す、Ｃ１７に記載の装置。
［Ｃ２１］  前記ダウンリンクＴＴＩの前記継続時間及び後続のダウンリンクＴＴＩの継続時間が、前記ＴＤＤ構成キャリアのリソース上で時分割多重化されるダウンリンクバーストを形成する、Ｃ２０に記載の装置。
［Ｃ２２］  前記命令が、
前記ダウンリンクＴＴＩの間にトランスポートブロック（ＴＢ）のセットを受信することと、ここにおいて、前記ダウンリンクＴＴＩが可変ＴＴＩを備える、
ＴＢの前記セットの各ＴＢに対するハイブリッド自動再送要求（ＨＡＲＱ）フィードバックを決定することと、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信することと
を前記装置に行わせるように動作可能である、Ｃ１７に記載の装置。
［Ｃ２３］  前記命令が、
幾つかのコードブロック（ＣＢ）に対するＨＡＲＱフィードバックを決定することと、ここにおいて、ＴＢの前記セットの各ＴＢが少なくとも１つのＣＢを備え、各ＴＢ内のＣＢの数が各ＴＢのサイズに少なくとも部分的に基づく、
前記アップリンクＴＴＩの間に前記幾つかのＣＢに対する前記ＨＡＲＱフィードバックを送信することと
を前記装置に行わせるように動作可能である、Ｃ２２に記載の装置。
［Ｃ２４］  前記命令が、
前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入ること
を前記装置に行わせるように動作可能である、Ｃ１７に記載の装置。
［Ｃ２５］  ワイヤレス通信のためのコードを記憶する非一時的コンピュータ可読媒体であって、前記コードが
時分割複信（ＴＤＤ）構成キャリアのダウンリンク送信時間間隔（ＴＴＩ）を識別することと、
前記ダウンリンクＴＴＩの間に前記ダウンリンクＴＴＩの継続時間の指示を受信することと、
前記ダウンリンクＴＴＩに続くアップリンクＴＴＩの継続時間の指示を受信することと、ここにおいて、前記アップリンクＴＴＩの前記継続時間の前記指示が前記ダウンリンクＴＴＩの間に受信される、
前記ダウンリンクＴＴＩの前記継続時間の前記指示及び前記アップリンクＴＴＩの前記継続時間の前記指示に少なくとも部分的に基づいて通信することと
を行うように実行可能な命令を備える、非一時的コンピュータ可読媒体。
［Ｃ２６］  前記命令が、
前記ダウンリンクＴＴＩの間にダウンリンク許可を受信すること
を行うように実行可能であり、前記ダウンリンク許可が前記ダウンリンクＴＴＩの間にリソースの第１のセットを割り当てる、Ｃ２５に記載の非一時的コンピュータ可読媒体。
［Ｃ２７］  前記命令が、
前記ダウンリンクＴＴＩに続く後続のダウンリンクＴＴＩの継続時間の指示を受信することと、ここにおいて、前記後続のダウンリンクＴＴＩの前記継続時間の前記指示が前記後続のダウンリンクＴＴＩの間に受信される、
前記後続のダウンリンクＴＴＩに続く後続のアップリンクＴＴＩの継続時間の指示を受信することと、ここにおいて、前記後続のアップリンクＴＴＩの前記継続時間の前記指示が前記後続のダウンリンクＴＴＩの間に受信される、
前記後続のダウンリンクＴＴＩの前記継続時間の前記指示及び前記後続のアップリンクＴＴＩの前記継続時間の前記指示に少なくとも部分的に基づいて通信することと
を行うように実行可能である、Ｃ２６に記載の非一時的コンピュータ可読媒体。
［Ｃ２８］  前記アップリンクＴＴＩの前記継続時間の前記指示が、前記アップリンクＴＴＩの前記継続時間がゼロであることを示す、Ｃ２５に記載の非一時的コンピュータ可読媒体。
［Ｃ２９］  前記命令が、
前記ダウンリンクＴＴＩの間にトランスポートブロック（ＴＢ）のセットを受信することと、ここにおいて、前記ダウンリンクＴＴＩが可変ＴＴＩを備える、
ＴＢの前記セットの各ＴＢに対するハイブリッド自動再送要求（ＨＡＲＱ）フィードバックを決定することと、ここにおいて、ＴＢの前記セット内のＴＢの数が前記ダウンリンクＴＴＩの前記継続時間に少なくとも部分的に基づく、
前記アップリンクＴＴＩの間にＴＢの前記セットの少なくとも１つのＴＢに対する前記ＨＡＲＱフィードバックを送信することと
を行うように実行可能である、Ｃ２５に記載の非一時的コンピュータ可読媒体。
［Ｃ３０］  前記命令が、
前記ダウンリンクＴＴＩ又は前記アップリンクＴＴＩの間のリソースの許可の不在に少なくとも部分的に基づいて、前記ダウンリンクＴＴＩ又は前記アップリンクＴＴＩの間に低電力状態に入ること
を行うように実行可能である、Ｃ２５に記載の非一時的コンピュータ可読媒体。
【外国語明細書】
2020025285000001.pdf